(57)【要約】装置の本体部分に結合している細長い形状の複数の剛毛を伴う使用者の口の中に少なくとも部分的に適合するように寸法けられて形付けされている口腔光治療用アプリケータが開示されている。このアプリケータは使用者の歯をブラッシングすることに適合でき、さらにその剛毛に接触している組織以外の口腔の一定の部分に光治療用の放射線を供給するためにその本体部分に少なくとも１個の放射線発生装置を含むことができる。また、一例の実施形態において、上記光治療用の発生装置は上記剛毛に接触している組織の一定の領域およびその装置に接触していない口腔の一定の部分の両方を照射する。例えば、上記装置はその剛毛に接触している歯の組織およびその歯の組織の周囲の歯肉組織を照射する少なくとも１個の発生装置を含むことができる。
2006521875.tif 000002
【特許請求の範囲】
【請求項１】
使用者の口の中に少なくとも部分的に適合するように寸法付けられて形付けされている本体部分と、
少なくとも１個の所望のスペクトル帯域内の光治療用の放射線により口腔の一部分を照射するために前記本体部分に結合している少なくとも１個の放射線発生装置と、を備えている口腔光治療用アプリケータ。
【請求項２】
前記本体部分が前記口腔の少なくとも一部分の形状に一致することに適合している請求項１に記載の装置。
【請求項３】
前記装置がさらに光治療中に少なくとも使用者の歯と歯肉との間に位置決めするために適合しているか、光治療中に使用者の舌の少なくとも一部分を被覆することに適合している本体部分を備えている請求項１および２のいずれかに記載の装置。
【請求項４】
前記発生装置が少なくとも２個の分離しているスペクトル帯域において放射線を発生する請求項１乃至３のいずれかに記載の装置。
【請求項５】
前記装置が異なる方向に放射線を送り出すために構成されていて、随意的に、歯、頬、舌、口蓋、喉および顔面組織、リンパ組織、血液、腺、小胞、コラーゲンおよび色素沈着の群から選択される口腔の少なくとも一部分に放射線を送り出すように構成されている請求項１乃至４のいずれかに記載の装置。
【請求項６】
前記発生装置がさらに口腔の粘膜の内層に進入して顔面組織の一定の領域に光治療用のエネルギーを配給することのできる放射線を配給できる少なくとも１個の放射線の供給源を含む請求項１乃至５のいずれかに記載の装置。
【請求項７】
前記装置がさらに波長、出力、パルス幅および治療時間の群から選択される前記口腔の照射のための少なくとも１個のパラメータを調整するためのコントローラを備えている請求項１乃至６のいずれかに記載の装置。
【請求項８】
前記装置がさらに、被験者の歯の１個以上に接触するため等のような、光治療中に前記口腔の一部分に接触するために適している複数の剛毛を備えている請求項１乃至７のいずれかに記載の装置。
【請求項９】
前記剛毛が少なくとも１個の波長範囲内において光治療用の放射線に対して実質的に透明であり、随意的に、その放射線を拡散するための一定の散乱剤をさらに含む請求項８に記載の装置。
【請求項１０】
前記剛毛が光治療用の放射線に対して実質的に透明であり、随意的に、一定の反射性の材料により少なくとも部分的に被覆されている請求項８に記載の装置。
【請求項１１】
前記剛毛が光の分布を調整するように形付けられており、随意的に、円錐、テーパー状、湾曲状および螺旋の形状の群から選択される少なくとも１個の形状を有している請求項８に記載の装置。
【請求項１２】
前記剛毛がさらに１個以上の蛍光、発光またはレージングの要素を含む請求項８に記載の装置。
【請求項１３】
前記剛毛が一定のブラシ・ヘッドの中に組み込まれており、このブラシ・ヘッドが随意的に取り外し可能であり置換可能である請求項８に記載の装置。
【請求項１４】
前記発生装置がさらに発光ダイオード、超発光ダイオード、レーザー・ダイオード、垂直キャビティ面型発光レーザー、ファイバー・レーザー、蛍光固体素子供給源、およびランプの群から選択される放射線供給源を含む請求項１乃至１３のいずれかに記載の装置。
【請求項１５】
前記装置がさらに異なる方向に放射線を選択的に送り出すための光学要素を含み、随意的に、その光学要素が少なくとも１個の屈折性または反射性の要素を含む請求項１乃至１４のいずれかに記載の装置。
【請求項１６】
前記装置がさらに光治療において使用するための放射線のスペクトル帯域を選択するための光学フィルターを含む請求項１乃至１５のいずれかに記載の装置。
【請求項１７】
前記装置がさらに移動または接触または診断のセンサーおよび当該センサーからの信号に基づいて前記放射線供給源を制御するコントローラを含む請求項１乃至１６のいずれかに記載の装置。
【請求項１８】
前記装置がさらに少なくとも１個の熱伝導性の要素および、随意的に、放射線供給源から熱を引き出すことのできる熱伝導性の要素を含む請求項１乃至１７のいずれかに記載の装置。
【請求項１９】
前記熱伝導性の要素が一定の相変化性の材料である請求項１８に記載の装置。
【請求項２０】
前記装置がさらに前記口腔の一部分を加熱するためのヒーター要素を含む請求項１８に記載の装置。
【請求項２１】
前記装置がさらに前記口腔に対して拡散した放射線を配給するために前記放射線発生要素に随意的に結合している光拡散装置を含む請求項１乃至２０のいずれかに記載の装置。
【請求項２２】
前記装置がさらに一定の標的組織部位に音響エネルギーを配給するための超音波発生装置を含む請求項１乃至２１のいずれかに記載の装置。
【請求項２３】
前記装置がさらに一定の標的組織部位に断続的な圧力を供給するための振動要素を含む請求項１乃至２２のいずれかに記載の装置。
【請求項２４】
前記装置がさらに薬物配給用のポートを含む請求項１乃至２３のいずれかに記載の装置。
【請求項２５】
前記装置がさらに一定の標的組織部位に対して光治療用の放射線を向け直すためのエネルギー反射装置を含む請求項１乃至２４のいずれかに記載の装置。
【請求項２６】
使用者の口の中に少なくとも部分的に適合するように寸法付けられて形付けされていてその口腔の少なくとも一部分の形状に一致することに適合している本体部分と、
光治療用の放射線により前記口腔の一部分を照射するために前記本体部分に結合している少なくとも１個の放射線発生装置と、を備えている口腔光治療用アプリケータ。
【請求項２７】
前記発生装置がさらに少なくとも２個の分離しているスペクトル帯域内の波長成分を有する放射線の少なくとも１個の供給源を含む請求項２６に記載の装置。
【請求項２８】
前記発生装置がさらに異なるスペクトル帯域の放射線を発生する少なくとも２個の放射線の供給源を含む請求項２６に記載の装置。
【請求項２９】
前記発生装置がさらに発光ダイオード、超発光ダイオード、レーザー・ダイオード、垂直キャビティ面型発光レーザー、ファイバー・レーザー、蛍光固体素子供給源、およびランプの群から選択される少なくとも１個の放射線供給源を含む請求項２６に記載の装置。
【請求項３０】
前記装置がさらに波長、出力、パルス幅および治療時間の群から選択される前記口腔の照射のための少なくとも１個のパラメータを調整するためのコントローラを備えている請求項２６に記載の装置。
【請求項３１】
前記装置がさらに異なる方向に放射線を送り出すための光学要素を含む請求項２６に記載の装置。
【請求項３２】
前記装置が歯、頬、舌、口蓋、喉および顔面組織、リンパ組織、血液、腺、小胞、コラーゲンおよび色素沈着の群から選択される口腔の少なくとも一部分に放射線を送り出すように構成されている請求項３１に記載の装置。
【請求項３３】
前記装置がさらに光治療において使用するための放射線の一定のスペクトル帯域を選択するための光学フィルターを含む請求項２６に記載の装置。
【請求項３４】
前記装置がさらに接触センサーおよび当該接触センサーからの信号に基づいて前記放射線発生装置を制御するコントローラを含む請求項２６に記載の装置。
【請求項３５】
前記装置がさらに診断センサーおよび当該診断センサーからの信号に基づいて前記放射線発生装置を制御するコントローラを含む請求項２６に記載の装置。
【請求項３６】
前記装置がさらに前記発生装置から熱を引き出すための少なくとも１個の熱伝導性の要素を含む請求項２６に記載の装置。
【請求項３７】
前記熱伝導性の要素が流体の熱転移媒体を含む請求項３６に記載の装置。
【請求項３８】
前記装置がさらにヒート・シンクとして作用するハンドルを含む請求項３６に記載の装置。
【請求項３９】
前記熱伝導性の要素が一定の相変化性の材料である請求項３６に記載の装置。
【請求項４０】
前記装置がさらに当該装置からの廃熱により前記口腔の一部分を加熱するための熱転移要素を含む請求項３６に記載の装置。
【請求項４１】
前記装置がさらに前記口腔に対して拡散した放射線を配給するために前記放射線発生要素に光学的に結合している光拡散装置を含む請求項２６に記載の装置。
【請求項４２】
前記装置がさらに処置中に使用者による呼吸を容易にするために前記アプリケータの本体部分の中を通過している気道の内孔部分を含む請求項２６に記載の装置。
【請求項４３】
前記本体部分が前記口腔の一部分に対する一致を容易にために順応性である請求項２６に記載の装置。
【請求項４４】
前記装置がさらに光治療中に少なくとも一定の使用者の歯と歯肉との間に位置決めするために適合しているマウスピースの形態の本体部分を含む請求項２６に記載の装置。
【請求項４５】
前記装置がさらに光治療中に使用者の舌の少なくとも一部分において被覆している一定の位置における配置のために適合している本体部分を含む請求項２６に記載の装置。
【請求項４６】
前記装置がさらに光治療中に前記口腔に対する一定の固定した位置における配置のために適合している本体部分を含む請求項２６に記載の装置。
【請求項４７】
前記装置が、当該アプリケータの口の中への配置時に、前記発生装置からの放射線がその口腔の粘膜の内層に進入して顔面組織の一定の領域に光治療用のエネルギーを配給できるように、構成されている請求項２６に記載の装置。
【請求項４８】
前記装置がさらに一定の標的組織部位に音響エネルギーを配給するための超音波発生装置を含む請求項２６に記載の装置。
【請求項４９】
前記装置がさらに一定の標的組織部位に断続的な圧力を供給するための振動要素を含む請求項２６に記載の装置。
【請求項５０】
前記装置がさらに薬物配給用のポートを含む請求項２６に記載の装置。
【請求項５１】
前記装置がさらに一定の標的組織部位に対して光治療用の放射線を向け直すためのエネルギー反射装置を含む請求項２６に記載の装置。
【請求項５２】
使用者の口の中に少なくとも部分的に適合するように寸法付けられて形付けされている本体部分と、
少なくとも２個の分離しているスペクトル帯域における光治療用の放射線により前記口腔の一部分を照射するために前記本体部分に結合している少なくとも１個の放射線発生装置と、を備えている口腔光治療用アプリケータ。
【請求項５３】
前記発生装置がさらに少なくとも２個の分離しているスペクトル帯域内の波長成分を有する放射線の少なくとも１個の供給源を含む請求項５２に記載の装置。
【請求項５４】
前記発生装置がさらに異なるスペクトル帯域の放射線を発生する少なくとも２個の放射線の供給源を含む請求項５２に記載の装置。
【請求項５５】
前記発生装置がさらに発光ダイオード、超発光ダイオード、レーザー・ダイオード、垂直キャビティ面型発光レーザー、ファイバー・レーザー、蛍光固体素子供給源、およびランプの群から選択される少なくとも１個の放射線供給源を含む請求項５２に記載の装置。
【請求項５６】
前記装置がさらに光治療において使用するための放射線のスペクトル帯域を選択するための光学フィルターを含む請求項５２に記載の装置。
【請求項５７】
前記装置がさらに光治療において使用するための放射線の複数のスペクトル帯域を選択するための複数の光学フィルターを含む請求項５２に記載の装置。
【請求項５８】
前記スペクトル帯域が重なっている請求項５２に記載の装置。
【請求項５９】
前記スペクトル帯域が重なっていない請求項５２に記載の装置。
【請求項６０】
前記装置がさらに異なる方向に放射線を送り出すための光学要素を含む請求項５２に記載の装置。
【請求項６１】
前記装置が歯、頬、舌、口蓋、喉および顔面組織、リンパ組織、血液、腺、小胞、コラーゲンおよび色素沈着の群から選択される口腔の少なくとも一部分に放射線を送り出すように構成されている請求項６０に記載の装置。
【請求項６２】
前記装置がさらに複数の剛毛を含む請求項５２に記載の装置。
【請求項６３】
前記剛毛が少なくとも１個の波長範囲内において光治療用の放射線に対して実質的に透明である請求項６２に記載の装置。
【請求項６４】
前記剛毛が前記発生装置に結合していて当該発生装置からの放射線を受容して伝播する請求項６２に記載の装置。
【請求項６５】
前記装置がさらに放射線を拡散するための一定の散乱剤を含む請求項６２に記載の装置。
【請求項６６】
前記剛毛が一定の反射性の材料により少なくとも部分的に被覆されている請求項６２に記載の装置。
【請求項６７】
前記剛毛が光の分散を調整するように形付けられている請求項６２に記載の装置。
【請求項６８】
前記剛毛が円錐、テーパー状、湾曲状および螺旋の形状の群から選択される少なくとも１個の形状を有している請求項６７に記載の装置。
【請求項６９】
前記剛毛が放射線を伝達するように形付けられている請求項６２に記載の装置。
【請求項７０】
前記剛毛が円錐、テーパー状、湾曲状および螺旋の形状の群から選択される少なくとも１個の形状を有している請求項６９に記載の装置。
【請求項７１】
前記剛毛がさらに蛍光、発光またはレージングの要素の群から選択される少なくとも１個の要素を含む請求項６２に記載の装置。
【請求項７２】
前記剛毛が一定のブラシ・ヘッドの中に組み込まれており、このブラシ・ヘッドが取り外し可能であり置換可能である請求項６２に記載の装置。
【請求項７３】
前記剛毛が光学的に透過性であり、放射線を受容して伝達するために放射線発生装置に結合している請求項６２に記載の装置。
【請求項７４】
前記光学的に透過性の剛毛の光屈折特性が当該剛毛と歯または口腔の一定の表面との間の接触が無い場合にその口腔に対する光の伝達を妨げるように選択されている請求項７２に記載の装置。
【請求項７５】
前記装置がさらに移動センサーおよび当該移動センサーからの信号に基づいて前記放射線発生装置を制御するコントローラを含む請求項５２に記載の装置。
【請求項７６】
前記装置がさらに接触センサーおよび当該接触センサーからの信号に基づいて前記放射線発生装置を制御するコントローラを含む請求項５２に記載の装置。
【請求項７７】
前記装置がさらに診断センサーおよび当該診断センサーからの信号に基づいて前記放射線発生装置を制御するコントローラを含む請求項５２に記載の装置。
【請求項７８】
前記装置がさらに前記発生装置から熱を引き出すための少なくとも１個の熱伝導性の要素を含む請求項５２に記載の装置。
【請求項７９】
前記熱伝導性の要素が流体の熱転移媒体を含む請求項７８に記載の装置。
【請求項８０】
前記装置がさらにヒート・シンクとして作用するハンドルを含む請求項７８に記載の装置。
【請求項８１】
前記熱伝導性の要素が一定の相変化性の材料である請求項７８に記載の装置。
【請求項８２】
前記装置がさらに当該装置からの廃熱により前記口腔の一部分を加熱するための熱転移要素を含む請求項７８に記載の装置。
【請求項８３】
前記装置がさらに前記口腔に対して拡散した放射線を配給するために前記放射線発生要素に光学的に結合している光拡散装置を含む請求項５２に記載の装置。
【請求項８４】
前記拡散装置が部分的にエッチングされているクラッドを伴う光学的に透過性の要素を含む請求項８３に記載の装置。
【請求項８５】
前記本体部分が使用者の口の中に少なくとも部分的に適合するように寸法付けられて形付けされていて、その口腔の少なくとも一部分の形状に一致することに適合している請求項５２に記載の装置。
【請求項８６】
前記本体部分が前記口腔の一部分に対する一致を容易にするために順応性である請求項８５に記載の装置。
【請求項８７】
前記装置がさらに光治療中に使用者の歯と歯肉との間に位置決めするために適合しているマウスピースの形態の本体部分を含む請求項８５に記載の装置。
【請求項８８】
前記装置がさらに光治療中に使用者の舌の少なくとも一部分を被覆する一定の位置における配置のために適合している本体部分を含む請求項８５に記載の装置。
【請求項８９】
前記本体部分が前記口腔の一部分に対する一致を容易にするために順応性である請求項８８に記載の装置。
【請求項９０】
前記装置がさらに光治療中に使用者の歯と歯肉との間に位置決めするために適合しているマウスピースの形態の本体部分を含む請求項８８に記載の装置。
【請求項９１】
前記装置がさらに光治療中に使用者の舌の少なくとも一部分を被覆する一定の位置における配置のために適合している本体部分を含む請求項８８に記載の装置。
【請求項９２】
前記装置がさらに光治療中に前記口腔に対する一定の固定した位置における配置のために適合している本体部分を含む請求項８８に記載の装置。
【請求項９３】
前記装置が、当該アプリケータの口の中への配置時に、前記発生装置からの放射線がその口腔の粘膜の内層に進入して顔面組織の一定の領域に光治療用のエネルギーを配給できるように、構成されている請求項８８に記載の装置。
【請求項９４】
前記装置がさらに一定の標的組織部位に音響エネルギーを配給するための超音波発生装置を含む請求項８８に記載の装置。
【請求項９５】
前記装置がさらに一定の標的組織部位に断続的な圧力を供給するための振動要素を含む請求項８８に記載の装置。
【請求項９６】
前記装置がさらに薬物配給用のポートを含む請求項８８に記載の装置。
【請求項９７】
前記装置がさらに一定の標的組織部位に対して光治療用の放射線を向け直すためのエネルギー反射装置を含む請求項８８に記載の装置。
【請求項９８】
使用者の口の中に少なくとも部分的に適合するように寸法付けられて形付けされている本体部分と、
光治療用の放射線により前記口腔の一部分を照射するために前記本体部分に結合している少なくとも１個の放射線発生装置と、を備えており、この発生装置が顔面の一定の領域に放射線を配給することができる口腔光治療用アプリケータ。
【請求項９９】
前記発生装置がさらに少なくとも２個の分離しているスペクトル帯域内の波長成分を有する放射線の供給源を含む請求項９８に記載の装置。
【請求項１００】
前記発生装置がさらに異なるスペクトル帯域の放射線を発生する少なくとも２個の放射線の供給源を含む請求項９８に記載の装置。
【請求項１０１】
前記発生装置がさらに発光ダイオード、超発光ダイオード、レーザー・ダイオード、垂直キャビティ面型発光レーザー、ファイバー・レーザー、蛍光固体素子供給源、およびランプの群から選択される放射線供給源を含む請求項９８に記載の装置。
【請求項１０２】
前記装置がさらに光治療において使用するための放射線のスペクトル帯域を選択するための光学フィルターを含む請求項９８に記載の装置。
【請求項１０３】
前記装置がさらに光治療において使用するための放射線の複数のスペクトル帯域を選択するための複数の光学フィルターを含む請求項９８に記載の装置。
【請求項１０４】
前記装置がさらに異なる方向に放射線を送り出すための光学要素を含む請求項９８に記載の装置。
【請求項１０５】
前記装置が歯、頬、舌、口蓋、喉および顔面組織、リンパ組織、血液、腺、小胞、コラーゲンおよび色素沈着の群から選択される口腔の少なくとも一部分に放射線を送り出すように構成されている請求項１０４に記載の装置。
【請求項１０６】
前記装置が、当該アプリケータの口の中への配置時に、前記発生装置からの放射線がその口腔の粘膜の内層に進入して顔面組織の一定の領域に光治療用のエネルギーを配給できるように、構成されている請求項９８に記載の装置。
【請求項１０７】
前記装置がさらに複数の剛毛を含む請求項９８に記載の装置。
【請求項１０８】
前記剛毛が少なくとも１個の波長範囲内において光治療用の放射線に対して実質的に透明である請求項１０７に記載の装置。
【請求項１０９】
前記剛毛が前記発生装置に結合していて当該発生装置からの放射線を受容して伝播する請求項１０７に記載の装置。
【請求項１１０】
前記装置がさらに放射線を拡散するための一定の散乱剤を含む請求項１０７に記載の装置。
【請求項１１１】
前記剛毛が一定の反射性の材料により少なくとも部分的に被覆されている請求項１０７に記載の装置。
【請求項１１２】
前記剛毛が円錐、テーパー状、湾曲状および螺旋の形状の群から選択される少なくとも１個の形状を有している請求項１０７に記載の装置。
【請求項１１３】
前記剛毛が当該剛毛と前記口腔の一部分との間における接触時に放射線を伝達するように形付けられている請求項１０７に記載の装置。
【請求項１１４】
前記剛毛がさらに蛍光、発光またはレージングの要素の群から選択される少なくとも１個の要素を含む請求項１０７に記載の装置。
【請求項１１５】
前記剛毛が一定のブラシ・ヘッドの中に組み込まれており、このブラシ・ヘッドが取り外し可能であり置換可能である請求項１０７に記載の装置。
【請求項１１６】
前記剛毛が光学的に透過性であり、放射線を受容して伝達するために放射線発生装置に結合している請求項１０７に記載の装置。
【請求項１１７】
前記光学的に透過性の剛毛の光屈折特性が当該剛毛と歯または口腔の一定の表面との間の接触が無い場合にその口腔に対する光の伝達を妨げるように選択されている請求項１１６に記載の装置。
【請求項１１８】
前記装置がさらに移動センサーおよび当該移動センサーからの信号に基づいて前記放射線発生装置を制御するコントローラを含む請求項９８に記載の装置。
【請求項１１９】
前記装置がさらに接触センサーおよび当該接触センサーからの信号に基づいて前記放射線発生装置を制御するコントローラを含む請求項９８に記載の装置。
【請求項１２０】
前記装置がさらに診断センサーおよび当該診断センサーからの信号に基づいて前記放射線発生装置を制御するコントローラを含む請求項９８に記載の装置。
【請求項１２１】
前記装置がさらに前記発生装置から熱を引き出すための少なくとも１個の熱伝導性の要素を含む請求項９８に記載の装置。
【請求項１２２】
前記熱伝導性の要素が流体の熱転移媒体を含む請求項１２１に記載の装置。
【請求項１２３】
前記装置がさらにヒート・シンクとして作用するハンドルを含む請求項１２１に記載の装置。
【請求項１２４】
前記熱伝導性の要素が一定の相変化性の材料である請求項１２１に記載の装置。
【請求項１２５】
前記装置がさらに当該装置からの廃熱により前記口腔の一部分を加熱するための熱転移要素を含む請求項１２１に記載の装置。
【請求項１２６】
前記装置がさらに前記口腔に対して拡散した放射線を配給するために前記放射線発生要素に光学的に結合している光拡散装置を含む請求項９８に記載の装置。
【請求項１２７】
前記拡散装置が部分的にエッチングされているクラッドを伴う光学的に透過性の要素を含む請求項１２６に記載の装置。
【請求項１２８】
前記本体部分が使用者の口の中に少なくとも部分的に適合するように寸法付けられて形付けされていて、その口腔の少なくとも一部分の形状に一致することに適合している請求項９８に記載の装置。
【請求項１２９】
前記本体部分が前記口腔の一部分に対する一致を容易にするために順応性である請求項１２８に記載の装置。
【請求項１３０】
前記装置がさらに光治療中に使用者の歯と歯肉との間に位置決めするために適合しているマウスピースの形態の本体部分を含む請求項１２８に記載の装置。
【請求項１３１】
前記装置がさらに光治療中に使用者の舌の少なくとも一部分を被覆する一定の位置における配置のために適合している本体部分を含む請求項１２８に記載の装置。
【請求項１３２】
前記装置がさらに光治療中に前記口腔に対する一定の固定した位置における配置のために適合している本体部分を含む請求項９８に記載の装置。
【請求項１３３】
前記装置がさらに一定の標的組織部位に音響エネルギーを配給するための超音波発生装置を含む請求項９８に記載の装置。
【請求項１３４】
前記装置がさらに一定の標的組織部位に断続的な圧力を供給するための振動要素を含む請求項９８に記載の装置。
【請求項１３５】
前記装置がさらに薬物配給用のポートを含む請求項９８に記載の装置。
【請求項１３６】
前記装置がさらに一定の標的組織部位に対して光治療用の放射線を向け直すためのエネルギー反射装置を含む請求項９８に記載の装置。
【請求項１３７】
使用者の口の中に少なくとも部分的に適合するように寸法付けられて形付けされている本体部分と、
複数の方向に沿って光治療用の放射線により前記口腔の一定の部分を照射するために前記本体部分に結合している少なくとも１個の放射線発生要素と、を備えている口腔光治療用アプリケータ。
【請求項１３８】
前記装置がさらに異なる方向に光を発生する複数の放射線発生要素を含む請求項１３７に記載の装置。
【請求項１３９】
前記装置がさらに異なる方向に放射線を送り出すための光学要素を含む請求項１３７に記載の装置。
【請求項１４０】
前記装置が歯、頬、舌、口蓋、喉および顔面組織、リンパ組織、血液、腺、小胞、コラーゲンおよび色素沈着の群から選択される口腔の少なくとも一部分に放射線を送り出すように構成されている請求項１３７に記載の装置。
【請求項１４１】
前記発生装置が異なる方向に伝達される放射線の少なくとも２個の供給源を含む請求項１３７に記載の装置。
【請求項１４２】
前記発生装置がさらに少なくとも２個の分離しているスペクトル帯域内の波長成分を有する放射線の供給源を含む請求項１３７に記載の装置。
【請求項１４３】
前記発生装置がさらに異なるスペクトル帯域の放射線を発生する少なくとも２個の放射線の供給源を含む請求項１３７に記載の装置。
【請求項１４４】
前記装置がさらに波長、出力、パルス幅および治療時間の群から選択される前記口腔の照射のための少なくとも１個のパラメータを調整するためのコントローラを備えている請求項１３７に記載の装置。
【請求項１４５】
前記発生装置がさらに発光ダイオード、超発光ダイオード、レーザー・ダイオード、垂直キャビティ面型発光レーザー、ファイバー・レーザー、蛍光固体素子供給源、およびランプの群から選択される少なくとも１個の放射線供給源を含む請求項１３７に記載の装置。
【請求項１４６】
前記装置がさらに複数の剛毛を含む請求項１３７に記載の装置。
【請求項１４７】
前記剛毛が少なくとも１個の波長範囲内において光治療用の放射線に対して実質的に透明である請求項１４６に記載の装置。
【請求項１４８】
前記剛毛が前記発生装置に結合していて当該発生装置からの放射線を受容して伝播する請求項１４６に記載の装置。
【請求項１４９】
前記剛毛が一定の反射性の材料により少なくとも部分的に被覆されている請求項１４６に記載の装置。
【請求項１５０】
前記剛毛が円錐、テーパー状、湾曲状および螺旋の形状の群から選択される少なくとも１個の形状を有している請求項１４６に記載の装置。
【請求項１５１】
前記剛毛が当該剛毛と前記口腔の一部分との間における接触時に放射線を伝達するように形付けられている請求項１４６に記載の装置。
【請求項１５２】
前記剛毛がさらに蛍光、発光またはレージングの要素の内の１個以上を含む請求項１４６に記載の装置。
【請求項１５３】
前記剛毛が一定のブラシ・ヘッドの中に組み込まれており、このブラシ・ヘッドが取り外し可能であり置換可能である請求項１４６に記載の装置。
【請求項１５４】
前記剛毛が光学的に透過性であり、放射線を受容して伝達するために放射線発生装置に結合している請求項１４６に記載の装置。
【請求項１５５】
前記装置がさらに複数の剛毛を含み、前記発生要素からの放射線の少なくとも一部分がこれらの剛毛に対して平行でない一定の方向に発生される請求項１３７に記載の装置。
【請求項１５６】
前記光学的に透過性の剛毛の光屈折特性が当該剛毛と歯または口腔の一定の表面との間の接触が無い場合にその口腔に対する光の伝達を妨げるように選択されている請求項１３７に記載の装置。
【請求項１５７】
前記装置がさらに移動センサーおよび当該移動センサーからの信号に基づいて前記放射線発生装置を制御するコントローラを含む請求項１３７に記載の装置。
【請求項１５８】
前記装置がさらに接触センサーおよび当該接触センサーからの信号に基づいて前記放射線発生装置を制御するコントローラを含む請求項１３７に記載の装置。
【請求項１５９】
前記装置がさらに診断センサーおよび当該診断センサーからの信号に基づいて前記放射線発生装置を制御するコントローラを含む請求項１３７に記載の装置。
【請求項１６０】
前記装置がさらに前記発生装置から熱を引き出すための少なくとも１個の熱伝導性の要素を含む請求項１３７に記載の装置。
【請求項１６１】
前記熱伝導性の要素が流体の熱転移媒体を含む請求項１６０に記載の装置。
【請求項１６２】
前記装置がさらにヒート・シンクとして作用するハンドルを含む請求項１６０に記載の装置。
【請求項１６３】
前記熱伝導性の要素が一定の相変化性の材料である請求項１６０に記載の装置。
【請求項１６４】
前記装置がさらに当該装置からの廃熱により前記口腔の一部分を加熱するための熱転移要素を含む請求項１６０に記載の装置。
【請求項１６５】
前記装置がさらに前記口腔に対して拡散した放射線を配給するために前記放射線発生要素に光学的に結合している光拡散装置を含む請求項１３７に記載の装置。
【請求項１６６】
前記拡散装置が部分的にエッチングされているクラッドを伴う光学的に透過性の要素を含む請求項１６５に記載の装置。
【請求項１６７】
前記本体部分が使用者の口の中に少なくとも部分的に適合するように寸法付けられて形付けされていて、その口腔の少なくとも一部分の形状に一致することに適合している請求項１３７に記載の装置。
【請求項１６８】
前記本体部分が前記口腔の一部分に対する一致を容易にするために順応性である請求項１６７に記載の装置。
【請求項１６９】
前記装置がさらに光治療中に少なくとも使用者の歯と歯肉との間に位置決めするために適合しているマウスピースの形態の本体部分を含む請求項１６７に記載の装置。
【請求項１７０】
前記装置がさらに光治療中に使用者の唇の少なくとも一部分を被覆する一定の位置における配置のために適合している本体部分を含む請求項１６７に記載の装置。
【請求項１７１】
前記装置がさらに光治療中に前記口腔に対する一定の固定した位置における配置のために適合している本体部分を含む請求項１３７に記載の装置。
【請求項１７２】
前記装置が、当該アプリケータの口の中への配置時に、前記発生装置からの放射線がその口腔の粘膜の内層に進入して顔面組織の一定の領域に光治療用のエネルギーを配給できるように、構成されている請求項１３７に記載の装置。
【請求項１７３】
前記装置がさらに一定の標的組織部位に音響エネルギーを配給するための超音波発生装置を含む請求項１３７に記載の装置。
【請求項１７４】
前記装置がさらに一定の標的組織部位に断続的な圧力を供給するための振動要素を含む請求項１３７に記載の装置。
【請求項１７５】
前記装置がさらに薬物配給用のポートを含む請求項１３７に記載の装置。
【請求項１７６】
前記装置がさらに一定の標的組織部位に対して光治療用の放射線を向け直すためのエネルギー反射装置を含む請求項１３７に記載の装置。
【請求項１７７】
使用者の口の中に少なくとも部分的に適合するように寸法付けられて形付けされている本体部分と、
長手軸を有する細長い形状の複数の剛毛と、を備えており、これら剛毛が前記本体部分に結合していて使用者の歯をブラッシングすることに適合しており、さらに
前記剛毛に接触している組織以外の口腔の一定の部分を光治療用の放射線により照射するために前記本体部分に結合している少なくとも１個の放射線発生装置、を備えている口腔光治療用アプリケータ。
【請求項１７８】
前記装置がさらに異なる方向に光を発生する複数の放射線発生要素を含む請求項１７７に記載の装置。
【請求項１７９】
前記装置がさらに前記剛毛に接触している組織の一定の領域および当該装置に接触していない口腔の一定の部分の両方を照射する発生装置を含む請求項１７７に記載の装置。
【請求項１８０】
前記装置がさらに前記剛毛に接触している歯の組織およびその歯の組織の周囲の歯肉組織に照射する少なくとも１個の発生装置を含む請求項１７７に記載の装置。
【請求項１８１】
前記発生装置がさらに少なくとも２個の分離しているスペクトル帯域内の波長成分を有する放射線の供給源を含む請求項１７７に記載の装置。
【請求項１８２】
前記発生装置がさらに異なるスペクトル帯域の放射線を発生する少なくとも２個の放射線の供給源を含む請求項１７７に記載の装置。
【請求項１８３】
前記装置がさらに発光ダイオード、超発光ダイオード、レーザー・ダイオード、垂直キャビティ面型発光レーザー、ファイバー・レーザー、蛍光固体素子供給源、およびランプの群から選択される少なくとも１個の放射線供給源を含む請求項１７７に記載の装置。
【請求項１８４】
前記装置がさらに前記口腔に対して拡散した放射線を配給するために前記放射線発生要素に光学的に結合している光拡散装置を含む請求項１７７に記載の装置。
【請求項１８５】
前記拡散装置が部分的にエッチングされているクラッドを伴う光学的に透過性の要素を含む請求項１８４に記載の装置。
【請求項１８６】
前記装置がさらに複数の光学的に透過性の剛毛を含む請求項１７７に記載の装置。
【請求項１８７】
前記剛毛が放射線発生要素に光学的に結合している請求項１８６に記載の装置。
【請求項１８８】
前記剛毛が前記発生要素に結合していて当該発生要素からの放射線を受容して伝播する請求項１８６に記載の装置。
【請求項１８９】
前記剛毛が一定の反射性の材料により少なくとも部分的に被覆されている請求項１８６に記載の装置。
【請求項１９０】
前記剛毛が円錐、テーパー状、湾曲状および螺旋の形状の群から選択される少なくとも１個の形状を有している請求項１８６に記載の装置。
【請求項１９１】
前記剛毛が当該剛毛と前記口腔の一部分との間における接触時に放射線を伝達するように形付けられている請求項１８６に記載の装置。
【請求項１９２】
前記剛毛がさらに１個以上の蛍光、発光またはレージングの要素を含む請求項１８６に記載の装置。
【請求項１９３】
前記剛毛が一定のブラシ・ヘッドの中に組み込まれており、このブラシ・ヘッドが取り外し可能であり置換可能である請求項１８６に記載の装置。
【請求項１９４】
前記剛毛が光学的に透過性であり、放射線を受容して伝達するために放射線発生装置に結合している請求項１８６に記載の装置。
【請求項１９５】
前記装置がさらに複数の剛毛を含み、前記発生要素からの放射線の少なくとも一部分がこれらの剛毛に対して平行でない一定の方向に発生される請求項１７７に記載の装置。
【請求項１９６】
前記光学的に透過性の剛毛の光屈折特性が当該剛毛と歯または口腔の一定の表面との間の接触が無い場合にその口腔に対する光の伝達を妨げるように選択されている請求項１９５に記載の装置。
【請求項１９７】
前記装置がさらに移動センサーおよび当該移動センサーからの信号に基づいて前記放射線発生装置を制御するコントローラを含む請求項１７７に記載の装置。
【請求項１９８】
前記装置がさらに接触センサーおよび当該接触センサーからの信号に基づいて前記放射線発生装置を制御するコントローラを含む請求項１７７に記載の装置。
【請求項１９９】
前記装置がさらに診断センサーおよび当該診断センサーからの信号に基づいて前記放射線発生装置を制御するコントローラを含む請求項１７７に記載の装置。
【請求項２００】
前記装置がさらに前記発生装置から熱を引き出すための少なくとも１個の熱伝導性の要素を含む請求項１７７に記載の装置。
【請求項２０１】
前記熱伝導性の要素が流体の熱転移媒体を含む請求項２００に記載の装置。
【請求項２０２】
前記装置がさらにヒート・シンクとして作用するハンドルを含む請求項２００に記載の装置。
【請求項２０３】
前記熱伝導性の要素が一定の相変化性の材料を含む請求項２００に記載の装置。
【請求項２０４】
前記装置がさらに当該装置からの廃熱により前記口腔の一部分を加熱するための熱転移要素を含む請求項２００に記載の装置。
【請求項２０５】
前記装置が、当該アプリケータの口の中への配置時に、前記発生装置からの放射線がその口腔の粘膜の内層に進入して顔面組織の一定の領域に光治療用のエネルギーを配給できるように、構成されている請求項１７７に記載の装置。
【請求項２０６】
前記装置が歯、頬、舌、口蓋、喉および顔面組織、リンパ組織、血液、腺、小胞、コラーゲンおよび色素沈着の群から選択される口腔の少なくとも一部分に放射線を送り出すように構成されている請求項１７７に記載の装置。
【請求項２０７】
前記装置がさらに一定の標的組織部位に音響エネルギーを配給するための超音波発生装置を含む請求項１７７に記載の装置。
【請求項２０８】
前記装置がさらに一定の標的組織部位に断続的な圧力を供給するための振動要素を含む請求項１７７に記載の装置。
【請求項２０９】
前記装置がさらに薬物配給用のポートを含む請求項１７７に記載の装置。
【請求項２１０】
前記装置がさらに一定の標的組織部位に対して光治療用の放射線を向け直すためのエネルギー反射装置を含む請求項１７７に記載の装置。
【請求項２１１】
所望の生体刺激作用を生じるために少なくとも１個の選択した波長成分を有する放射線により被験者の口腔の少なくとも一部分を照射する処理を含む生体刺激の方法。
【請求項２１２】
前記照射工程が前記放射線に対して前記被験者の口腔の中の軟質組織を曝露する処理を含む請求項２１１に記載の方法。
【請求項２１３】
前記照射工程が前記放射線に対して顔面組織を曝露する処理を含む請求項２１１に記載の方法。
【請求項２１４】
さらに、前記部分に対して一定の選択された合計の放射線の線量を投与するために前記放射線を多数の治療期間中に前記口腔の部分に供給する処理を含む請求項２１１に記載の方法。
【請求項２１５】
さらに、前記治療期間のそれぞれにおいて投与される放射線の出力が約１０Ｗよりも低くなるように選択する処理を含む請求項２１１に記載の方法。
【請求項２１６】
さらに、前記治療期間のそれぞれの持続時間が約１０秒乃至約１０００秒の範囲内になるように選択する処理を含む請求項２１４に記載の方法。
【請求項２１７】
前記生体刺激作用が前記照射した部分の中の増加した血液およびリンパの微小循環、歯髄および歯肉の中の血液の微小循環の活性化、高められた局所的なマクロファージの活性、増加した線維芽細胞、骨芽細胞およびぞうげ芽細胞の増殖、口腔内のバクテリア、真菌、およびウイルスの少なくとも１種類の殺菌、口腔のｐＨ値の正常化、被験者の血液の微小循環系の中のウイルスの殺菌、選択した代謝血液成分の光誘発型の破壊、歯肉の出血の減少、歯の知覚過敏症の低下、歯および喉の中の痛みの減少、歯周および骨の再生、移植、歯冠および充填用の接合部分の改善、エナメル質の再鉱物質化、カリエスの予防、根管の滅菌、口内炎の予防および歯周病の予防および治癒のいずれかを生じる請求項２１１に記載の方法。
【請求項２１８】
前記生体刺激作用が口腔の粘膜の炎症の病気、舌の病気、唾液腺および小舌下管の炎症からの回復、および口腔組織内の痛みの減少、咽喉炎、アンギナ、急性または慢性の扁桃炎、静脈洞炎の回復、声帯の炎症の回復および口腔から接近可能な組織の癌の予防の内の少なくとも一つの予防および改善を含む請求項２１１に記載の方法。
【請求項２１９】
さらに、口腔の中に配置するために寸法付けられて形付けされていてその口腔を照射するための放射線供給源を含む口腔アプリケータを利用している請求項２１１に記載の方法。
【請求項２２０】
前記照射工程が一定の皮膚科学的な治療を行なうために顔面の皮膚の下に一定の線量の放射線を蓄積するために被験者の口腔の一定の領域に対して選択された波長帯域を有する放射線を送り出す処理を含む請求項２１１に記載の方法。
【請求項２２１】
前記皮膚科学的な処理が顔面の小胞の治療、表皮、脈管、こぶ、筋肉、皮下脂肪、コラーゲン、アクネ症の改善、毛髪の管理、しわの減少、皮膚組織の改善、皮膚の弾力の改善、脂性の改善、皮膚のはり、唇の組織および弾性の改善、唇の病気の治療、口周囲の頬および唇の脈管の改善および口周囲の皮膚炎の治療のいずれかを含む請求項２２０に記載の方法。
【請求項２２２】
前記照射工程が前記皮膚科学的な治療を行なうために十分に顔面の皮膚の下に一定の線量の放射線を蓄積するための多数回の治療期間にわたり前記口腔の領域に対して放射線を送り出す処理を含む請求項２２１に記載の方法。
【請求項２２３】
さらに、前記治療期間のそれぞれにおいて投与される放射線の出力が約１０Ｗよりも低くなるように選択する処理を含む請求項２２２に記載の方法。
【請求項２２４】
さらに、前記口腔の中の照射した歯が前記放射線をその歯の歯髄、歯根および根尖のいずれかに実質的に案内するように前記波長成分を選択する処理を含む請求項２１１に記載の方法。
【請求項２２５】
さらに、粘膜の内層の下方の一定の深さにおける制御された口腔組織の加熱を生じるために約０．３８乃至約０．６ミクロンの範囲内になるように前記波長成分を選択する処理を含む請求項２１１に記載の方法。
【請求項２２６】
さらに、粘膜の内層の下方の一定の深さにおける制御された口腔組織の加熱を生じるために約０．８ミクロン乃至約１００ミクロンの範囲内になるように前記波長成分を選択する処理を含む請求項２１１に記載の方法。
【請求項２２７】
さらに、顔面組織を治療するために約０．６ミクロン乃至約１．３ミクロンの範囲内になるように前記波長成分を選択する処理を含む請求項２１１に記載の方法。
【請求項２２８】
前記照射工程が、被験者の概日周期中の第１の選択された時間において第１の帯域幅の中の波長成分を有する放射線によりその被験者の口腔の少なくとも一部分を照射する工程と、
前記被験者の概日周期中の第２の選択された時間において第２の帯域幅の中の波長成分を有する放射線によりその被験者の口腔の少なくとも一部分を照射する工程と、を含む請求項２１１に記載の方法。
【請求項２２９】
さらに、治療の結果をモニターするために前記照射した部分からの診断用の信号を検出する処理を含む請求項２１１に記載の方法。
【請求項２３０】
口腔の血管の中に流れる血液を照射するために選択された波長成分を有する放射線に対して被験者の口腔の少なくとも一部分を曝露する処理を含む被験者の血液を治療する方法。
【請求項２３１】
さらに、前記口腔を照射するために１個以上の放射線供給源を含む口腔アプリケータを利用する処理を含む請求項２３０に記載の方法。
【請求項２３２】
前記波長成分が約２８０ｎｍ乃至約１．８ミクロンの範囲内になるように選択する処理を含む請求項２３０に記載の方法。
【請求項２３３】
前記放射線が約２８０ｎｍ乃至約４００ｎｍの範囲内になるように選択する処理を含む請求項２３０に記載の方法。
【請求項２３４】
前記放射線が約３００ｎｍ乃至約３２０ｎｍの範囲内になるように選択する処理を含む請求項２３０に記載の方法。
【請求項２３５】
さらに、約１ｍＷ乃至約１０Ｗの範囲内の放射線の出力がそれぞれの治療期間中に前記口腔に投与されるように分離している治療期間中に前記放射線により口腔を照射する処理を含む請求項２３０に記載の方法。
【請求項２３６】
前記放射線の出力が約１ｍＷ乃至約１Ｗの範囲内である請求項２３５に記載の方法。
【請求項２３７】
さらに、１回以上の治療周期にわたり前記放射線に対して実質的に全体の量の被験者の血液を曝露するために十分に長い時間にわたりその被験者の口腔を照射する処理を含む請求項２３０に記載の方法。
【請求項２３８】
前記放射線が血液中の病原体の殺菌を生じる請求項２３０に記載の方法。
【請求項２３９】
前記病原体がバクテリアおよびウイルスのいずれかである請求項２３８に記載の方法。
【請求項２４０】
さらに、被験者の循環系の中に光力学的な物質を導入する処理およびその物質を活性化するための前記波長成分の１個以上を選択する処理を含む請求項２３０に記載の方法。
【請求項２４１】
被験者の口腔の少なくとも一部分に生体適合性の化合物を供給する処理と、
少なくとも１個の選択した波長成分を有する放射線により前記口腔の部分を照射する処理と、を含み
前記化合物が前記口腔の部分に対する前記放射線の光学的な結合を高めるために適している屈折率を前記波長成分において有する生体刺激の方法。
【請求項２４２】
前記化合物が前記光学的な結合をさらに高めるために適している透明性を前記波長成分において有する請求項２４１に記載の生体刺激の方法。
【請求項２４３】
前記化合物が前記光学的な結合をさらに高めるために適している浸透性を前記口腔組織の部分の中において有する請求項２４１に記載の方法。
【請求項２４４】
前記波長成分が約２８０ｎｍ乃至約２．７ミクロンの範囲内である請求項２４１に記載の方法。
【請求項２４５】
前記屈折率が約１．３乃至約１．８の範囲内である請求項２４１に記載の方法。
【請求項２４６】
さらに、約１０ｋＤａ乃至約１０００ｋＤａの範囲内の分子量を有するように前記化合物を選択する処理を含む請求項２４１に記載の方法。
【請求項２４７】
前記化合物が前記放射線に対する曝露に応じて蛍光を発する請求項２４１に記載の方法。
【請求項２４８】
前記化合物が液体である請求項２４１に記載の方法。
【請求項２４９】
前記化合物がゲルである請求項２４１に記載の方法。
【請求項２５０】
患者の口腔の一定の領域を照射する処理と、
前記照射した領域の少なくとも一部分に薬物を投与する処理と、を含む一定の患者に一定の薬物を投与する方法。
【請求項２５１】
前記照射工程が前記口腔の脈管の中への薬物の浸透を高める請求項２５０に記載の方法。
【請求項２５２】
前記照射工程が前記投与した薬物を活性化する請求項２５０に記載の方法。
【請求項２５３】
前記投与工程が前記口腔の組織の中に前記薬物を注入する処理を含む請求項２５０に記載の方法。
【請求項２５４】
前記投与工程が前記口腔の粘膜に接触して前記薬物を配置する処理を含む請求項２５０に記載の方法。
【請求項２５５】
口腔の中から顔面組織の少なくとも一部分を照射する処理、を含む顔面組織を治療する方法。
【請求項２５６】
口腔の中の組織を照射する処理、を含む皮膚の外観を改善する方法。
【請求項２５７】
アクネ症の治療、しわの減少、皮膚組織の改善、皮膚の弾力および皮膚のはりの改善の内の少なくとも一つを含む皮膚の外観を改善する請求項２５６に記載の方法。
【請求項２５８】
口腔の一部分に無毒性の発色団を供給する処理と、
一定の期間中に前記発色団に対して低い線量の放射線を配給する処理と、を含み、この放射線が前記無毒性の発色団の吸収帯域内の一定の波長を有しており、前記線量が前記発色団が通常に反応する出力密度よりも低く、さらに
前記発色団が活性化するまで後続の期間において放射線を供給する工程を繰り返す処理を含む歯の治療方法。
【請求項２５９】
前記発色団が歯の白色化剤である請求項２５８に記載の方法。
【請求項２６０】
前記発色団が抗菌剤である請求項２５８に記載の方法。
【請求項２６１】
前記発色団を供給する工程がさらに少なくとも１本の歯に皮膜を供給する処理を含み、この皮膜が前記発色団のための一定のキャリヤとして作用する請求項２５８に記載の方法。
【請求項２６２】
前記一定の期間中に発色団に供給される放射線の出力密度が約１ｍＷ乃至約１０Ｗの範囲である請求項２５８に記載の方法。
【請求項２６３】
前記一定の期間中に発色団に供給される放射線の出力密度が約１０ｍＷ乃至約１Ｗの範囲である請求項２５８に記載の方法。
【請求項２６４】
前記一定の期間中に発色団に供給される放射線の波長が約２８０ナノメートル乃至約１４０００００ナノメートルの範囲である請求項２５８に記載の方法。
【請求項２６５】
前記一定の期間中に発色団に供給される放射線の波長が約３００ナノメートル乃至約１３００ナノメートルの範囲である請求項２５８に記載の方法。
【請求項２６６】
前記一定の期間中に発色団に供給される放射線の波長が約４００ナノメートル乃至約９００ナノメートルの範囲である請求項２５８に記載の方法。
【請求項２６７】
前記方法がさらに前記口腔の一部分に第２の発色団を供給した後にその第２の発色団の吸収帯域に対応する波長帯域においてその第２の発色団に第２の線量の光放射線を配給する処理を含む請求項２５８に記載の方法。
【請求項２６８】
前記発色団に対応する線量の放射線が実質的に同時に配給される請求項２６７に記載の方法。
【請求項２６９】
さらに、それぞれの発色団が前記放射線の一部分を吸収するように前記２種類の発色団の吸収帯域の中の波長成分を有する放射線により前記口腔を照射する処理を含む請求項２６７に記載の方法。
【請求項２７０】
前記方法がさらに前記第２の発色団の吸収帯域に対応する波長帯域においてその第２の発色団に対して第２の線量の光放射線を配給する処理を含む請求項２５８に記載の方法。
【請求項２７１】
前記第２の発色団が外因性の発色団である請求項２７０に記載の方法。
【請求項２７２】
前記第２の発色団が内因性の発色団である請求項２７０に記載の方法。
【請求項２７３】
前記線量の放射線を配給する処理がそれぞれの発色団がその放射線の一部分を吸収するようにそれぞれの発色団の吸収帯域内の波長成分を有する放射線により前記口腔を照射する処理を含む請求項２７０に記載の方法。
【請求項２７４】
前記方法がさらに前記口腔の一定の標的領域を加熱する処理を含む請求項２５８に記載の方法。
【請求項２７５】
前記口腔の標的領域を加熱するために第２の帯域の光放射線が供給される請求項２５８に記載の方法。
【請求項２７６】
歯の中に存在している少なくとも１種類の発色団により吸収可能な１個以上の波長成分を有する光放射線によりその歯の一定の標的領域を直接的に光漂白する処理を、含む歯の少なくとも一部分を白色化する方法。
【請求項２７７】
前記発色団が一定の染色している残留物である請求項２７６に記載の方法。
【請求項２７８】
前記染色している残留物が歯の表面に存在している請求項２７７に記載の方法。
【請求項２７９】
前記染色している残留物が歯のぞうげ質の中に存在している請求項２７７に記載の方法。
【請求項２８０】
前記波長の帯域がワイン、コーヒー、タバコの煙の残留物およびこれらの組み合わせ物から成る群から選択される歯の染色物質のスペクトルに対応している請求項２７７に記載の方法。
【請求項２８１】
前記方法がさらに前記標的領域を加熱する処理を含む請求項２５８に記載の方法。
【請求項２８２】
前記加熱工程が加熱を行なうために前記標的領域に放射線を配給する処理をさらに含む請求項２８１に記載の方法。
【請求項２８３】
歯のしみまたは歯の構造により吸収されるスペクトル内の光放射線によりその歯の一定の標的領域を熱漂白する処理、を含む歯の少なくとも一部分を白色化および増白する方法。
【請求項２８４】
歯の一定の標的領域の中に存在している外因性または内因性の光感作剤により吸収されるスペクトル内の光放射線によりその歯の一定の標的領域を光漂白する処理、を含む歯の少なくとも一部分を白色化および増白する方法。
【請求項２８５】
前記内因性の光感作剤が酸素である請求項２８４に記載の方法。
【請求項２８６】
前記スペクトルが約５８０±２０ｎｍ、６３０±２０ｎｍ、７６０±２０ｎｍ、１０６０±２０ｎｍ、または１２６８±２０ｎｍのいずれかの範囲内である請求項２８３に記載の方法。
【請求項２８７】
前記発色団が有機性の分子を含む内因性の光感作剤である請求項２７６に記載の方法。
【請求項２８８】
前記波長成分が約２８０乃至７００ｎｍの範囲内である請求項２８７に記載の方法。
【請求項２８９】
歯の内部構造を光活性化してその構造を若返らせる処理、を含む歯の少なくとも一部分を白色化および増白する方法。
【請求項２９０】
前記光活性化の工程が前記歯の中における新しいぞうげ質の成長を生じる請求項２８９に記載の方法。
【請求項２９１】
前記光活性化の工程が前記歯のエナメル質／ぞうげ質の接合部分における改善を生じる請求項２８９に記載の方法。
【請求項２９２】
被験者の歯に供給するために適合している柔軟な薄い皮膜を備えており、この柔軟な薄い皮膜が
高分子の基質と、
前記高分子の基質の中に配置されている少なくとも１種類の発色団と、を含み、この発色団が歯の白色化を生じる選択された帯域幅の中の放射線に応じて活性化される、歯の白色化片。
【請求項２９３】
前記発色団が非過酸化物の白色化剤を含む請求項２９２に記載の歯の白色化片。
【請求項２９４】
前記皮膜が被験者の歯に接着できる請求項２９２に記載の歯の白色化片。
【請求項２９５】
前記基質がエチレン・オキシドにより形成されている請求項２９２に記載の歯の白色化片。
【請求項２９６】
前記白色化片が約２０ミクロン乃至約１５００ミクロンの範囲内の厚さを有している請求項２９２に記載の歯の白色化片。
【請求項２９７】
さらに、可塑剤を含む請求項２９２に記載の歯の白色化片。
【請求項２９８】
被験者の歯に適用するために適合している柔軟な支持体と、
前記支持体の少なくとも表面に配置されている発色団と、を備えており、この発色団が前記支持体の表面に接触している被験者の歯の白色化を生じるために選択された波長成分を有する放射線に応じて活性化できる、歯の白色化用の皮膜。
【請求項２９９】
歯のしみ、歯の構造またはその歯の一定の標的領域に供給される外因性の発色団のいずれかにより吸収可能なスペクトルを有する光放射線によりその歯の一定の標的領域を照射する処理と、
前記スペクトルまたは一定の異なるスペクトルにおいて前記歯から反射した放射線を利用することにより歯の色および反射率を診断する処理と、を含む歯の少なくとも一部分を白色化および増白する方法。
【発明の詳細な説明】
【発明の内容の開示】
【０００１】
優先権
本特許出願は「ライト・エミッティング・トゥースブラシ・アンド・メソッド・オブ・イッツ・アプリケーション・フォー・オーラル・バクテリア・リダクション・アンド・ペリオドンタル・デイジーズ・アンド・キャリーズ・リージョン・トリートメント・アンド・プリベンション（Light Emitting Toothbrush and Method of Its Application for Oral Bacteria Reduction and Periodontal Disease and Caries Lesion Treatment and Prevention）」を発明の名称とする２００３年２月１０日に出願されている米国仮特許出願第６０／４４６，３００号、「ライト・エミッティング・トゥースブラシ・アンド・メソッド・オブ・イッツ・アプリケーション・フォー・トゥース・ホワイトニング・アンド・ブライトニング（Light Emitting Toothbrush and Method of Its Application for Tooth Whitening and Brightening）」を発明の名称とする２００３年２月１０日に出願されている第６０／４４６，３４２号、「メソッド・アンド・アパレイタス・フォー・レジュビネーション・オブ・ハード・アンド・ソフト・オーラル・ティシュー・アンド・・ペリオーラル・フェイシャル・スキン・アンド・フォー・プリベンション・アンド・ヒーリング・オブ・デジージズ・ゼアオブ（Method and Apparatus for Rejuvenation of Hard and Soft Oral Tissue and Perioral Facial Skin and for Prevention and Healing of Diseases Thereof）」を発明の名称とする２００３年２月２１日に出願されている第６０／４４９，１８８号に対して優先権の恩典を主張しており、「メソッヅ・アンド・アパレイタス・フォー・パーフォーミング・フォトバイオステイミュレーション（Methods and Apparatus for Performing Photobiostimulation）」を発明の名称とする２００３年１０月７日に出願されている米国特許出願第１０／６８０，７０５号、および「メソッヅ・アンド・アパレイタス・フォー・コントローリング・ザ・テンパレイチャー・オブ・ア・サーフェイス（Methods and Apparatus for Controlling the Temperature of a Surface）」を発明の名称とする２００１年１１月２９日に出願されている第０９／９９６，６６２号の一部継続出願である「メソッヅ・アンド・アパレイタス・フォー・・デリバリング・ロー・パワー・オプティカル・トリートメント（Methods and Apparatus for Delivering Low Power Optical Treatments）」を発明の名称とする２００３年１１月４日に出願されている第１０／７０２，１０４号に対する一部継続出願として優先権を主張している。
【０００２】
発明の背景
本発明は発光式の歯ブラシおよび発光式のマウスピース等のような発光式の口腔器具を含む口腔を治療するための方法および装置に関連している。
【０００３】
口腔の中に見られる広範囲なバクテリアおよびその他の微生物が存在している。これらの微生物の存在は不健康な状況を示さないが、これらの微生物に対して手当てしなければ、口腔の病気および美顔的な劣化を含む種々の望ましくない影響を生じることになる。歯の変色、カリエスの形成、歯周炎および歯の損失は全て可能な結果である。
【０００４】
口腔のバクテリアはプラーク、歯および他の組織の表面におけるバクテリアの粘着質の無色の皮膜を形成し、これらのプラークを形成しているバクテリアは種々の毒素を形成する。経時的に、このプラークは別の種々の物質と混ざり合って硬化することにより粗い多孔質な堆積物である結石になる。さらに、最終的な結果として、歯肉の腫れ、出血、および歯肉線維の拡大により特徴づけられる歯肉の痛み（歯肉炎）が生じる。加えて、上記プラークおよび結石の成長はその歯肉の歯からの分離を生じて、その歯と歯肉との間にポケットを形成し、その中にバクテリアが増えることができるようになる。さらに、これらのバクテリアの毒素は歯肉組織を破壊して骨の損失を生じることもあり得る。
【０００５】
従って、歯周の歯肉の病気および初期のカリエスの予防および治療は口腔の全ての領域内の効果的な殺菌または成長の抑制を必要とする。特に、歯肉組織と歯根の表面との間の接合部分およびエナメル質の表面の下部の中の殺菌が重要であるが、従来の手段では困難である。
【０００６】
歯周病の予防のための市販の歯ブラシ、練り歯磨き、化学抗菌剤を含有している口内リンス液および／または口内灌注液において利用可能な用途は部分的にのみ有効である。加えて、組織の損傷が始まると、従来の治療はその結果を逆行させることにおいて有効ではない。
【０００７】
加えて、口腔は細菌の増殖の直接的な結果である可能性もありそうでない場合もある、舌の病気、唾液腺および小舌下管の炎症、損傷した神経、口腔の痛み、喉の痛み／扁桃炎、歯の知覚過敏症、および歯の変色を含む種々の別の状況の宿主になる可能性がある。これらの状況および他の状況は新規な口腔の治療プログラムにより恩恵を受ける可能性がある。
【０００８】
従って、微生物を有効に殺菌および／または抑制でき、バクテリアの損傷作用を逆行させるために役立ち、さらに／または、口腔の中、またはその近く、またはこれに関連する種々の状況に対して治療を行なうことのできる改善された口腔の治療に対する要望が当該技術分野において存在している。
【０００９】
発明の概要
本発明は口腔の中、またはその全体、またはその周辺における組織の治療のための方法および装置を提供している。本発明はさらに口腔の中の光治療を行なうための発光式の口腔アプリケータを含む。
【００１０】
一例の態様において、本発明は使用者の口腔の中に少なくとも部分的に適合していて光治療用の放射線によりその口腔の一部分を照射するための少なくとも１個の放射線の発光要素を含むように寸法付けられて形付けされている本体部分を有する口腔光治療用のアプリケータを提供している。このアプリケータは多数の異なるスペクトル帯域において放射線を発光し、さらに／または、口腔の中の多数の領域を照射することを可能にできる。
【００１１】
本発明のさらに別の態様において、上記口腔アプリケータは口腔の少なくとも一部分の形状に一致することに適合できる。例えば、この口腔アプリケータの本体部分は口腔の少なくとも一部分に対する一致を容易にするために順応性であることができ、さらに／または、使用者の歯と歯肉との間における位置決めに対して適合できる。
【００１２】
上記口腔アプリケータは随意的に少なくとも１個の波長領域内の光治療用の放射線に対して実質的に透過性である複数の剛毛を随意的に含むことができる。一例の実施形態において、これらの剛毛は放射線の発光装置に対して光学機器を介して連結していてその発光装置からの放射線を受容して伝播するための導波管として作用できる。また、これらの剛毛は放射線を拡散するためにこれらの剛毛の中に配置されている一定の改善された形状および／または一定の散乱剤に基づいて光を拡散するために作用できる。加えて、上記の剛毛はその剛毛の口腔の一定の表面との間に接触の無い口腔に対する光の伝達を阻止するように選択されている光屈折特性を有することができる。
【００１３】
本発明の別の態様において、上記口腔アプリケータは歯以外の組織に対して主に放射線を配給するための光学要素を含むことができる。例えば、この口腔アプリケータが剛毛を含む場合に、放射線がこれらの剛毛に対して平行でない一定の方向に発光できる。
【００１４】
また、別の態様において、本発明は一定の生体刺激性の作用を誘発するために少なくとも１個の選択された波長成分を有する放射線により被験者の口腔の少なくとも一部分を照射することによる生体刺激の方法を提供している。例えば、この生体刺激性の作用は照射された部分における一定の増大した血液およびリンパの微小循環、歯髄内の血液の微小循環の活性化、増大した局所的なマクロファージの活性、増大した線維芽細胞、骨芽細胞およびぞうげ芽細胞、口腔内のバクテリア、真菌、およびウイルスの少なくとも１種類の殺菌、口腔のｐＨ値の正常化、被験者の血液微小循環系内のウイルスの殺菌、選択された代謝血液成分の光誘発型の破壊、歯肉の出血の減少、歯の知覚過敏症の低下、歯および喉の痛みの減少、歯根膜および骨の再生、インプラントの接続、エナメル質の再鉱物質化、カリエスの予防、根管の滅菌、炎症の予防および歯周病の予防および治癒のいずれかを生じることができる。さらに別の実施形態において、選択された合計の放射線の容量に到達することにより生体刺激を行なうために多数の治療期間の放射線が投与される。
【００１５】
関連の態様において、上記の生体刺激作用は照射した組織内に約１ジュール／ｃｍ2 乃至約１０００ジュール／ｃｍ2 の範囲内、さらに好ましくは約１０ジュール／ｃｍ2 乃至約１００ジュール／ｃｍ2 の範囲内の線量を蓄積するために約１ｍＷ／ｃｍ2 乃至約１０Ｗ／ｃｍ2 の範囲内の放射線の出力により多数の治療期間中に口腔を照射することにより達成されている。これらの治療期間はそれぞれ約１０秒乃至約１０００秒、必要であれば、さらに長時間にわたり継続でき、一定の合計の治療の線量、例えば、約Ｘジュール／ｃｍ2 乃至約Ｘジュール／ｃｍ2 の範囲内の合計の線量、さらに好ましくは約Ｘジュール／ｃｍ2 乃至約Ｘジュール／ｃｍ2 の範囲内の合計の線量が口腔組織の中に蓄積されるまで繰り返すことができる。
【００１６】
また、別の態様において、上記生体刺激用の放射線は口腔の中の軟質組織、例えば、顔面の組織に対して主に供給される。さらに、一部の実施形態において、顔面の皮膚の下方のアクネ症等のような皮膚科学的または美顔的な状況に一定の線量を蓄積するために口腔が照射される。
【００１７】
別の態様において、本発明は口腔に無毒性の発色団を供給して一回の処理期間中にこれらの発色団に対して低い用量の放射線を配給する処理を含む歯の治療の方法を提供している。この放射線は上記無毒性の発色団の吸収帯域内の一定の波長を有することができ、その用量は上記発色団が通常において応答する出力密度よりも低くすることができる。さらに、連続的な期間において、上記発色団が活性化するまで上記放射線を供給する工程が繰り返される。この発色団は好ましくは歯の白色化剤および増白剤であり、さらに／または、抗菌剤であり、この抗菌剤は一例の実施形態において、発色団が内部に配置されている一定の皮膜として供給される。さらに別の工程として、熱および／または付加的な発色団が口腔に供給できる。
【００１８】
本発明の別の態様において、口腔が内因性の光感作剤により吸収される一定のスペクトル内の光放射線により直接的に光漂白されている。好ましくは、この内因性の発色団はぞうげ質の中に存在する歯の変色部分である。
【００１９】
以下の添付図面と共に詳細な説明を参照することにより本発明がさらに理解できる。
【００２０】
発明の詳細な説明
本発明は一般に口腔の中、その全体におけるおよび／またはこれに関連する種々の状況を治療するために使用者の口腔を照射するために使用する発光式の口腔器具に関連している。本発明の口腔器具は、例えば、発光式の歯ブラシ、発光式のマウス・ピース、または口腔の中に挿入するために適合している種々の別の種類の発光式のプローブを含むことができる。
【００２１】
図１，２Ａおよび２Ｂによれば、本発明の教示に従う発光式の歯ブラシ（ＬＥＴＢ）１０の一例の実施形態は剛毛１４、または光エネルギーの別の配給システム、を伴うヘッド部分（ブラシ・ヘッド）１２、およびハンドル部分１６を含む。このヘッド部分は好ましくは少なくとも１個の光放射線の供給源１８を含み、高度に反射性の表面２０およびセンサー２２等のような別の要素も随意的に含むことができる。また、この光放射線の供給源は上記ハンドル部分に取り付けることも可能である。
【００２２】
一部の実施形態において、上記のヘッド部分１２およびハンドル部分１６は単一の装置として随意的に形成することができ、別の実施形態において、上記ハンドル部分と本体部分は洗浄および／または交換を可能にするために取り外し可能にさらに交換可能に互いに係合している。ハンドル部分１６は電池等のような電力供給源３２、およびコントロール・スイッチ３４および随意的に制御用の種々の電子機器を含むことができる。図２Ｂはフレーム３８を含むヘッド部分１２のさらに詳細な図を示しており、このフレーム３８は内部の種々の部品を保護することができ、光源１８から一定の外部環境への熱伝達を行なうために、金属、セラミック、炭素繊維を伴うプラスチック等のような高度に熱伝導性の複合材料等を含む熱伝導性の材料により随意的に形成できる。このヘッド部分１２はまた剛毛１４および電力を電力供給源３２から光放射線の供給源１８に供給するためのリード線３９も含むことができる。
【００２３】
以下において詳細に説明されているように、放射線供給源１８は単一の帯域幅または多数の異なる帯域幅で放射線を発生する単一の供給源とすることができる。あるいは、この放射線供給源１８は、例えば、同一または異なる帯域幅で放射線を発生する発光ダイオード（ＬＥＤ）の一定の行列構造または一定のアレイ等のような複数の光源を含むこともできる。さらに、この放射線供給源は多色型ＬＥＤ等のような多数帯域型の光源とすることができる。一部の実施形態において、この放射線供給源はランプ等のような広帯域の供給源とすることができ、１個以上の所望の帯域幅の中の放射線を選択するための１個以上のフィルターに随意的に結合できる。
【００２４】
図３は光放射線供給源１８と共に本体部分２６を含む発光式マウスピース（ＬＥＭＰ）２４を示している。図示のように、本体部分２６は使用者の口腔の中に少なくとも部分的に適合するように寸法付けられて形付けされている。加えて、この本体部分は使用者の口腔の少なくとも一部分に対して一致するように形付けされている一定の表面部分を含む。一例の実施形態において、この発光式マウスピースは切歯、双頭歯、および／または大臼歯を含む歯２８に対して位置決めするために形付けられている一定の表面部分を含むことができる。この表面部分はまた歯と口腔の各壁部との間の口腔の各部分に適合するように形成することもできる。また、上記表面部分が適合できる別の体の部分は使用者の舌、使用者の口蓋（硬質および／または軟質の口蓋）、および／または口腔の床（例えば、使用者の舌の下部）。
【００２５】
上記マウスピース２４は使用者がこのマウスピースを把持することを可能にするハンドル３０を含むことができ、電池等のような電力供給源およびコントロール・スイッチを含むことができる。一例の実施形態において、上記ハンドルは口腔に対して種々の物質を配給または除去するための経路３１も含む。例えば、この経路３１は空気の入口および／または出口を提供し、種々の治療剤および／または薬物の配給を行ない、水の排出を行なうことができる。
【００２６】
図４は概ね「Ｕ」字形状の本体部分を定めている２個の実質的に平行なプロング２７を含む発光式のマウスピース２４の別の実施形態を示している。それぞれのプロングは好ましくは少なくとも１個の光放射線供給源１８、および好ましくは多数個の光放射線供給源を有しており、これらはその本体部分が使用者の口腔の中に位置決めされている時に頬および顔面組織を照射するために位置決めされている。また、例えば、運動用のマウスガードに類似している様式で使用者の歯の両側を囲っているマウスピースを含む種々の別の形状も有用である。さらに、光放射線の供給源は歯および歯肉に対して光治療用の放射線を供給するために上記マウスピースの内側に配置することができ、あるいは、光治療用の放射線を頬または顔面組織に配給するために外側に向けて配置することもできる。
【００２７】
本発明の発光式の口腔器具の中に配置されている光放射線供給源は好ましくは約１乃至５０，０００ｍＷ／ｃｍ2 の範囲内の出力密度および１ｍＷ乃至１０Ｗの全体の出力を伴う約２８０ｎｍ乃至１０００００ｎｍの範囲内の電磁放射線を配給できる種々の放射線供給源を含むことができる。一例の好ましい放射線供給源は１乃至２０個の異なる波長において発光するＬＥＤまたはＬＥＤ型マトリクス照射装置である。上記口腔器具のための放射線供給源は好ましくは簡潔で、有効で、低コストであり、必要な波長および出力を供給する。好ましい実施形態において、上記放射線供給源の出力スペクトルは約２８０乃至１２０００ｎｍの範囲内であり、約１０ｍＷ乃至１Ｗの範囲内の出力を有する必要がある。なお、上記用語の「光（light）」および「放射線（radiation）」は、例えば、約２８０ｎｍ乃至約１００，０００ｎｍの範囲の光治療において有用な光放射線の全体のスペクトル範囲を含むように本特許出願を通して交換可能に用いられており、可視スペクトルに限定されていない。また、この放射線供給源の大きさは口腔器具の中に詰め込むために十分に小さく、少なくとも１乃至１５分間にわたり電池により電力供給するために十分に効率的であることが当然に好ましい。
【００２８】
一例の実施形態において、上記の光放射線供給源は発光ダイオード（ＬＥＤ）および、例えば、エッジ発光式ＬＥＤ（ＥＥＬＥＤ）、表面発光式ＬＥＤ（ＳＥＬＥＤ）または高輝度ＬＥＤ（ＨＢＬＥＤ）等のような種々のＬＥＤの変形物を含む固体発光素子（ＳＳＬ）である。このＬＥＤはＡｌＩｎＧａＮ／ＡｌＮ（２８５ｎｍから発光）、ＳｉＣ、ＡｌＩｎＧａＮ、ＧａＡｓ、ＡｌＧａＡｓ、ＧａＮ、ＩｎＧａＮ、ＡｌＧａＮ、ＡｌＩｎＧａＮ、ＢａＮ、ＩｎＢａＮ、ＡｌＧａＩｎＰ（ＮＩＲ（近赤外）およびＩＲ（赤外）において発光）等のような異なる材料に基づくことができる。上記ＬＥＤはまたその活性材料として一定のポリマーにより構成されていて発光の広範囲なスペクトルを有する種々の有機ＬＥＤも含む。このような放射線供給源は種々のＬＥＤ色素、透明な境界領域を伴うＬＥＤ、光通信用の結晶構造、または共振キャビティ型発光ダイオード（ＲＣＬＥＤ）の形成手段としてのＬＥＤとすることができる。
【００２９】
また、別の可能性は超発光ダイオード（ＳＬＤ）または好ましくは一定の広範囲な発光スペクトルの供給源を提供できるＬＥＤを含む。加えて、レーザー・ダイオード（ＬＤ）、導波管レーザー・ダイオード（ＷＧＬＤ）、および垂直キャビティ面型発光レーザー（ＶＣＳＥＬ）もまた利用可能である。さらに、種々のＬＥＤのために用いられている同じ材料がこれらのダイオード・レーザーのためにも使用できる。さらに、別の可能性はレーザー・ダイオードのポンプ作用を伴うファイバー・レーザー（ＦＬ）を含む。また、ＬＤ、ＬＥＤまたは電流／電圧供給源からの電気または光のポンプ作用を伴う蛍光固体素子の光源（ＦＬＳ）もまた上記の放射線供給源となり得る。さらに、このＦＬＳは電気的なポンプ作用を伴う有機ファイバーとすることができる。
【００３０】
さらに、白熱ランプ、蛍光ランプ、マイクロ・ハライド・ランプまたは別の適当なランプ等の種々のランプも本発明と共に使用できる。一定のランプは白色光、赤色光、ＮＩＲおよびＩＲの照射のための放射線供給源を提供できる。また、５乃至１００ミクロンの範囲において、量子カスケード・レーザー（ＱＣＬ）または遠赤外発光ダイオードが使用できる。なお、当業界における熟練者であれば、種々の放射線供給源が寸法、出力の要求条件、所望の治療プログラム、およびこれらの種々の組み合わせに応じて上記光学器具において必要な光放射線を提供できることが認識できる。
【００３１】
ＬＥＤ、レーザー・ダイオード、またはマイクロランプはその発生した光エネルギーよりも２０倍までの高い熱エネルギーを発生できる。このような不要の無駄な熱に適応するために、上記発光式の口腔器具は熱伝達および／または冷却用の機構を含むことができる。例えば、上記の例示的な発光式歯ブラシのヘッド部分１２はその放射線供給源により発生される熱を消散するための熱伝導性の材料により少なくとも部分的に形成できる。例えば、図２Ｂを参照して、ヘッド部分１２は高い熱伝導率および／または良好な熱容量を有する材料により構成されていて放射線供給源１８に対して熱的に結合して当該供給源１８から熱を取り出すヘッド・フレーム３８を含むことができる。このフレームは歯ブラシの使用中に唾液または組織に対して接触できる上記ヘッド部分の外表面部まで延在できる。なお、当業界における熟練者であれば、アルミニウム、銅またはこれらの合金を含む金属、セラミックおよび炭素繊維等のような高度に熱伝導性の部品を有するプラスチック等のような複合材料等を含む種々の材料が上記の必要な熱の伝達を行なうことができることを認識できる。一例の実施形態において、この熱は上記フレームからその発光式の歯ブラシまたは発光式のマウスピースに接触している近くの組織および／または唾液に到る熱の伝達により除去される。さらに、この熱は口腔の組織および／またはその口腔組織の一部分に供給される練り歯磨きを穏やかに加熱して付加的なまたは改善された治療効果を得るために使用できる。
【００３２】
本発明の別の態様において、上記の熱は上記発光式歯ブラシのヘッド部分に沿ってハンドル部分まで伝達して、例えば、そのオペレータの手等のような、周囲の環境の中に消散させることができる。図５はヘッド部分１２、ハンドル部分１６、およびヘッド部分の中に組み込まれている少なくとも１個の放射線供給源１８を有する本発明の一例の実施形態による発光式の歯ブラシを概略的に示している。例えば、高い熱伝導率を有する材料により構成されているヒート・パイプ等のような細長い要素の形態の熱伝達要素１９がその一端部において上記放射線供給源に熱的に結合しており、その他端部において上記ハンドルの一部分に結合していて、その供給源により発生した熱をそのハンドルに伝達するようになっている。さらに、この熱伝達要素が結合している上記ハンドルの部分は、例えば、使用者の手等の周囲の環境に対する熱の伝達を容易にするために一定のしわを寄せた形状の表面を随意的に有することができる。
【００３３】
図６に基づく、別の実施形態において、本発明の教示による光治療式の口腔器具は一定の相転移材料を貯蔵できる貯蔵器７２に放射線供給源により発生した熱を伝達する熱伝達要素７０を含むことができる。この相転移材料は、例えば、氷、ワックス、またはその他の適当な材料であり、熱を吸収して、例えば、液体から気体にまたは固体から液体に、その相を変化することにより、その熱を消散する。好ましくは、この相転移材料は約３０乃至５０℃の範囲内の溶融温度または蒸発温度を有している。
【００３４】
上記熱伝達要素の例は発光式の歯ブラシに関連して作成されているが、当業界における熟練者であれば、これらの熱伝達要素が本発明の種々の口腔器具のいずれにおいても使用可能であることが認識できる。特に、これらの熱伝達要素は発光式のマウスピースの中の放射線供給源からその近くの組織、ハンドルおよび／または周囲の環境に対する熱の貯蔵または伝達を行なうことができる。
【００３５】
一部の実施形態において、上記発光式の口腔器具は、例えば、治療用の放射線がその標的部分に供給されている間に、その口腔の標的部分を加熱するためのヒーターを含むことができる。このような熱治療は一部の治療プログラムにおいて有用であり、光治療と組み合わされる場合に一定の付加的な共生作用を生じる。図７は本発明の一例の実施形態による発光式歯ブラシのヘッド部分１２の中に配置されている電気ヒーター４０を示している。このヒーターから近くの組織への熱伝達を容易にするために、ヘッド・フレーム３８は図８において示されているような一定のしわを寄せた形状を有することができる。
【００３６】
一部の実施形態において、加熱が一定の放射線供給源により行なわれている。本発明の一例の態様において、ヒーター４０は、例えば、放射線供給源１８等の治療用の放射線を発生する放射線供給源とは異なる放射線供給源である。また、別の態様において、加熱は治療用の放射線を供給するために利用されている同一の放射線供給源により行なうことができる。例えば、このような実施形態において、少なくとも１個の帯域幅が口腔組織を加熱するために適合するように、その放射線供給源は広帯域の放射線、あるいは、２個以上の帯域幅における放射線を発生できる。あるいは、多数個の放射線供給源を使用することができ、これらの内の少なくとも１個が組織の深層加熱のための適当な波長の範囲で放射線を供給する。例示的な深層加熱用の放射線は約０．３８乃至約０．６ミクロンの範囲または約０．８乃至１００ミクロンの範囲内の波長を有する放射線を含む。なお、当業界における熟練者であれば、種々の電気的および非電気的なヒーターが本発明の口腔器具と共に使用可能であることが認識できる。
【００３７】
所望の治療プログラムに応じて、本発明の口腔器具から配給される光放射線は口腔の異なる領域に選択的に送り出すことができる。図９乃至図１６は異なる組織の領域を選択的に治療するための本発明の教示による発光式歯ブラシの種々の実施形態をそれぞれ示している。図９は放射線供給源により発生した光放射線が、例えば、複数の剛毛自体を通して、組織に触れているこれらの剛毛と実質的に同一の面積で送り出されている。使用において、この放射線は、例えば、使用者の歯等のような硬質の組織に主に向けて送り出される。あるいは、図１０は、例えば、頬の中の組織等の、顔面の組織のような、軟質組織を主に照明するために剛毛の方向から離れて光放射線が送り出されている実施形態を示している。また、図１１は使用者の口腔の選択された各部分の中に、例えば、剛毛に対して実質的に垂直な方向に、装置の前方から光エネルギー放射線を送り出すための光源を有している本発明による発光式の歯ブラシの別の実施形態を示している。なお、この実施形態は使用者の喉の領域の軟質組織を選択的に照射するために特に適している。
【００３８】
本発明の一例の態様において、上記放射線の少なくとも一部分は歯の硬質組織に向かう以外の一定の方向で発光している。このことは剛毛またはその突出部分を囲む周囲により定められる断面積により表現される方向以外の一定の方向に放射線を発光することにより、本発明の発光式の歯ブラシにより達成できる。図１１Ａは剛毛１４を伴う発行式の歯ブラシのヘッド部分１２を示している。図示のように、これらの剛毛の周囲はこれらの剛毛から外側に延出して円柱８４を形成できる一定の領域８２を定めている。好ましくは、主に軟質組織を治療するために発光式の歯ブラシにより発生する光放射線はこの円柱８４に交差しない。
【００３９】
また、別の実施形態において、光放射線は同一の口腔器具から多数の方向に送り出すことができる（種々の図において方向の矢印５により示されている）。例えば、本発明の発光式の歯ブラシは、図１２において示されているように、２個の群のＬＥＤを含むことができ、一つの群は剛毛に対して実質的に平行な方向に放射することができ、別の群は反対側の方向に放射できる。図１３は図１２の装置から出ている放射線の方向を示している。
【００４０】
図１４は上記装置の両側から出ている放射線を伴う別の多方向発行式の歯ブラシを示している（剛毛はその頁から出ている）。また、図１５は前方に送り出されている放射線および剛毛の方向に送り出されている放射線を示している。さらに、図１６および図１７は３個以上の方向に送り出されている放射線を有する多方向発光式の歯ブラシの別の態様を示している。図１６は３個の方向の実施形態を示しているが、図１７は５個の方向の発光式の歯ブラシを示している（前方、両側、上方および下方）。
【００４１】
上記多方向発光式の口腔器具の図示の例は本発明の発光式のマウスピースに同様に適用できる。図３および図４において示されているように、光放射線は発光式マウスピース２４の本体部分２６から口腔の中またはその周囲の種々の構造または組織に向かって送り出すことができる。図１８は舌の周囲に放射線を送り出すように設計されている発光式のマウスピースを示している。この実施形態は過剰のバクテリアの増殖等のような舌の種々の病気を治療するために有用である。また、別の実施形態において、発光式マウスピース２４は歯、歯肉、および／または頬の組織を治療するように設計できる。例えば、図１９は歯および頬の組織の間に位置決めされている本体部分２６を示している。この実施形態において、光エネルギーは頬（口腔の壁部）、歯肉および歯の組織に向かって選択的に送り出されている。さらに別の実施形態において、上記発光式のマウスピースからの光放射線は、例えば、口腔の薬物またはビタミンの配給を支援するために、図２０において示されているように舌の下方の軟質組織、あるいは、口腔の別の部分に向かって送り出すことができる。一方、薬物またはビタミン２３は光源１８が放射線を薬物および粘膜に送り出す間に、例えば、液体の形態で開口部３１を通して粘膜に配給できる。この場合に、放射線は口腔の組織の中への薬物の取り込みおよび浸透を高めるために粘膜の透過性を高めるように選択できる。あるいは、または、さらに、この放射線は治療効果をさらに高めるために薬物を活性化できる。このような薬物配給の方法は病院または家庭において採用できる。
【００４２】
上記の光放射線が発光する方向は種々の様式で制御できる。一例の実施形態において、光放射線供給源１８は当該供給源が生成する放射線が標的組織に向かって移動するように配置できる。このことはその光放射線供給源を口腔器具の表面またはその近くに位置決めしてその表面を標的組織の近くに配置することにより達成できる。また、別の実施形態において、例えば、一定の反射用または屈折用の要素等のような、一定の光学要素を放射線の供給源により発せられる放射線を選択的に送り出すためにその供給源に結合できる。この光学要素は、例えば、回転可能な鏡、プリズム、および／またはディフューザーを含むことができ、これらは光放射線を標的組織に向けて送り出す。例えば、図２０Ａにおいて、本発明の一例の実施形態による発光式歯ブラシ１０は回転可能な鏡１１に光学的に結合している放射線供給源１８を含むことができ、この鏡１１は供給源１８により発せられる放射線を、矢印５ａにより示されているように、複数の剛毛に沿って送り出すか、あるいは、矢印５ｂにより示されているように、剛毛に対して実質的に反対側の方向に送り出すことができる。
【００４３】
単一方向または多方向の光放射線に加えて、本発明の口腔器具は単一または多数の帯域の光放射線を供給できる。例えば、一部の治療プログラムは単一の青色（４００乃至４３０ｎｍの中央波長）、単一の緑色（５４０乃至５６０ｎｍの中央波長）、単一の赤色（６２０乃至６３５，６６０ｎｍの中央波長）、またはＮＩＲの単一色（８００乃至８１０ｎｍの中央波長）等のような単一の波長帯域を必要とする場合がある。あるいは、２個、３個またはそれ以上の異なる光放射線の帯域を含む、上記およびその他の波長帯域の組み合わせも適用可能である。例えば、同一の状況をさらに効果的に治療するために、あるいは、２種類の異なる状況を治療するために、２個の分離している波長帯域を採用できる。
【００４４】
多数の異なる波長帯域が種々の様式で達成できる。本発明の一例の態様において、広帯域の放射線供給源が不要な波長をフィルターにより除去するための光学要素と共に用いられている。例えば、１個以上のフィルターがスペクトルの青色および赤色の部分における波長を除いて広いスペクトル範囲から全ての波長を除去することができる。また、本発明の別の態様において、多数の異なる帯域が多数の放射線供給源と共に達成可能であり、それぞれの供給源は一定の所望の帯域における光放射線を供給する。さらに別の態様において、多数の異なる帯域を生成する単一の放射線供給源が使用できる。一例として、単一のＬＥＤが２個以上の異なる波長の帯域を生成するために使用できる。さらに、放射線エネルギーの蛍光変換が付加的な波長を発生するために採用できる。また、別の例として、一定のダイオード・ポンプ作用型のファイバー・レーザーが２個の波長を発生するために使用でき、一方はファイバーをポンピングするダイオード・レーザーに対応し、他方はファイバー・レーザーの波長に対応する。
【００４５】
上記口腔器具の一部の実施形態において、波長帯域を変化することが望ましい場合がある。このことは取り外し可能なヘッド部分を用いることにより本発明の発光式の歯ブラシにより達成できる。それぞれのヘッド部分は異なる波長の光を生成する放射線供給源を含むことができる。その後、使用者は取り外し可能なヘッド部分の中から選択することにより所望の波長帯域を選択できる。あるいは、そのハンドル部分が広帯域の光源を含み、取り外し可能なヘッド部分が所望の波長帯域を分離するフィルターを含むことができる。
【００４６】
上述したように、本発明の発光式の歯ブラシの種々の実施形態は硬質および軟質の組織の機械的な浄化、マッサージ、血液循環の活性化、改善された光の浸透のための軟質組織の圧縮、および改善された光の配給を含むがこれらに限定されない種々の機能を実行するための剛毛を含む。例えば、本発明の発光式歯ブラシのヘッド部分１２の切除した側面図である図２１はそのヘッド部分１２に結合している複数の剛毛１４を示しており、これらの剛毛１４は好ましくは放射線供給源１８により生成される帯域幅の内の少なくとも１個の範囲内の放射線に対して実質的に透過性の材料により構成されている。加えて、これらの剛毛１４は好ましくは光エネルギーを送り出すことに役立ち、さらに／または、組織に対する光放射線の伝達を、好ましくは最少の損失を伴って、容易にすることができる。口腔組織の中に放射線供給源により発生されるエネルギーを結合する場合の損失を最少にすることは放射線供給源の利用効率を好都合に高めて、本発明の発光式の歯ブラシおよびマウスピースの動作に伴う費用を最少にする。
【００４７】
図２２は透明な材料により形成されている細長い本体部分４８を有する、「活性な剛毛（active bristle）」としても呼ばれている、剛毛を示しており、この本体部分４８は基端部４９において、ＬＥＤまたはダイオード・レーザー等のような、放射線供給源１８、支持体５０、および光学的な反射要素５２に係合している。例えば、一定の光学的な接着剤またはその他の適当な機構を介する、剛毛の放射線供給源１８に対する直接的で光学的な結合は放射線の剛毛の中への結合を好都合に高めており、この構造はさらに使用者の口腔に対する配給のためにその先端部６２に対して放射線を伝達するための導波管として機能する。例えば、鏡である、反射性の光学要素５２は剛毛の方向とは異なる種々の方向に発せられる光を剛毛の中に送り込み、このことにより、その剛毛の光源に対する光学的な結合性を高めている。例えば、この反射性の要素５２はＬＥＤから剛毛の中に放射線を発光するエッジ部分を結合するために使用できる。一例の実施形態において、支持体５０および光学要素５２はそれぞれの高度に反射性の表面により光エネルギーを方向付ける。このような設計はＬＥＤからの光の抽出および口腔組織に対するその配給を好都合に最大にする。
【００４８】
一例の実施形態において、それぞれの剛毛は放射線供給源１８に光学的に結合することができ、別の実施形態においては、それぞれの剛毛が個々のＬＥＤに結合できる。例えば、それぞれの剛毛は単一の放射線供給源１８に対して実質的に整合できる（図２２）。このような係合を容易にするために、剛毛１４は放射線供給源１８の発光面を受容するためにその基端部４９において形付けることができる。
【００４９】
一部の実施形態において、剛毛１４は放射線供給源から使用者の口腔の一部分に放射線を送り出すための一定の導波管として作用する。例えば、図２３は高い屈折性のコア５４および低い屈折性のクラッド５６を有する剛毛を概略的に示している。光放射線はコア５４の中に送り込まれて、クラッド５６により収容されている。この光エネルギーが開口した剛毛の先端部分５８に到達すると、放射線は放出される。この実施形態は放射線が剛毛の先端部分５８に接触している組織に送り込まれることを可能にしている。この光放射線の組織に対する伝達をさらに補助するために、剛毛の先端部分の屈折率および標的組織を一致させることができる。例えば、空気の屈折率と剛毛との間の差により、剛毛１４はその内部屈折により光放射線をほとんど収容できる。さらに、その剛毛が組織に触れている時にのみ、放出される光放射線の量における一定の増加が存在する。
【００５０】
本発明の一部の実施形態において、上記剛毛は選択された各点における放射線の制御された漏れを可能にするように形付けられている。例えば、図２４は一定の光学ループの形態の剛毛１４の別の実施形態を示している。このループの両端部は光放射線供給源１８に接続している。この場合に、光は分布している完全なまたはほとんど完全な内部屈折作用が光の漏れを可能にしている屈曲部分を除いてそのループの中に概ね収容されている。さらに、この屈曲部分は光放射線を配給するために一定の標的組織の領域の中に位置決めできる。このような剛毛はこれらが、例えば、口腔組織に接触している各部分等のような、それぞれの選択部分のみにおいて光が発せられることを確実にできるのでその装置における目の安全性も高めている。このような活性な剛毛はこれに接触している組織の中に完全な内部屈折による光の抽出を可能にしており、目の安全性が特に重要である場合の高出力型の発光式歯ブラシおいて特に有用になることができる。本発明の発光式歯ブラシはそれゆえ上記のような活性な剛毛により形成されている一束の剛毛を含むことができる。
【００５１】
上記の剛毛は光放射線の制御された漏れを容易にする別の形状も有することができる。図２５は最大の曲率を有する各点において光の漏れ６０を可能にする螺旋形の剛毛を示している。また、図２６は一定の基部から一定の制御された先端部分の角度を有する比較的に小さな先端部分６２まで延在している円錐形の剛毛を示している。この場合に、一定の放射線がその剛毛をその基部からその先端部分まで移動する時に、その剛毛およびその周囲環境の界面における放射線の入射角度は、各点６０ａ，６０ｂ，６０ｃおよび６０ｄ等のような、特定の点において放射線がその剛毛から漏れ出るように増大している。
【００５２】
別の実施形態において、剛毛をドーピングするか、放射線供給源の発光スペクトルを改善することにより、光エネルギーを一定の分散しているパタンで放出して熱点の形成を減少することが望ましい場合がある。例えば、剛毛がその中に分散されている一定の蛍光材料を含むことができ、この材料が光放射線に曝される場合に蛍光を発する。あるいは、一定の色素等のような、一定のレージング材料を剛毛のドーピングのために使用することができる。
【００５３】
本発明の発光式マウスピースの本体部分も上記の剛毛について述べられている概念に基づいて放射線の制御された漏れまたは分散を可能にするために設計できる。例えば、光が各選択位置を除いてマウスピースの本体部分２６の中に収容可能であり、さらに／または、その本体部分が光分散性の材料を含むことができる。
【００５４】
本発明の口腔器具は口腔の中の治療をモニターし、さらに／または、その種々の状況を診断するためのセンサーを付加的に含むことができる。図２７Ａおよび図２７Ｂは、それぞれ、１個以上の蛍光検出モジュール４２を収容している診断用の発光式歯ブラシのヘッド部分の切除されている側面および下面を示している。それぞれのモジュールは好ましくは一定の電子検出システムに接続できる光学フィルターおよび感光性のマイクロチップを収容している。この場合に、上記検出モジュールにより検出された蛍光信号が歯周ポケット、硬質組織（カリエス病巣）、唾液または真菌症の中のバクテリアの濃度に関する情報、ならびに、歯の白色化および増白に関する情報を与えることができる。さらに、付加的な蛍光信号が癌を含む異なる粘膜の種々の病気の初期的な診断のために採用できる。一例の実施形態において、上記の口腔器具は上記の蛍光信号に基づいて治療の完了時または一定の状況の検出時を使用者に指示するための一定の信号機構を含むことができる。また、別の実施形態において、一定の反射率計を本発明のＬＥＴＢまたはＬＥＭＰの中に組み込むことができる。例えば、ＬＥＤによる光誘発型の電流が反射光の検出のために利用できる。また、別の実施形態において、分離しているＬＥＤおよび光検出器が異なる波長における反射を測定するために採用できる。さらに、反射はカリエス、白色化、硬質組織の増白および／または粘膜の病気の診断のために採用できる。別の実施形態において、上記のＬＥＴＢまたはＬＥＭＰからの光が前歯のカリエスの透明さの診断のために採用できる。この場合に、約４５０乃至約８００ｎｍの範囲内の波長がこの目的のために使用できる。
【００５５】
種々のセンサーが、一定の治療期間の完了時、口腔器具が適正に位置決めされた時、口腔器具が組織に接触している時、および／または治療領域内の温度が所定のレベルを超えたか否かを感知して使用者に知らせること等のような、種々の別の情報も使用者に提供できる。また、種々のセンサーが各治療期間の自動フィードバック制御を行なうために一定のコントローラと共に使用できる。一例の実施形態において、一定のコントローラが一定の診断用のセンサーからの信号に基づいて上記放射線供給源を制御するためにその診断用のセンサーに結合している。また、別の随意的な実施形態において、一定のコントローラを一定のセンサーと組み合わせてその口腔器具が組織に接触している時にのみ放射線を発光することができる。
【００５６】
図２７Ａおよび図２７Ｂは本発明の発光式歯ブラシの中に配置されているコントローラ４３を示している。なお、当業界における熟練者であれば、例えば、種々のマイクロスイッチ、マイクロプロセッサ、およびその他のアナログ式またはデジタル式に装置等のような種々のコントローラが上記発光式の口腔器具の種々の要素および治療パラメータを調整するために使用可能であることが認識できる。
【００５７】
別の実施形態において、本発明の口腔器具は治療を補助するための種々の要素を含むことができる。例えば、上記の発光式歯ブラシまたは発光式マウスピースは機械的な浄化を補助するために、機械的なまたは超音波式の振動装置等のような、振動機構を含むことができる。図２８は機械的な振動装置４４を伴う発光式歯ブラシを示している。この振動装置により発生した振動はさらに良好な歯の浄化のみでなく光治療を向上するために使用できる。例えば、この振動は軟質組織の中への光の進入を増加し、さらに／または、細胞および／またはバクテリアに対する光治療の効果を高めることができる。このような改善の一例の機構は一定の光治療した標的に対する酸素の比較的に良好な配給である。図２９は一定の電場、磁場、化学反応、および／または低いレベルの不安定な同位体放射線を形成するための付加的な部品４６を伴う発光式歯ブラシを示している。さらに、この部品４６は一定の電気的に帯電した要素、磁石、薬品容器、同位体の容器等とすることができる。
【００５８】
さらに別の実施形態において、本発明は組織に対して放射線を比較的に効率的に配給するための反射性の表面を含むことができる。すなわち、放射線を一定の標的領域に配給する場合に、その放射線の一部がその組織表面により反射して放射線の損失を生じる可能性がある。この反射したエネルギーを節約するために、本発明の口腔器具は反射した放射線の少なくとも一部分を組織に戻す高い反射性の表面部分を含むことができる。例えば、図１において示されている発光式歯ブラシは放射線の配給効率を高めるための反射面２０を含む。また、上記発光式マウスピースの組織に対向している面部も同様に反射性にすることができる。
【００５９】
本発明の口腔器具は廃棄可能な電池、再充電可能な電池、および／またはコンデンサーとの組み合わせにおける太陽電池を含むことのできる光源および／またはその他の部品を駆動するための電力供給源３２（図２８）を含むことができる。あるいは、この電力は口腔器具の動作から部分的にまたは完全に誘導できる。例えば、図３０はコイル３５の内側に移動可能に配置されている磁石の棒３３を有する発光式の歯ブラシを示している。この場合に、ブラッシング中のこの発光式歯ブラシの前後の移動により光源、その他の部品、および／または再充電可能な電池の電気的な要求を充たすための電気的なエネルギーが発生できる。
【００６０】
本発明の教示による口腔器具は単一回様式および／または多数回様式、例えば、数週間または一ヶ月にわたり１日に２回等の治療処置の適用のために使用できる。本発明の口腔器具はその効果を改善するために、種々の発色団および光学的なカップラー等のような、種々の治療剤と共に使用できる。これらの物質は口腔に適用するための一定の治療剤および発光式歯ブラシまたは発光式マウスピース等のような一定の口腔器具を含む口腔器具システムの一部とすることができる。また、一部の実施形態において、上記治療剤は一定のペースト、フィルム、液体リンス、スプレー、またはこれらの組み合わせ物の形態で口腔に供給される。
【００６１】
種々の発色剤（または光感作剤）が微生物の光力学的および光熱的な殺菌、ならびに、歯の白色化および増白を向上するための治療剤として有用である。これらの発色団は窒素酸化物、一重項酸素、および組織内のその他の種々のラジカルの発生につながる連鎖様式の光化学反応を誘発および／または高める固有の光受容体を含む。好ましい発色団は無毒性である発色団（すなわち、特定の光を伴わなければバクテリアや組織に対して全く作用が存在しない濃度よりも低い一定濃度において供給できる発色団）を含む。本発明において使用するための例示的な外因性の発色団は種々の色素、すなわち、メチレン・ブルー、インドシアニン・グリーン、ＡＬＡ−増殖中の細胞内のポルフィリンの一定の誘導体、鉱物質光触媒、および種々の光感作剤、すなわち、ＴｉＯ2 、ナノ粒子、フルレレン、ツブレン、カーボン・ブラック、およびその他の類似の治療剤を含む。
【００６２】
一方、内因性の発色団はまた口腔およびその周囲の組織の中においても存在できる。これらの発色団はそれぞれの吸収帯域内の光放射線に対する曝露時に上記外因性の物質に対して類似のラジカル生成を行なう種々の天然の物質である。例示的な固有の発色団はプロトポルフィリン、コプロポルフィリン、およびＺｎ−プロトポルフィリンのような種々のポルフィリンを含む。これらのポルフィリンに対応する吸収帯域は青色光、および比較的に少ない程度で、緑色光および赤色光を含む。さらに別の固有の発色団はシトゲンおよびシトポルフィリン、ビリルビン、および分子酸素等のような種々のシトクロムを含む。
【００６３】
本発明と共に使用できる別の治療剤は光結合剤である。これらの化合物は組織の表面における光の散乱の量を減少することにより下層組織の中への高められた光学的なアクセスを行なう。例示的な光結合剤はグリセロール、グルコース、プロピレン・グリコール、ポリエチレン・グリコール、ポリエチレン・グリコール、Ｘ線造影剤（トラゾグラフ−６０、トラゾグラフ−７６、ベログラフィン−６０、ベログラフィン−７６、およびハイパーク−６０）、タンパク質（ヘモグロビン、アルブミン）、およびこれらの組み合わせ物を含む。また、これらの光学的な結合剤はエタノールおよび水（例えば、エタノール、グリセロールおよび水）等のような添加物と共に使用することも可能である。図３１は滴下によるグルコース溶液の投与におけるラビットの目についての生体内で測定した強膜組織の後方散乱（光の透過率の増加）の相当な減少を示している。さらに、歯肉組織の類似構造により、同一の光結合が一定の光結合剤を含有している練り歯磨きによる歯の浄化の過程において数分（２乃至３分）以内に達成できる。一部の結合剤について、それぞれの屈折率およびｐＨ値が図３２において示されている。この図３２から、一部の光結合剤の適用が、散乱の効果的な減少に加えて、口腔内のｐＨ値（６．５乃至６．９）を正常化にすることができ、それゆえ、歯肉および歯ぐきの腫れを最少にすることができる。
【００６４】
さらに、付加的な治療剤は種々の除感作剤（例えば、クエン酸ナトリウムおよび硝酸カリウム）、ゲル化剤（例えば、塩化ナトリウムおよびグリセロール）、粘着質基質材料（例えば、カルボポル９７４ＮＦ）、および従来の練り歯磨きを含むことができる。また、口腔内のｐＨ値を安定化または調節する種々の物質も治療剤として添加できる。
【００６５】
本発明の口腔器具は口腔の中およびその周辺における種々の光力学的なおよび光治療用の処置のために使用できる。これらの治療は約１乃至１００００ｍＷ／ｃｍ2 の範囲内の出力密度を伴う約２８０乃至３０００ｎｍの範囲内の光エネルギーの配給により生じる幾つかの生物物理的な現象に基づいており、集合的に生体刺激と呼ばれている。好ましい実施形態において、この生体刺激は約１Ｊ／ｃｍ2 乃至１０００Ｊ／ｃｍ2 の範囲内のエネルギーの流量を伴って行なわれ、さらに好ましい実施形態においては、約１０Ｊ／ｃｍ2 乃至１００Ｊ／ｃｍ2 の範囲内において行なわれる。
【００６６】
上記の生体刺激は、例えば、内因性の種々のポルフィリン、シトクロム、および組織の分子酸素による光吸収による歯肉、舌、唾液の腺および管、扁桃、声帯、唇、頬、口周囲の顔面の皮膚、およびその他の組織の血液およびリンパの微小循環における増加を含むことができる。この光吸収は血管および／またはリンパ管の拡張を生じる光刺激した酸化窒素（ＮＯ）を誘発することができ、さらにミトコンドリア内のＣａ2+の貯蔵および光減衰した交感神経性の血管運動神経の活性を生じる脈管平滑筋細胞の中のＣａ2+依存性ＡＴＰアーゼの活性化も誘発できる。さらに、これらの過程は一定の組織のドレナージ機能、内皮細胞および内皮白血球の増殖能力、および口腔の上皮、歯肉組織、神経組織、皮膚コラーゲン、およびその他の組織の再生を補助する新しい毛細管の網状構造の形成を活性化する。加えて、加熱を伴う光治療の組み合わせの作用もまた上記の種々の組織および腺の血液およびリンパの微小循環の活性化を生じることができる。
【００６７】
別の作用はエナメル質およびぞうげ質を通る導波管の光の伝播により生じる歯髄内の光の濃度による歯髄内の血液の微小循環の活性化、およびこれに対応するそのタンパク質基質を通る歯髄からエナメル質に到るカルシウム・イオンの流量の増加を含み、このカルシウム・イオンの増加はカルシウム・イオンがヒドロキシアパタイト構造内の空所を充たすことに役立つ。
【００６８】
上記の生体刺激はまた局所的な（口腔および周囲の組織）マクロファージの活性および線維芽細胞、骨芽細胞、およびぞうげ芽細胞の増殖における増加を誘発することもできる。さらに、このことは上皮、コラーゲン、神経組織、および硬質の歯の組織の再生を生じることができる。また、付加的な重要な利点はバクテリア、真菌、およびウイルスの殺菌も含むことができる。この作用は種々の内因性のポルフィリン、分子酸素、組み込まれた外因性の色素、鉱物質の光感作剤、および／または鉱物質の光触媒における光の作用により誘発される。
【００６９】
また、別の望ましい作用はバクテリアの活性の低下により生じる口腔のｐＨ値の正常化および口腔組織の腫れおよび浸透圧における減少を引き起こす口腔の病巣（口内炎）の治癒である。
【００７０】
全身性の有益な（生体刺激）作用もまた血液およびリンパの照射による改善された免疫能を賦与できる。特に、生体刺激は血液およびリンパのマクロファージの光により改善された免疫能を生じることができ、このことによりスーパーオキシドおよび酸化窒素、赤血球の膜の弾性、リンパ球の増殖活性が生じる。別の全体の作用は人間の概日リズムの光誘発型の制御を含むことができる。
【００７１】
本発明の口腔器具は光放射線により口腔の種々の領域を直接的に照射する処理を含む種々の他の治療処置のために使用できる。上記の発光式歯ブラシおよび発光式マウスピースの両方が加熱、振動、および種々の発色団および光結合剤等のような治療剤の供給等のような付加的な治療工程を伴うか伴わずに口腔内の硬質および／または軟質の組織を照射するために使用できる。
【００７２】
一例の実施形態において、上記の発光式歯ブラシおよび／または発光式マウスピースは歯肉の出血、歯の知覚過敏症、歯の痛み、骨の問題、エナメル質の変性、カリエス、根管の炎症、および歯肉の種々の問題等のような歯の問題を、硬質および／または軟質の口腔組織を照射することにより、治療するために使用できる。この療法は問題の領域を直接的に照射する処理を含み、一部の場合において治療を補助するために熱または発色団を用いている。
【００７３】
本発明の別の特徴として、上記口腔器具は、多数の帯域が、一部の状況において、比較的に大きな全体の効果を生じることができるので、上記療法の一部として多数の異なる波長帯域を使用できる。例えば、青色光はポルフィリンの励起において極めて有効であるが、この青色光の浸透の深さは血液の吸収および生物学的な組織による光の散乱により高くない。そこで、この青色光を、組織にさらに容易に浸透できるが比較的に低いポルフィリンの励起作用を有する緑色および関所空等のような、別の波長帯域と共に組み合わせることにより、その全体的な治療がさらに効果的に行なえるようになる。多数の波長帯域はまた異なる種々の物質を励起して幾つかの供給源による生体刺激を生じるために使用することも可能である。一例の実施形態において、青色および緑色の光がポルフィリン（４００乃至４３０ｎｍ）を刺激するために使用できるが、赤色光（例えば、６３０ｎｍ）および／またはＮＩＲ（例えば、１０６０ｎｍまたは１２６８ｎｍ）は分子酸素を光活性するために使用できる。一部の場合に、上記のことは一定の共同作用的な効果を生じる幾つかの治療処置に依存することによる比較的に有効な全体的な治療を生じる。
【００７４】
本発明の口腔器具はまたこれらが一定の低い線量で繰り返し使用可能であるので一定の利点を有している。最少の回数で行なわれる高出力型の治療とは異なり、本発明は通常の個人用の医療プログラムの一部として使用できる。この結果、治療を行なうために有効であるが、医者または歯科医を訪問するための時間および費用を必要としない一定の全体的な線量または用量が得られる。
【００７５】
それゆえ、本発明の口腔器具により提供される光治療は多数の異常および病気からの回復および／またはその予防を行なうことができる。さらに具体的に言えば、上記用語の「光治療（phototheraphy）」は本明細書において用いられているように種々の異常の治療および使用者の生理学的状況の改善の両方を含むことを目的としている。さらに、これらの有益な改善は以下において論じれられているように健康および美顔の両方の改善も含むことができる。
【００７６】
歯について
歯肉の出血の減少。歯ぐきの出血は多くの場合に上皮細胞およびその他の接合組織の不十分な増殖により生じる。本発明の口腔の適用は増加した線維芽細胞の増殖を活性化して、上皮、コラーゲン、および歯ぐきの出血を停止するために役立つその他の接合組織の再生を生じるために光の照射および穏やかな加熱を行なうことができる。光受容体は種々の内因性のポルフィリン、シトクロム、および分子酸素を含み、それゆえ、これらのポルフィリン、シトクロムおよび分子酸素に対応する波長における１乃至１０００ｍＷ／ｃｍ2 の出力密度および０．０６乃至３０Ｊ／ｃｍ2 の日々の線量での口腔の粘液および下層の組織の照射が好ましい。この場合に、青色光（４００乃至４３０ｎｍ）はポルフィリンの励起のために極めて有効であり、緑色光（５４０乃至５８０ｎｍ）および赤色光（６００乃至６５０ｎｍ）もポルフィリンを活性化できる。特に、コプロポルフィリンは幾つかの波長、すなわち、４０２±２０（最大値≒４８０における励起）、４９５０±２０、５４０±３０（最大値≒１７における励起）、５８０±３０（最大値≒６における励起）、６２３±２０ｎｍにおいて励起でき、シトクロムすなわちシトゲム（シトクロムオキシダーゼの補欠分子族）は４１４±２０（最大値≒７０における励起）、４３９±２０（最大値≒１１７における励起）、４４６±２０（最大値≒１０における励起）、５３４±２０（最大値≒１１における励起）、５９８±２０（最大値≒１６における励起）、６３５±２０ｎｍ（最大値≒９における励起）において励起でき、さらにシトポルフィリンは４１５±２０（最大値≒１６０における励起）、５２０±２０（最大値≒９における励起）、５６０±２０（約２１における励起）、５８０±２０（最大値≒１１における励起）、６１７±２０、６４６±２０ｎｍ（最大値１における励起）において励起できる。この場合に、バクテリア中において見られるシトポルフィリンは極めて感光性である。また、バクテリアおよび真菌の中において含まれているプロトポルフィリンＩＸは幾つかの波長、すなわち、４１０±２０（最大値≒２７０における励起）、５０４±２０（最大値≒１５における励起）、５５６±２０（最大値≒１５における励起）、６００±２０（最大値≒６における励起）、６３１±２０ｎｍ（最大値≒５における励起）において励起できる。
【００７７】
さらに、分子酸素は５８０±２０、６３０±２０、７６０±２０、１０６０±２０、および１２６８±２０ｎｍの波長において光活性化できる。この場合に、０．５乃至３分の持続時間における歯の浄化処置中の４３℃までのヒーターにより与えられる適度な高体温もまた血液およびリンパの微小循環に一定の共同作用的な効果を与える。
【００７８】
歯の知覚過敏症の低下。歯の感受性は多くの場合に飲料および／または唾液の種々の成分により誘発される浸透圧によりぞうげ管を通り歯の中の神経終末に向かう流体の増加した移動により生じる。歯の知覚過敏症は低い値の口腔の液体のｐＨ値により誘発される一時的または永久的なエナメル質の鉱物質除去により生じるエナメル質の孔により決まる。この口腔の液体のｐＨ値がさらに酸性（４．０乃至５．０）になると、そのエナメル質の透過性は３乃至４倍に高まる。それゆえ、このエナメル質の光誘発型の再鉱物質化の過程は歯の知覚過敏症の低下を補助する。また、殺菌もｐＨ値の正常化および歯肉の腫れの減少および知覚過敏症の歯の要素に対して加えられる浸透圧の低下により歯の知覚過敏症の低下につながる。それゆえ、種々のポルフィリン、シトクロム、および分子酸素に対応する波長における１乃至１０００ｍＷ／ｃｍ2 の出力密度および０．０６乃至３０Ｊ／ｃｍ2 の日々の線量での歯の表面の照射が好ましい。この場合に、青色光（４００乃至４３０ｎｍ）はバクテリアのポルフィリンの励起のために極めて有効であり、緑色光（５４０乃至５８０ｎｍ）および赤色光（６００乃至６５０ｎｍ）もバクテリア中のポルフィリンを活性化してラジカルの発生を介してこれらを殺菌できる。また、緑色（５４０乃至５８０ｎｍ）および赤色（６００乃至６５０ｎｍ）の光は歯髄のポルフィリンを活性化してその歯髄中の血液およびリンパの微小循環を増加し、これに対応してそのタンパク質基質を通して歯髄からエナメル質に到るカルシウム・イオンの流量を増加することができ、このことはカルシウム・イオンがそのヒドロキシアパタイト構造の中の空所を充たすことを補助する。組織および歯髄の中に溶解している分子酸素は５８０±２０、６３０±２０、７６０±２０、１０６０±２０、および１２６８±２０ｎｍの波長において光活性化する。この場合に、適度な高体温もまた血液およびリンパの微小循環に一定の共同作用的な効果を与えることができる。さらに効果的な殺菌が外因性の発色団の供給およびその発色団に対応する波長における照射、特に、０．０１乃至１．０％の濃度におけるメチレン・ブルー（ＭＢ）色素、６６０±１０ｎｍおよび５乃至１０００ｍＷ／ｃｍ2 の出力密度おける照射、または０．０１乃至１．０％の濃度におけるインドシアニン・グリーン（ＩＣＧ）色素、８０５±５ｎｍおよび５乃至１０００ｍＷ／ｃｍ2 の出力密度における照射において、達成できる。
【００７９】
歯の痛みの減少は多くの場合に血管壁部の内皮細胞における光刺激したＮＯの作用および光減衰した交感神経性の血管運動神経の活性により誘発する血液および／またはリンパの脈管の膨張による改善された歯髄の血液およびリンパの微小循環により生じる。また、神経の活性の直接的な光誘発型の抑制も可能である。それゆえ、種々のポルフィリン、シトクロムおよび分子酸素に対応する波長における１乃至１０００ｍＷ／ｃｍ2 の出力密度および０．０６乃至３０Ｊ／ｃｍ2 の日々の線量での歯の表面の照射が必要とされる。この場合に、緑色光（５３０乃至５８０ｎｍ）および赤色光（６００乃至６５０ｎｍ）は歯髄のポルフィリンを活性化してその歯髄中の血液およびリンパの微小循環を増加できる。また、種々の組織および歯髄中に溶解している分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの電気的なヒーター（またはＬＥＤ放射線の加熱）により与えられる適度な高体温が血液およびリンパの微小循環における一定の共同作用的な効果を得るために望ましい。
【００８０】
歯周および骨の再生および移植片の接合は多くの場合に、光および／または組み合わされた光と熱の作用により誘発される、マクロファージの活性、線維芽細胞、骨芽細胞、およびぞうげ芽細胞の増殖の増加により生じる。増加した血液およびリンパの微小循環もまた組織の成長および再生を改善する。この場合に、種々のポルフィリン、シトクロムおよび分子酸素に対応する波長における１乃至１０００ｍＷ／ｃｍ2 の出力密度および０．０６乃至３０Ｊ／ｃｍ2 の日々の線量での歯および歯周組織の照射は増加したマクロファージの活性、増加した線維芽細胞、骨芽細胞、およびぞうげ芽細胞、および増加した血液およびリンパの微小循環の原因となる種々のラジカルを生じる。この場合に、青色光（４００乃至４３０ｎｍ）はポルフィリンの励起のために極めて有効であり、緑色光（５３０乃至５８０ｎｍ）および赤色光（６００乃至６５０ｎｍ）もポルフィリンを活性化できる。さらに、緑色光（５３０乃至５８０ｎｍ）および赤色光（６００乃至６５０ｎｍ）は歯髄のポルフィリンを活性化できる。また、分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの特殊なヒーター（またはＬＥＤ電流の加熱）により与えられる適度な高体温がマクロファージの活性、線維芽細胞、骨芽細胞、およびぞうげ芽細胞の増殖、および増加した血液およびリンパの微小循環における一定の共同作用的な効果を得るために望ましい。
【００８１】
エナメル質の再鉱物質化。エナメル質の再鉱物質化は多くの場合に一定の低い値の口腔の液体のｐＨ値により誘発される。軽く穏やかな加熱は歯肉の血液およびリンパの微小循環を活性化し、それゆえ、タンパク質基質を通る唾液からエナメル質に到るカルシウム・イオンの流量を増加し、これらのカルシウムのイオンがヒドロキシアパタイト構造の空所を充たす。また、殺菌はｐＨ値の正常化につながり、それゆえ、エナメル質の鉱物質除去を妨げる。従って、種々のポルフィリン、シトクロムおよび分子酸素に対応する波長における１乃至１０００ｍＷ／ｃｍ2 の出力密度および０．０６乃至３０Ｊ／ｃｍ2 の日々の線量での歯の表面の照射が必要とされる。この場合に、青色光（４００乃至４３０ｎｍ）はバクテリアのポルフィリンの励起のために極めて有効であり、緑色光（５３０乃至５８０ｎｍ）および赤色光（６００乃至６５０ｎｍ）もバクテリア中のポルフィリンを活性化してラジカルの発生を介してこれらを殺菌できる。さらに、緑色光（５３０乃至５８０ｎｍ）および赤色光（６００乃至６５０ｎｍ）は歯髄のポルフィリンを活性化してその歯髄中の血液およびリンパの微小循環を増加することができ、これに対応して、タンパク質基質を通る歯髄からエナメル質に到るカルシウム・イオンの流量を増加し、このことはカルシウム・イオンがヒドロキシアパタイト構造における空所を充たすことを補助する。また、種々の組織および歯髄中に溶解している分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの特殊なヒーター（またはＬＥＤ電流の加熱）により与えられる適度な高体温が血液およびリンパの微小循環における一定の共同作用的な効果を得るために望ましい。また、音響泳動（ソノフォレーシス）および／または電気泳動（エレクトロフォレーシス）は血液およびリンパの流動の増加を補助し、硬質の歯の組織の中におけるＣａおよびＰの元素の比較的に安定した分布を助長する。さらに効果的な殺菌が（必要とされる場合に）外因性の発色団の供給およびその発色団に対応する波長における照射、特に、０．０１乃至１．０％の濃度におけるメチレン・ブルー（ＭＢ）色素、６６０±１０ｎｍおよび５乃至１００ｍＷ／ｃｍ2 の出力密度おける照射、または０．０１乃至１．０％の濃度におけるインドシアニン・グリーン（ＩＣＧ）色素、８０５±５ｎｍおよび５乃至１００ｍＷ／ｃｍ2 の出力密度における照射において、達成できる。
【００８２】
カリエスの予防。カリエスは通常において連鎖球菌属変異体のバクテリアにより生じる場合が多い。従って、光および内因性のポルフィリン、および／またはシトクロム、および／または分子酸素、および／または外因性の色素、および／または鉱物質の光感作剤、および／または口腔の中に取り込まれている鉱物質の光触媒により誘発される光力学的な作用による殺菌がカリエスの予防および治癒のための一定の技法である。また、歯髄および歯肉中の光および熱により増加した血液およびリンパの微小循環および唾液からエナメル質に到る増加したカルシウムの流量もカリエスを予防する。それゆえ、種々のポルフィリン、シトクロムおよび分子酸素に対応する波長における１乃至１０００ｍＷ／ｃｍ2 の出力密度および０．０６乃至３０Ｊ／ｃｍ2 の日々の線量での歯の表面の照射が必要とされる。この場合に、青色光（４００乃至４３０ｎｍ）はバクテリアのポルフィリンの励起のために極めて有効であり、緑色光（５３０乃至５８０ｎｍ）および赤色光（６００乃至６５０ｎｍ）もバクテリア中のポルフィリンを活性化してラジカルの発生を介してこれらを殺菌できる。さらに、緑色光（５４０乃至５８０ｎｍ）および赤色光（６００乃至６５０ｎｍ）は歯髄のポルフィリンを活性化してその歯髄中の血液およびリンパの微小循環を増加することができ、これに対応して、タンパク質基質を通る歯髄からエナメル質に到るカルシウム・イオンの流量を増加し、このことはカルシウム・イオンがヒドロキシアパタイト構造における空所を充たすことを補助する。また、種々の組織および歯髄中に溶解している分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの特殊なヒーター（またはＬＥＤ電流の加熱）により与えられる適度な高体温が血液およびリンパの微小循環における一定の共同作用的な効果を得るために望ましい。また、音響泳動および／または電気泳動は血液およびリンパの流動の増加を補助し、硬質の歯の組織の中におけるＣａおよびＰの元素の比較的に安定した分布を助長する。さらに効果的な殺菌が（必要とされる場合に）外因性の発色団の供給およびその発色団に対応する波長における照射、特に、０．０１乃至１．０％の濃度におけるメチレン・ブルー（ＭＢ）色素、６６０±１０ｎｍおよび５乃至１００ｍＷ／ｃｍ2 の出力密度おける照射、または０．０１乃至１．０％の濃度におけるインドシアニン・グリーン（ＩＣＧ）色素、８０５±５ｎｍおよび５乃至１００ｍＷ／ｃｍ2 の出力密度における照射において、達成できる。さらに、上記のＭＢおよび／またはＩＣＧの色素を伴う混合物において、極めて効果的で非特異性の一重項酸素およびその他のラジカル生成物がカーボン・ブラック、フルレレン、またはツブレンのような炭素ナノ粒子またはナノチューブの広帯域（３００乃至９００ｎｍ）の励起、および／または、ＴｉＯ2 のナノ粒子のような光触媒の適用において供給できる。
【００８３】
根管の滅菌および炎症の予防もまた光および内因性のポルフィリン、特にプロトポルフィリンＩＸ、および／または分子酸素、および／または局所的な血液およびリンパの微小循環により歯髄の中に取り込まれている外因性の色素により誘発する光力学的な作用により実現できる。この場合に、導波管の伝播により、光が歯髄の中に集中し、それゆえ、光力学的な作用を高めて歯髄の血液およびリンパの微小循環を活性化する。光はまたマクロファージの免疫能を改善し、このマクロファージは種々の微生物に対する宿主の防衛に役立つＳＯおよびＮＯを生成する。それゆえ、種々のポルフィリン、シトクロムおよび分子酸素に対応する波長における１乃至１０００ｍＷ／ｃｍ2 の出力密度および０．０６乃至３０Ｊ／ｃｍ2 の日々の線量での歯の表面の照射が必要とされる。この場合に、緑色光（５４０乃至５８０ｎｍ）および赤色光（６００乃至６５０ｎｍ）は歯髄のポルフィリンを活性化して殺菌、マクロファージの免疫能の改善、および増加した歯髄中の血液およびリンパの微小循環のためのラジカルを生成する。また、種々の組織および歯髄中に溶解している分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの特殊なヒーター（またはＬＥＤ電流の加熱）により与えられる適度な高体温が血液およびリンパの微小循環における一定の共同作用的な効果を得るために望ましい。また、音響泳動および／または電気泳動は血液およびリンパの流動の増加を補助する。さらに、根管および根尖の領域に進入する光はバクテリアの増殖に伴う炎症を予防または減少できる。
【００８４】
歯周の問題の予防および治癒もまた内因性のポルフィリン、および／または分子酸素、および／または外因性の色素、および／または鉱物質の光感作剤、および／または活性（一重項）酸素およびその他のラジカルの生成により歯周の病巣内に取り込まれた鉱物質の光触媒の励起によるバクテリアにおける致命的な作用による。光はまたマクロファージの免疫能を改善し、このマクロファージは種々の微生物に対する宿主の防衛に役立つＳＯおよびＮＯを生成する。さらに、光および穏やかな加熱は血液およびリンパの微小循環を活性化し、それゆえ、内皮細胞の増殖能力および歯肉を歯に接着した状態に維持するために役立つ新しい毛細管の網状構造の形成を活性化する。それゆえ、光の出力密度、日々の線量、および波長はカリエスの予防のために用いられるものと同一である（上記カリエスの予防の段を参照されたい）。
【００８５】
軟質組織の治療。本発明の口腔器具の別の利点はこれらが指向性の放射を可能にすることである。以下において論じられている一部の場合に、舌の組織、神経組織、喉の組織、脈管組織、毛包、皮脂小胞、皮脂腺、顔面の皮下脂肪、顔面の筋肉組織、リンパ系、コラーゲン、色素沈着した斑点、およびまたは別の顔面組織および他の口腔組織を含む別の組織を含む軟質組織を主に光照射することが望ましい。上記の口腔器具は光放射線が発生する方向を選択することによりこれらの組織の領域に向けて放射線を送り出すことを可能にする。例えば、顔面組織を照射するために、光放射線供給源は発光式の歯ブラシまたは発光式のマウスピースの外周部分に配置できる。剛毛の方向にのみ（歯の硬質組織に向けて）放射する従来の歯ブラシとは異なり、上記の器具により供給される放射線は使用者の顔面組織の中の一定の領域に光治療を配給するためにその口腔の粘膜の内層に進入するように送り出すことができる。
【００８６】
加えて、本発明の口腔器具は、これまでに口腔の外側から治療されていた、特定の種々の状況を口腔の中から一定の光放射線供給源を使用することにより治療することを可能にする。例えば、影響を受けている皮膚を照射することによりアクネ症を治療する代わりに、上記の口腔器具はその標的組織に向けて口腔の中から外に直接的に照射できる。このことは口腔の中の組織がその口腔の組織の壁部の中に含まれている制限された量のコラーゲンのために浸透しやすいので有利である。この結果、光エネルギーが比較的に容易に組織に進入して一定の低レベルのエネルギーにおいて治療を行ない、組織の損傷の危険性を減少する。この種の治療のための波長の好ましい範囲は約２８０ｎｍ乃至１４００ｎｍの範囲内であり、さらに好ましくは約５９０ｎｍ乃至１３００ｎｍの範囲内である。
【００８７】
口腔の粘膜の炎症の病気（口内炎−口内のかどにおける表在性の侵食および裂け目、単純疱疹ウイルスによる小疱を伴う口腔粘膜の急性感染、頬、舌および唇における表在性潰瘍を伴う口内炎）の改善は内因性のポルフィリン、および／または分子酸素、および／または外因性の色素、および／または鉱物質の光感作剤、および／または活性（一重項）酸素および他のラジカルの生成により口腔の粘液の病巣の中に取り込まれた鉱物質の光触媒の励起によるウイルスおよびバクテリアにおける光の致命的な作用による。光はまたマクロファージの免疫能を改善し、このマクロファージは種々の微生物に対する宿主の防衛に役立つＳＯおよびＮＯを生成する。また、光および穏やかな加熱は血液およびリンパの微小循環を活性化し、それゆえ、上皮細胞の増殖能力を活性化する。この場合の光の出力密度、日々の線量、および波長はカリエスの予防のために用いられるものと同一である（上記カリエスの予防の段を参照されたい）。
【００８８】
舌の病気（黒舌−微生物およびある種の色素を伴う栄養過度の糸状乳頭により構成されている舌の上面における茶色の毛皮様の斑の存在、苔舌−剥離した上皮、破片、バクテリア、真菌等から成る白みがかったまたは黄色みがかった層により覆われている舌）の改善は内因性のポルフィリン、および／または分子酸素、および／または外因性の色素、および／または鉱物質の光感作剤、および／または活性（一重項）酸素および他のラジカルの生成により舌の病巣の中に取り込まれた鉱物質の光触媒の励起による微生物における光の致命的な作用による。光はまたマクロファージの免疫能を改善し、このマクロファージは種々の微生物に対する宿主の防衛に役立つＳＯおよびＮＯを生成する。また、光および穏やかな加熱は血液およびリンパの微小循環を活性化し、それゆえ、上皮細胞の増殖能力を活性化する。この場合の光の出力密度、日々の線量、および波長はカリエスの予防のために用いられるものと同一である（上記カリエスの予防の段を参照されたい）。
【００８９】
唾液腺および舌下ひだにおいて口内に開口している小舌下管（リヴィヌス管）の炎症からの回復。口内炎および舌の種々の病巣の場合と同様の回復のメカニズムが予想される。この場合の光の出力密度、日々の線量、および波長はカリエスの予防のために用いられるものと同一である（上記カリエスの予防の段を参照されたい）。
【００９０】
口腔組織内の痛みの減少は多くの場合に脈管壁部の内皮細胞における光刺激したＮＯの作用および光減衰した交感神経性の血管運動神経の活性により誘発する血液および／またはリンパの脈管の膨張による改善された血液およびリンパの微小循環により生じる。また、神経の活性の直接的な光誘発型の抑制も可能である。この場合の光の出力密度、日々の線量、および波長は歯の痛みの減少のために用いられるものと同一である（上記歯の痛みの減少の段を参照されたい）。
【００９１】
多くの場合に黄色ブドウ球菌の増殖により生じる喉のいたみ、アンギナ、急性または慢性の扁桃炎等（扁桃、特に口頭扁桃の炎症、小胞性扁桃炎、特に陰窩に影響する扁桃炎、実質扁桃炎、扁桃の全体に影響する急性扁桃炎、膿疱性扁桃炎、膿疱の形成により特徴付けられる種々の状況）の改善。このような改善は内因性のポルフィリン、および／または分子酸素、および／または外因性の色素、および／または鉱物質の光感作剤、および／または活性（一重項）酸素および他のラジカルの生成により扁桃の病巣の中に取り込まれた鉱物質の光触媒の励起によるバクテリアにおける光の致命的な作用による。光はまたマクロファージの免疫能を改善し、このマクロファージは種々の微生物に対する宿主の防衛に役立つＳＯおよびＮＯを生成する。また、光および穏やかな加熱は血液およびリンパの微小循環を活性化し、それゆえ、上皮細胞の増殖能力を活性化する。この場合の光の出力密度、日々の線量、および波長はカリエスの予防のために用いられるものと同一である（上記歯の第６段を参照されたい）。また、６２０乃至６４０ｎｍの励起において、細胞の増殖におけるポルフィリンの一定の誘発因子である、低濃度のＡＬＡによるＡＬＡ関連の治療が異常な増殖または口腔の粘膜の上皮細胞、腺の増殖、口腔組織（歯肉、腺、舌、喉等）の中の微生物コロニーの抑制のために使用できる。特に、咽頭糸状菌症の治療を行なうことができる。
【００９２】
多くの場合に肺炎連鎖球菌により生じる静脈洞炎。アンギナおよび扁桃炎と同様の回復の機構。光の出力密度、日々の線量、および波長はカリエスの予防のために用いられるものと同一である（上記カリエスの予防の段を参照されたい）。
【００９３】
咽頭炎およびその他の声帯の炎症からの回復。アンギナ、扁桃炎および静脈洞炎と同様の回復の機構。光の出力密度、日々の線量、および波長はカリエスの予防のために用いられるものと同一である（上記カリエスの予防の段を参照されたい）。
【００９４】
高められたマクロファージおよび線維芽細胞の増殖活性および光および／または組み合わせた光および熱の作用により誘発する新しいコラーゲン生成による唇および頬の周辺の皮膚組織、弾性の改善、ならびにしわの減少（すなわち、皮膚の若返り）。増加した血液およびリンパの微小循環も組織の増殖および再生を改善する。この場合に、光の出力密度、日々の線量、および波長は歯周および骨の再生および移植片の接合のために用いられるものと同一である（上記歯周および骨の再生および移植片の接合の段を参照されたい）。
【００９５】
アクネ症の改善。赤色光の大きな進入の深さにより、皮脂腺の中に集中したバクテリアを生じるアクネ症における致命的な光の作用のための頬の組織を通して皮脂腺に対して必要とされる照射の線量を供給することが可能である。バクテリアのポルフィリンの光による励起はこれらのバクテリアを選択的に殺菌する活性（一重項）酸素およびその他のラジカルを発生する。それゆえ、このバクテリアのポルフィリン対応する波長における１乃至１０００ｍＷ／ｃｍ2 の出力密度および０．０６乃至３０Ｊ／ｃｍ2 の日々の線量での口腔の内側の頬の照射が好ましい。この場合に、緑色（５３０乃至５８０ｎｍ）および赤色（６００乃至６５０ｎｍ）の光は頬の組織の中に進入してアクネ症のバクテリアのポルフィリンを活性化することによりそのバクテリアを殺菌するラジカルを生成する。また、このアクネ症の治療効率は適当な光感作剤（例えば、メチレン・ブルー、インドシアニン・グリーン、ＡＬＡ等）を赤色および／またはＮＩＲの放射線の利用との組み合わせにおいてアクネ症の病巣に適用することにより高めることができる。
【００９６】
毛髪の成長の制御は光および／または組み合わされた光と熱の作用による毛包の中の血液およびリンパの微小循環の正常化により行なうことができる。この場合に、種々のポルフィリン、シトクロムおよび分子酸素に対応する波長における１乃至１０００ｍＷ／ｃｍ2 の出力密度および０．０６乃至３０Ｊ／ｃｍ2 の日々の線量での口腔組織の照射が脈管の膨張およびこれに対応する血液およびリンパの微小循環の増加の原因になるラジカルを生成する。また、緑色光（５３０乃至５８０ｎｍ）および赤色光（６００乃至６５０ｎｍ）は頬の組織の中に進入してポルフィリンおよびシトクロムを活性化する。また、分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの特殊なヒーター（またはＬＥＤ電流の加熱）により与えられる適度な高体温が血液およびリンパの微小循環の増加における一定の共同作用的な効果を得るために望ましい。毛髪の成長の制御は、例えば、単一回または時間依存型の連続した放射線による多数個の毛包の選択的な破壊による毛髪の除去または減少を含むことができる。
【００９７】
脈管の改善は光および／または組み合わされた光と熱の作用により誘発する高められたマクロファージおよび線維芽細胞の増殖活性および新しいコラーゲンおよび上皮の生成に付随できる。この場合に、種々のポルフィリン、シトクロムおよび分子酸素に対応する波長における１乃至１０００ｍＷ／ｃｍ2 の出力密度および０．０６乃至３０Ｊ／ｃｍ2 の日々の線量での口腔組織の照射がマクロファージの活性の増加、線維芽細胞の増殖、およびコラーゲンの増殖の原因になるラジカルを生成する。また、緑色光（５３０乃至５８０ｎｍ）および赤色光（６００乃至６５０ｎｍ）は頬の組織の中に進入してポルフィリンおよびシトクロムを活性化する。また、分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの特殊なヒーター（またはＬＥＤ電流の加熱）により与えられる適度な高体温がマクロファージの活性の増加、線維芽細胞の増殖、およびコラーゲンの増殖における一定の共同作用的な効果を得るために望ましい。
【００９８】
口周囲の治療はマクロファージの光により改善された免疫能、および光により改善された血液およびリンパの微小循環により生じる上皮細胞の増殖能力による。この場合に、種々のポルフィリン、シトクロムおよび分子酸素に対応する波長における１乃至１０００ｍＷ／ｃｍ2 の出力密度および０．０６乃至３０Ｊ／ｃｍ2 の日々の線量での口腔組織の照射が高められたマクロファージの活性および増加した血液およびリンパの微小循環の原因になるラジカルを生成する。また、緑色光（５３０乃至５８０ｎｍ）および赤色光（６００乃至６５０ｎｍ）は頬の組織の中に進入してポルフィリンおよびシトクロムを活性化する。また、分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの特殊なヒーター（またはＬＥＤ電流の加熱）により与えられる適度な高体温がマクロファージの活性および血液およびリンパの微小循環の増加における一定の共同作用的な効果を得るために望ましい。
【００９９】
歯肉、歯、唇、および舌、および口腔組織の機能を制御する他の神経を含む口腔組織内の損傷した三叉神経の顔面神経末梢受容体の修復は神経細胞ミトコンドリア内のＣａ2+の貯蔵およびその後のそれらの細胞内におけるＣａ+2依存性ＡＴＰアーゼの活性により生じることができる。また、光および／または組み合わされた光と熱の作用により誘発する血液およびリンパの微小循環の増加も神経組織の再生において当然に重要である。この場合に、光の出力密度、日々の線量、および波長は口周囲の皮膚炎の治療のために用いられるものと同一である（上記口周囲の顔面の皮膚の段を参照されたい）。
【０１００】
口腔組織内の痛みの減少は多くの場合に血管壁部の内皮細胞における光刺激したＮＯの作用および光減衰した交感神経性の血管運動神経の活性により誘発する血液および／またはリンパの脈管の膨張による改善された血液およびリンパの微小循環により生じる。また、神経の活性の直接的な光誘発型の抑制も可能である。以下の神経は上記の過程に関連する可能性がある。すなわち、口腔および口の隅における頬の皮膚を神経支配している頬神経、歯、骨膜および歯肉を神経支配している下歯槽および上歯槽神経、咽喉、舌およびおとがい−舌の筋肉、および口腔下部粘膜を神経支配している舌咽、舌下、および舌の神経、咽喉筋および粘膜を神経支配している下、反復、および上咽頭神経、両側咬筋を神経支配している咬筋神経である。この場合に、光の出力密度、日々の線量、および波長は歯の痛みの減少のために用いられるものと同一である（上記歯の痛みの減少の段を参照されたい）。
【０１０１】
特に、スーパーオキシドおよび酸化窒素、赤血球の膜の弾性およびリンパ球の増殖活性を生じる血液およびリンパのマクロファージの光により改善された免疫能による、人間の生体の免疫能における有益な影響。この場合に、光受容体は種々のポルフィリン、シトクロムおよび分子酸素である。それゆえ、血管により十分に供給される口腔の粘膜および下層組織の照射は種々のポルフィリン、シトクロムおよび分子酸素に対応する波長における１乃至１０００ｍＷ／ｃｍ2 の出力密度および０．０６乃至３０Ｊ／ｃｍ2 の日々の線量で行なう必要がある。この場合に、青色光（４００乃至４３０ｎｍ）はポルフィリンの励起のために極めて有効であり、緑色光（５３０乃至５８０ｎｍ）および赤色光（６００乃至６５０ｎｍ）もポルフィリンを活性化できる。特に、コプロポルフィリンは幾つかの波長、すなわち、４０２±２０（最大値≒４８０における励起）、４９５±２０、５４０±３０（最大値≒１７における励起）、５８０±３０（最大値≒６における励起）、６２３±２０ｎｍにおいて励起でき、シトクロムすなわちシトゲムは４１４±２０（最大値≒７０における励起）、４３０±２０（最大値≒１１７における励起）、４４６±２０（最大値≒１０における励起）、５３４±２０（最大値≒１１における励起）、５９８±２０（最大値≒１６における励起）、６３５±２０ｎｍ（最大値≒９における励起）において励起でき、さらにシトポルフィリン（ポルフィリンａ）は４１５±２０（最大値≒１６０における励起）、５２０±２０（最大値≒９における励起）、５６０±２０（約２１における励起）、５８０±２０（最大値≒１１における励起）、６１７±２０、６４６±２０ｎｍ（最大値１における励起）において励起できる。この場合に、プロトポルフィリンＩＸは４１０±２０（最大値≒２７０における励起）、５０４±２０（最大値≒１５における励起）、５５６±２０（最大値≒１５における励起）、６００±２０（最大値≒６における励起）、６３１±２０ｎｍ（最大値≒５における励起）の波長において励起できる。また、分子酸素は５８０±２０、６３０±２０、７６０±２０、１０６０±２０、および１２６８±２０ｎｍの波長において光活性化できる。
【０１０２】
概日リズムの調整。４７０ｎｍにおける青色光は人間の概日リズムに影響を及ぼし生物学的なリズムの異常を有するに対して適用可能であると考えられる。この場合に、可能な光受容体は血液ビリルビンおよび／またはコプロポルフィリンである。この場合に、血管により十分に供給される口腔の粘膜および下層組織の光照射は１乃至１０００ｍＷ／ｃｍ2 の出力密度および０．０６乃至３０Ｊ／ｃｍ2 の１日の線量およびビリルビンの吸収（４５５±２０ｎｍ）および／またはコプロポルフィリンＩおよびＩＩＩの吸収（４０２±２０、４７０±２０、５４０±３０、５８０±３０、６２３±２０ｎｍ）に対応する波長において行なうことが望ましい。本発明の一部の実施形態において、例えば、青色光（またはその他の生体刺激性の光）等のような選択された波長を有する放射線により午前中に使用者の口腔を照射して、例えば、赤色光（または一定の沈静作用を有する光）等のような別の波長を有する放射線により午後に口腔を照射することにより使用者の概日リズムを調整することに役立つために利用できる発光式の歯ブラシが提供されている。
【０１０３】
血液の代謝成分、特に、赤血球の通常のまたは病理学的な崩壊により血流の中に現れるビリルビンの制御可能な破壊はビリルビン血症等のような病気の予防を可能にする。この場合に、１乃至１０００ｍＷ／ｃｍ2 の出力密度および０．０６乃至３０Ｊ／ｃｍ2 の１日の線量を伴う４５０乃至４６０ｎｍにおける血管により十分に供給される口腔の粘膜および下層組織の光照射が好ましい。
【０１０４】
ＡＬＡ、ヘマトポルフィリン等のような適当な光力学的な物質の局所的供給（例えば、口腔の粘膜に対する供給）または静脈注射による光力学的な作用を介する血液の微小循環系内のウイルスの殺菌。この場合に、血管により十分に供給される口腔の粘膜および下層組織の光照射は１乃至１０００ｍＷ／ｃｍ2 の出力密度および０．０６乃至３０Ｊ／ｃｍ2 の１日の線量および使用する光力学的な物質の吸収スペクトルに対応する波長において行なうことが当然に好ましい。例えば、ＡＬＡの適用において、上記の波長はプロトポルフィリンＩＸの吸収帯域（４０９±２０、５０３±２０、５３８±２０、５５５±２０、５７６±２０、６００±２０、６３２±２０ｎｍ）に対応し、ヘマトポルフィリンの誘導体（ＨＰＤ）においては、上記波長は６２０±２０ｎｍである。
【０１０５】
唇の病気も光および／または組み合わされた光と熱の作用により治療できる。この場合に、ポルフィリン、シトクロムおよび分子酸素に対応する波長における１乃至１０００ｍＷ／ｃｍ2 の出力密度および０．０６乃至３０Ｊ／ｃｍ2 の日々の線量での口腔組織の照射はマクロファージの活性の増加、線維芽細胞の増殖、およびコラーゲンの増殖のために役立つラジカルを生成する。また、緑色光（５３０乃至５８０ｎｍ）および赤色光（６００乃至６５０ｎｍ）は頬の組織の中に進入してポルフィリンおよびシトクロムを活性化する。また、分子酸素は５８０±２０、６３０±２０、７６０±２０、１０６０±２０、および１２６８±２０ｎｍの波長において光活性化できる。さらに、０．５乃至３分の持続時間における処置中の４３℃までの特殊なヒーター（またはＬＥＤ電流の加熱）により与えられる適度な高体温がマクロファージの活性および線維芽細胞の増殖、およびコラーゲンの増殖における一定の共同作用的な効果を得るために望ましい。
【０１０６】
薬物配給。口腔の中、特に舌の下部の領域の軟質組織の照射は、血流の中の薬物配給の効率を改善できる。この光放射線はＮＯの物質を形成し、この物質はさらに血管を膨張させてその組織表面に配置される薬剤の吸収率および効率を高めることができる。一例の実施形態において、一定の薬物が舌の下部に配置されて光放射線が近くの軟質組織に向かって送り出される。別のさらに複雑な薬物配給は、放射線による、不活性な状態において口腔組織の中に容易に拡散できる、種々の化学治療成分の原位置における活性化を含む。例えば、一定の不活性な形態におけるこれらの物質は患者の口腔組織に対して投与した後に、一定の選択された波長における放射線による活性化を行なうことができる。
【０１０７】
本発明の口腔の用途における別の使用方法は歯の白色化および増白である。全ての現在の歯の白色化技法は過酸化物の化学的な白色技法に基づいている。歯の色は後天的な薄膜、エナメル質、ぞうげ質の構造および光学的な特性により定められる。これらの要素は全て一般に染色した外観を示す原因である。図３３は一定の歯の中の例示的な光の分布を示している。この場合に、光の３０％以上がぞうげ質に到達していて光の３０％以上が歯髄に到達していることに注目されたい。一方、歯の美容的な外観はエナメル質およびぞうげ質からの反射により決まる。さらに、外在性および／または内在性の染色が歯の色を決める。通常において、歯の表面におけるタンパク様の層の中に捕捉されて強く結合するタンニン、他の食物色素、および煙のポリフェーノールの成分等のような種々の化合物が後天的な膜における外在性の染色を生じて、一般的に一定の歯ブラシにより機械的に除去できる。また、歯の自然な色はぞうげ質およびエナメル質−ぞうげ質の接合部分の光の散乱および吸収の特性により決定される。年齢と共に、ぞうげ質に含まれるコラーゲンを含む多くのタンパク質が分子構造の変化により比較的に黄色くなる。このような年齢依存性の着色が内在性の着色の一例である。また、ヘビー・スモーカー、コーヒーの愛好者および赤ワインの愛好者においては、食物の着色剤が歯の深い部分、すなわち、エナメル質およびぞうげ質にまでに浸透し、それゆえ、機械的な浄化により除去できなくなるので、必然的に内在性として見なされる。さらに、飲料水の中の過剰なフッ素によるかテトラサイクリンの長期間の使用により生じる一部の全身系的な病巣は内在性の着色物質の別の例である。このような内在性の歯の染色を漂白するために、酸化または酵素の適用に基づく種々の化学的な方法が通常において用いられている。
【０１０８】
本発明の口腔器具からの光放射線の使用は効果的な歯の白色化および増殖を行なうことができる。また、発光式歯ブラシを使用することによる別の利点は多くの場合に有効な殺菌および病巣の治癒に基づいている歯周病、カリエスおよびその他の口腔の病気の使用者の家庭における同時の予防および／または治療であると言える。
【０１０９】
上記の口腔器具はエナメル質およびぞうげ質の中の色の中心の漂白の以下のような例示的なメカニズムに基づく光学的な歯の白色化および増白を行なうことができる。すなわち、（１）短波長（３００乃至５００ｎｍ）の直接的な光漂白、（２）９６０±２０ｎｍ、および／または１２００乃至１２０００ｎｍ、さらに好ましくは１４５０±１５０ｎｍ、および／または１８９０±２５０ｎｍおよび／または２４００乃至３２００ｎｍ、９０００乃至１２０００ｎｍの範囲内の波長が光熱的な漂白において用いられる、および（３）５８０±２０、６３０±２０、７６０±２０、１０６０±２０、および１２６８±２０ｎｍにおける組織内の酸素による光の吸収、および／または内因性および／または外部から供給される光感作剤および／または光触媒（ＦＤＡ認可された色素、および／またはカーボン・ブラック（移植片コポリマー）、フルレレン（炭素のナノ粒子）、および／またはツブレン（炭素のナノチューブ）、および／またはＴｉＯ2 のナノ粒子）における光力学的な作用による一定の光感作剤の吸収帯域に対応する３００乃至９００ｎｍの範囲内の選択的な波長における光の吸収によるエナメル質およびぞうげ質の中の一重項酸素の直接的な光および光化学的な生成。
【０１１０】
図３４はエナメル小柱およびぞうげ細管の導波管作用によるエナメル質およびぞうげ質の中の歯の構造および光の経路を示している。一例の態様において、本発明はぞうげ質の構造および歯髄の中の内在性の染色を治療するために歯の中に深く放射線を送り込むために上記の作用を利用している。一部の実施形態において、本発明の口腔器具はぞうげ質の中の染色を光学的に照射する。本発明の主な利点の一例は歯の表面だけでなく、硬質組織（エナメル質およびぞうげ質）の中の深い部分にも一重項酸素のような活性なラジカルを生成し、それゆえ、内在性の着色物を効果的に漂白する可能性である。上記ぞうげ質の導波管（光子結晶）構造は水により充たされている狭いぞうげ細管（１乃至５μｍの直径）および種々の有機性の物質（コラーゲン）により囲まれているぞうげ芽細胞の中に光を集中させる可能性を与えている。このような全体の光の吸収体を漂白するための本発明の特異的な特徴は歯の白色化のみでなく、光の全体の吸収における減少および後方散乱における増加による歯の増白も行なう。光生体刺激はまた歯周および歯髄を標的とする放射線により新しいぞうげ質を生じることにより深い歯の構造の美顔的な概観を向上するために用いることができる。さらに、低い線量の放射線を毎日利用することは歯の若返りを生じることができる。
【０１１１】
別の実施形態において、本発明の光学器具はぞうげ質およびエナメル質の中の染色を減少するために歯を照射するために用いられており、これによりその歯は白色化して増白される。一例の実施形態において、歯は約３００乃至１３５０ｎｍの波長帯域内の放射線により光学的に照射される。この口腔器具はまた比較的に良好な浄化のための機械的な振動装置および／または光感作剤の電気泳動のための電極も含むことができる。加えて、エナメル質からの反射光および／または蛍光の検出のための光検出器およびマイクロチップが歯の色をモニターするために使用できる。
【０１１２】
電気的なヒーターによるか約８００ｎｍ乃至やく１０００００ｎｍ（１００ミクロン）の波長範囲内の放射線による加熱が白色化および増白を容易にするために使用できる。この光放射線の使用は深い選択的な加熱を可能にするので特に有利である。適当な波長を選択することにより、歯は所定の深さまで加熱でき、その色の中心を漂白および拡散の熱による誘発によりエナメル質から破壊および除去できる。これにより、その染色は歯から拡散して出て唾液または（存在する場合に）塩水溶液の中に溶解できる。好ましい波長範囲は９６０±２０ｎｍ、および／または１２００乃至１０００００ｎｍ、さらに好ましくは１４５０±１５０ｎｍ、および／または１８９０±２５０ｎｍおよび／または２４００乃至３２００ｎｍを含む。
【０１１３】
本発明の口腔器具はまた内在性の光吸収体のみを用いて歯を直接的に光漂白することも可能である。あるいは、上記の外因性の発色団が歯の白色化および増白の効果を高めるために使用できる。さらに、上記発色団（およびその他の治療剤）を歯に供給した後にその歯を灌注できる。
【０１１４】
直接的で実験的なモデル化がお茶、コーヒー、または赤ワインの作用により生じる外来の色素の漂白のためのＭＢおよび赤色光照射の効果について行なわれている。適当なモデルとして、義歯プロテーゼのために用いるアクリル樹脂材料が選択されている。この場合に、３ｍｍの厚さのスラブが用いられている。さらに、これらの染色がお茶、コーヒーまたは赤ワインの滴下により行なわれて、１乃至２時間にわたりそのサンプルの自然な乾燥が行なわれている。この場合に、上記サンプルが完全に乾燥せず、ある程度の湿り気を残すことが光漂白において受容である。
【０１１５】
速やかな調製期間を与える単純なモデルは高品質の白色紙の使用に基づいている。このようなモデルの場合に、数的のお茶、コーヒー、または赤ワインの数分間にわたる供給で十分である。さらに、上記のような染色した歯の実験的なモデルの調製後に、光漂白実験が行なわれている。最初に、上記の染色したサンプルが数分間にわたり１％のＭＢ色素の水溶液により含浸されている。次に、これらのサンプルの後方反射スペクトルが光ファイバー型ＣＣＤ格子分光計ＬＥＳＡ−７を用いて４００乃至８００ｎｍの範囲内において測定されている。この場合に、これらのスペクトルは光漂白したサンプルに対する一定の基準線として作用する。さらに、これらの光漂白したサンプルは２０ｍＷ／ｃｍ2 の出力密度を与えるＨｅ−Ｎｅレーザー（６３３ｎｍ）により１０分間にわたり照射を受けている。
【０１１６】
コーヒーの染色の場合の結果が図３５および図３６において示されている。照射前に受け取られたスペクトルは４５０ｎｍにおいて最大値を有するコーヒーの吸収帯域および６５０ｎｍの近辺の２個の最大値を有するＭＢを示している。しかしながら、レーザー照射の１０分後に、上記のスペクトルは大きく変化している。すなわち、両方の発色団の光漂白、すなわち、コーヒー抽出物およびＭＢによる吸収の大幅な低下により、上記スペクトルは可視光域内において約２倍に高い反射（散乱）を伴って平坦になっている。それゆえ、上記サンプルの白色化および増白が生じている。
【０１１７】
図３６において示されている示差の見かけの光学密度のスペクトルは光漂白の効率を評価することを可能にしており、この効率はコーヒー抽出物およびＭＢの吸収帯域においてはるかに大きい。なお、これらの負の値は上記モデルの反射率が照射により増加していることを意味する。
【０１１８】
全ての試験した色素（コーヒー、お茶、および赤ワイン）の場合に同様の結果が得られていることに注目する必要がある。従って、上記白色紙のモデルは十分に役立ち、異なる発色源の標的の色素を漂白するための光感作の活性の速やかな試験において推奨できる。
【０１１９】
また、別の実施形態において、ぞうげ質の染色がその染色の吸収領域内の直接的な光放射線により選択的に光漂白できる。従来の歯の白色化とは異なり、本発明は使用者が染色の吸収スペクトルの近辺に集中している波長領域の選択を使用することを可能にしており、この範囲は約２８０乃至約８００ｎｍの範囲内にできる。この結果は極めて特定の波長帯域による白色化および増白である。
【０１２０】
図３７に基づく、別の実施形態において、本発明は適当な波長の放射線により活性化できる少なくとも１種類の発色団８０を含む柔軟な薄膜７８として形成されている歯の白色化片７６を提供している。この薄膜７８は被験者の歯の上にこれを配置することを可能にするために十分に柔軟であり、好ましくは一定の治療期間中においてその歯に対する接触を容易にするために当業界において知られている種々の接着剤を含むことができる。この薄膜７８は、当業界において知られている材料を用いて形成することができ、約２０乃至約１５００ミクロンの範囲内、さらに好ましくは、約５０乃至約１０００ミクロンの範囲内の一定の厚さを有することができる。一部の実施形態において、上記薄膜は一定の高分子基材、例えば、エチレン・オキシドの基材であり、この材料は一定の可塑剤、例えば、プロピレン・グリコールまたはポリエチレン・グリコール等を随意的に含むことができる。また、上記発色団８０は、好ましくは一定の非過酸化物の発色団であり、例えば、歯の白色化のための上記の発色団の任意の物とすることができる。また、この発色団８０は種々の異なる方法で上記薄膜７８の中に組み込むことができる。例えば、この発色団８０は上記膜の高分子基材の中に分散させることができ、あるいは、一定の膜の表面の上の一定の薄い層として配置できる。
【０１２１】
本発明の別の態様において、生体刺激性のおよび／または歯の光治療方法が一定の既知の出力密度の光治療用の放射線に通常において反応する種々の状況に対して開示されている（１乃至３０日間だけ離れている１乃至１０回の治療）。しかしながら、本発明において、一連の一時的に離れている治療の期間が一定の患者に与えられており、この場合に、それぞれの期間は従来のプロトコルに従って一定の状況を治療するために必要とされる一般的な出力密度よりも低い一定の出力密度の治療用の放射線を供給している。この方法は光治療用の放射線の既知の出力密度の口腔における供給に通常において反応する一定の状況を選択する工程、および一定の患者に一連の一時的に離れている治療期間を与える工程を含むことができる。それぞれの期間はその患者の状況を治療するために必要とされる一般的な出力密度よりも低い一定の出力密度の治療用の放射線を供給する。さらに、上記一連の一時的に離れている治療期間はこれら一連の治療期間の累積的な効果により患者の状況が改善されるまで継続できる。上記の患者の皮膚表面に供給される出力密度は約１ｍＷ／ｃｍ2 乃至約１００Ｗ／ｃｍ2 であり、少なくとも治療している状況および放射線の波長により決まる。好ましくは、上記の歯または粘膜の表面におけるエネルギーは１０ｍＷ／ｃｍ2 乃至１０Ｗ／ｃｍ2 である。また、上記放射線は１秒乃至１時間の一定の持続時間にわたり供給できる。さらに、エネルギーの流量は約１Ｊ／ｃｍ2 乃至１０００Ｊ／ｃｍ2 、このましくは約１０Ｊ／ｃｍ2 乃至１００Ｊ／ｃｍ2 の範囲内にできる。多くの実施形態において、ＬＥＴＭまたはＬＥＭＰの発光面積は約０．１乃至約１００ｃｍ2 の範囲内にすることができ、配給される出力は約１ｍＷ乃至約１０Ｗの範囲内、好ましくは約１０ｍＷ乃至約１Ｗの範囲内である。また、このような出力は一定の電池と同程度に小さくできる出力供給源または差込式の供給源により、上述したような、高度に効率的な光源を用いることにより配給できる。
【０１２２】
本発明の教示に従う発光式の器具を形成するために種々の製造技法が採用できる。例えば、図３８において、複数の発光源１８が当業界において既知の一定の様式で、例えば、ＧａＡＳの支持体等のような、支持体７４の上にエピタキシャルに形成できる。例えば、各光源は１個以上の所望の波長帯域内の放射線を発生するために当業界において知られている一定の様式で組成物が選択されている繰り返し単位を有する一定の半導体のヘテロ構造として形成できる。さらに、同様の様式で上記ウエハの反対側の面に剛毛に対して実質的に平行な方向に放射線を発生する付加的な光源を形成できる。各剛毛は支持体の表面に直接的にまたは種々の介在要素を介して結合できる。その後、支持体はブラシ・ヘッド１２の一部分の中に少なくとも部分的に収容でき、このブラシ１２は好ましくは上記光源により発生される放射線に対して実質的に透過性である一定の材料により形成されている。上記ブラシ・ヘッドを形成している材料はまた上記放射線供給源の冷却を容易にするために高い熱伝導性を示すことが好ましい。その後、ＬＥＤ構造が個々のＬＥＤの二次元マトリクスとしてまたは一定のダイオード・レーザー・バーに類似するＬＥＤの一次元のバーとして上記ウエハから切り出すことができる。また、別の実施形態において、上記剛毛の束は個々の活性な剛毛により形成できる。
【０１２３】
当業界における熟練者であれば、上記の各実施形態に基づいて本発明のさらに別の特徴および利点を認識することができる。従って、本発明は添付の特許請求の各項により示されている内容を除いて、以上において特定的に図示および記載されている内容により限定されない。また、本明細書において引用されている全ての刊行物および参考文献はそれぞれの内容の実態において本明細書に参考文献として特別に含まれている。
【図面の簡単な説明】
【０１２４】
本発明は以下の添付図面に基づく詳細な説明によりさらに完全に理解できる。
【図１】本発明の発光式の歯ブラシを示している。
【図２Ａ】本発明の発光式の歯ブラシの別の実施形態を示している。
【図２Ｂ】図２Ａにおいて示されている実施形態の別の図である。
【図３】本発明の発光式のマウスピースを示している。
【図４】本発明の発光式のマウスピースの別の実施形態を示している。
【図５】本発明の発光式の歯ブラシの別の実施形態を示している。
【図６】熱伝達要素を有する発光式の歯ブラシの別の実施形態を示している。
【図７】ヒーターを有する発光式の歯ブラシの別の実施形態を示している。
【図８】熱伝達のために造形されているヘッド・フレームを有する発光式の歯ブラシの別の実施形態を示している。
【図９】単一の方向に放射線を送り出している発光式の歯ブラシの別の実施形態を示している。
【図１０】異なる方向に放射線を送り出している図９の発光式の歯ブラシを示している。
【図１１】異なる方向に放射線を送り出している図９の発光式の歯ブラシを示している。
【図１１Ａ】本発明の発光式の歯ブラシの別の実施形態を示している。
【図１２】２個以上の方向に放射線を送り出すことのできる本発明の発光式の歯ブラシを示している。
【図１３】多数の方向に放射線を送り出す本発明の発光式の歯ブラシを示している。
【図１４】図１３の発光式の歯ブラシの別の実施形態を示している。
【図１５】図１３の発光式の歯ブラシの別の実施形態を示している。
【図１６】図１３の発光式の歯ブラシの別の実施形態を示している。
【図１７】図１３の発光式の歯ブラシの別の実施形態を示している。
【図１８】舌に向けて放射線を送り出すことのできる本発明の発光式のマウスピースの別の実施形態を示している。
【図１９】歯と頬との間に位置決めできる本発明の発光式のマウスピースの別の実施形態を示している。
【図２０】口腔の床に対して放射線を送り出すことのできる本発明の発光式のマウスピースの別の実施形態を示している。
【図２０Ａ】光学要素を伴う本発明の発光式の歯ブラシを示している。
【図２１】活性な光学的な剛毛を伴う本発明の発光式の歯ブラシを示している。
【図２２】本発明の活性な光学的な剛毛を示している。
【図２３】本発明の活性な光学的な剛毛の別の実施形態を示している。
【図２４】本発明の活性な光学的な剛毛のさらに別の実施形態を示している。
【図２５】本発明の活性な光学的な剛毛のさらに別の実施形態を示している。
【図２６】本発明の活性な光学的な剛毛のさらに別の実施形態を示している。
【図２７Ａ】センサーおよびコントローラを有する本発明の発光式の歯ブラシの別の実施形態を示している。
【図２７Ｂ】図２７Ａの発光式の歯ブラシの別の図である。
【図２８】振動機構を有する本発明の発光式の歯ブラシの別の実施形態を示している。
【図２９】本発明の発光式の歯ブラシの別の実施形態を示している。
【図３０】発電手段を有する本発明の発光式の歯ブラシの別の実施形態を示している。
【図３１】反射率対波長のグラフを示している。
【図３２】光結合剤のチャートである。
【図３３】歯の構造の中への光の進入の概略図である。
【図３４】歯のエナメル質、ぞうげ質、および歯髄の中への放射線の進入を示している。
【図３５】照射の前後の反射率対波長のグラフである。
【図３６】示差の見かけの光学密度対波長のグラフである。
【図３７】本発明の発光式の口腔器具をと共に使用するための歯の白色化片を示している。
【図３８】本発明の発光式の口腔器具の別の実施形態を示している。
【符号の説明】
【０１２５】
１０  歯ブラシ
１２  ヘッド部分
１４  剛毛
１６  ハンドル部分
１８  放射線供給源
１９  熱伝達要素
２０  反射面
２２  センサー
２３  薬物またはビタミン
２４  発光式マウスピース
２６  本体部分
２７  プロング
２８  歯
３１  開口部
３２  電力供給源
３４  コントロール・スイッチ
３５  コイル
３８  フレーム
３９  リード線
４０  ヒーター
４２  モジュール
４３  コントローラ
４４  振動装置
４６  付加的な部品
４８  本体部分
４９  基端部
５０  支持体
５２  反射要素
５４  屈折コア
５６  屈折クラッド
５８  剛毛の先端部
６０  光の漏れ
６２  先端部
７０  熱伝達要素
７２  貯蔵器
７４  支持体
７６  歯白色化片
７８  皮膜
８０  発色団
８２  一定の領域
８４  円柱
【図１】
2006521875.tif 000003
2006521875.tif 000004
【図３】
2006521875.tif 000005
【図４】
2006521875.tif 000006
【図５】
2006521875.tif 000007
【図６】
2006521875.tif 000008
【図７】
2006521875.tif 000009
【図８】
2006521875.tif 000010
【図９】
2006521875.tif 000011
【図１０】
2006521875.tif 000012
【図１１】
2006521875.tif 000013
2006521875.tif 000014
【図１２】
2006521875.tif 000015
【図１３】
2006521875.tif 000016
【図１４】
2006521875.tif 000017
【図１５】
2006521875.tif 000018
【図１６】
2006521875.tif 000019
【図１７】
2006521875.tif 000020
【図１８】
2006521875.tif 000021
【図１９】
2006521875.tif 000022
【図２０】
2006521875.tif 000023
2006521875.tif 000024
【図２１】
2006521875.tif 000025
【図２２】
2006521875.tif 000026
【図２３】
2006521875.tif 000027
【図２４】
2006521875.tif 000028
【図２５】
2006521875.tif 000029
【図２６】
2006521875.tif 000030
2006521875.tif 000031
【図２８】
2006521875.tif 000032
【図２９】
2006521875.tif 000033
【図３０】
2006521875.tif 000034
【図３１】
2006521875.tif 000035
【図３２】
2006521875.tif 000036
【図３３】
2006521875.tif 000037
【図３４】
2006521875.tif 000038
【図３５】
2006521875.tif 000039
【図３６】
2006521875.tif 000040
【図３７】
2006521875.tif 000041
【図３８】
2006521875.tif 000042
【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
使用者の口の中に少なくとも部分的に適合するように寸法付けられて形付けされている本体部分と、
少なくとも１つの所望のスペクトル帯域内の光治療用の放射線により前記口腔の一部分を照射するために前記本体部分に結合している少なくとも１つの放射線発生装置と、を備えている、口腔光治療用アプリケータ。
【請求項２】
前記アプリケータが、光治療中に前記口腔の一部分に接触するのに適しており、そして１個以上の歯に接触するために適していてもよい、複数の剛毛をさらに備えている、請求項１に記載のアプリケータ。
【請求項３】
前記剛毛が少なくとも１つの波長範囲内の光治療用の放射線に対して実質的に透明であり、
前記放射線を拡散するための散乱剤をさらに含んでもよい、請求項１および２のいずれかに記載のアプリケータ。
【請求項４】
前記剛毛が反射性の材料により少なくとも部分的に被覆されている、請求項１〜３のいずれかに記載のアプリケータ。
【請求項５】
前記剛毛が、
光の分布を調整するように形付けられており、
円錐、テーパー状、湾曲状および螺旋の形状の群から選択される少なくとも１つの形状を有してもよい、請求項１〜４のいずれかに記載のアプリケータ。
【請求項６】
前記剛毛が１つ以上の蛍光、発光またはレージングの要素をさらに含む、請求項１〜５のいずれかに記載のアプリケータ。
【請求項７】
前記光学的に透過性の剛毛の光屈折特性が、当該剛毛と歯または口腔のの表面との間の接触が無い場合に、その口腔に対する光の伝達を妨げるように選択されている、請求項１〜６のいずれかに記載のアプリケータ。
【請求項８】
前記アプリケータが、移動または接触または診断のセンサーおよび当該センサーからの信号に基づいて前記放射線発生装置を制御するコントローラをさらに備えている、請求項１〜７のいずれかに記載のアプリケータ。
【請求項９】
前記アプリケータが前記口腔の一部分を加熱するためのヒーター要素をさらに備えている、請求項１〜８のいずれかに記載のアプリケータ。
【請求項１０】
前記アプリケータが標的組織部位に音響エネルギーを配給するための超音波発生装置をさらに含む、請求項１〜９のいずれかに記載のアプリケータ。
【請求項１１】
前記アプリケータが薬物配給ポートをさらに備えている、請求項１〜１０のいずれかに記載のアプリケータ。
【請求項１２】
前記アプリケータが、標的組織部位に光治療放射線の向きを変えるための反射性の外表面部をさらに備えている、請求項１〜１１のいずれかに記載のアプリケータ。
【請求項１３】
前記発生装置が少なくとも２つの分離しているスペクトル帯域内の放射線を発生する、請求項１〜１２のいずれかに記載のアプリケータ。
【請求項１４】
前記発生装置が、異なるスペクトル帯域の放射線を発生する少なくとも２つの放射線の供給源をさらに含む、請求項１〜１３のいずれかに記載のアプリケータ。
【請求項１５】
前記スペクトル帯域が重なっているか、あるいは、これらのスペクトル帯域が重なっていない、請求項１４に記載のアプリケータ。
【請求項１６】
前記アプリケータが、ヒート・シンクとして作用するハンドルをさらに備えている、請求項１〜１５のいずれかに記載のアプリケータ。
【請求項１７】
前記アプリケータが、当該アプリケータからの廃熱により前記口腔の一部分を加熱するための熱転移要素をさらに備えている、請求項１〜１６のいずれかに記載のアプリケータ。
【請求項１８】
前記アプリケータが、位相変化性の材料を含む熱転移要素をさらに備えている、請求項１〜１７のいずれかに記載のアプリケータ。
【請求項１９】
前記本体部分が、光治療中に少なくとも使用者の歯と歯肉との間に位置決めするために適合しているマウスピースの形態である、請求項１〜１８のいずれか１つに記載のアプリケータ。
【請求項２０】
前記本体部分が、光治療中に使用者の唇の少なくとも一部分を被覆している位置内に配置するために適合している、請求項１９に記載のアプリケータ。
【請求項２１】
前記アプリケータが、使用者による呼吸を容易にするためにその本体部分の中を通る気道の内孔部分をさらに備えている、請求項２０に記載のアプリケータ。
【請求項２２】
前記発生装置が、歯以外の口腔の部分を照射することに適合している、請求項１〜２１のいずれかに記載のアプリケータ。
【請求項２３】
歯を照射することに適合している少なくとも第１の発生装置と、歯以外の口腔の部分を照射することに適合している少なくとも第２の発生装置とをさらに備えている、請求項１〜２２のいずれかに記載のアプリケータ。
【請求項２４】
前記本体部分が、口腔の少なくとも一部分の形状に整合するようになっている、請求項１〜２３のいずれかに記載のアプリケータ。
【手続補正２】
【補正対象書類名】明細書
【補正対象項目名】全文
【補正方法】変更
【補正の内容】
【発明の詳細な説明】
【発明の内容の開示】
【０００１】
〔優先権〕
本特許出願は「ライト・エミッティング・トゥースブラシ・アンド・メソッド・オブ・イッツ・アプリケーション・フォー・オーラル・バクテリア・リダクション・アンド・ペリオドンタル・デイジーズ・アンド・キャリーズ・リージョン・トリートメント・アンド・プリベンション（Light Emitting Toothbrush and Method of Its Application for Oral Bacteria Reduction and Periodontal Disease and Caries Lesion Treatment and Prevention）」を発明の名称とする２００３年２月１０日に出願されている米国仮特許出願第６０／４４６，３００号、「ライト・エミッティング・トゥースブラシ・アンド・メソッド・オブ・イッツ・アプリケーション・フォー・トゥース・ホワイトニング・アンド・ブライトニング（Light Emitting Toothbrush and Method of Its Application for Tooth Whitening and Brightening）」を発明の名称とする２００３年２月１０日に出願されている第６０／４４６，３４２号、「メソッド・アンド・アパレイタス・フォー・レジュビネーション・オブ・ハード・アンド・ソフト・オーラル・ティシュー・アンド・ペリオーラル・フェイシャル・スキン・アンド・フォー・プリベンション・アンド・ヒーリング・オブ・デジージズ・ゼアオブ（Method and Apparatus for Rejuvenation of Hard and Soft Oral Tissue and Perioral Facial Skin and for Prevention and Healing of Diseases Thereof）」を発明の名称とする２００３年２月２１日に出願されている第６０／４４９，１８８号に対して優先権の恩典を主張しており、「メソッヅ・アンド・アパレイタス・フォー・パーフォーミング・フォトバイオステイミュレーション（Methods and Apparatus for Performing Photobiostimulation）」を発明の名称とする２００３年１０月７日に出願されている米国特許出願第１０／６８０，７０５号、および「メソッヅ・アンド・アパレイタス・フォー・コントローリング・ザ・テンパレイチャー・オブ・ア・サーフェイス（Methods and Apparatus for Controlling the Temperature of a Surface）」を発明の名称とする２００１年１１月２９日に出願されている第０９／９９６，６６２号の一部継続出願である「メソッヅ・アンド・アパレイタス・フォー・・デリバリング・ロー・パワー・オプティカル・トリートメント（Methods and Apparatus for Delivering Low Power Optical Treatments）」を発明の名称とする２００３年１１月４日に出願されている第１０／７０２，１０４号に対する一部継続出願として優先権を主張している。
【０００２】
〔発明の背景〕
本発明は発光式の歯ブラシおよび発光式のマウスピース等のような発光式の口腔器具を含む口腔を治療するための方法および装置に関連している。
【０００３】
口腔の中に見られる広範囲なバクテリアおよびその他の微生物が存在している。これらの微生物の存在は不健康な状況を示さないが、これらの微生物に対して手当てしなければ、口腔の病気および美顔的な劣化を含む種々の望ましくない影響を生じることになる。歯の変色、カリエスの形成、歯周炎および歯の損失は全て可能な結果である。
【０００４】
口腔のバクテリアはプラーク、歯および他の組織の表面におけるバクテリアの粘着質の無色の皮膜を形成し、これらのプラークを形成しているバクテリアは種々の毒素を形成する。経時的に、このプラークは別の種々の物質と混ざり合って硬化することにより粗い多孔質な堆積物である結石になる。さらに、最終的な結果として、歯肉の腫れ、出血、および歯肉線維の拡大により特徴づけられる歯肉の痛み（歯肉炎）が生じる。加えて、上記プラークおよび結石の成長はその歯肉の歯からの分離を生じて、その歯と歯肉との間にポケットを形成し、その中にバクテリアが増えることができるようになる。さらに、これらのバクテリアの毒素は歯肉組織を破壊して骨の損失を生じることもあり得る。
【０００５】
従って、歯周の歯肉の病気および初期のカリエスの予防および治療は口腔の全ての領域内の効果的な殺菌または成長の抑制を必要とする。特に、歯肉組織と歯根の表面との間の接合部分およびエナメル質の表面の下部の中の殺菌が重要であるが、従来の手段では困難である。
【０００６】
歯周病の予防のための市販の歯ブラシ、練り歯磨き、化学抗菌剤を含有している口内リンス液および／または口内灌注液において利用可能な用途は部分的にのみ有効である。加えて、組織の損傷が始まると、従来の治療はその結果を逆行させることにおいて有効ではない。
【０００７】
加えて、口腔は細菌の増殖の直接的な結果である可能性もある場合もある、舌の病気、唾液腺および小舌下管の炎症、損傷した神経、口腔の痛み、喉の痛み／扁桃炎、歯の知覚過敏症、および歯の変色を含む種々の別の状況の宿主になる可能性がある。これらの状況および他の状況は新規な口腔の治療プログラムにより恩恵を受ける可能性がある。
【０００８】
従って、微生物を有効に殺菌および／または抑制でき、バクテリアの損傷作用を逆行させるために役立ち、さらに／または、口腔の中、またはその近く、またはこれに関連する種々の状況に対して治療を行なうことのできる改善された口腔の治療に対する要望が当該技術分野において存在している。
【０００９】
〔発明の概要〕
本発明は口腔の中、またはその全体、またはその周辺における組織の治療のための方法および装置を提供している。本発明はさらに口腔の中の光治療を行なうための発光式の口腔アプリケータを含む。
【００１０】
一例の態様において、本発明は使用者の口腔の中に少なくとも部分的に適合するように寸法付けられて形付けされている本体部分を有する口腔光治療用のアプリケータを提供し、光治療用の放射線によりその口腔の一部分を照射するための少なくとも１つの放射線の発光要素を含む。このアプリケータは多数の異なるスペクトル帯域において放射線を発光し、さらに／または、口腔の中の多数の領域を照射することを可能にできる。
【００１１】
本発明のさらに別の態様において、上記口腔アプリケータは口腔の少なくとも一部分の形状に一致することに適合できる。例えば、この口腔アプリケータの本体部分は口腔の少なくとも一部分に対する一致を容易にするために順応性であることができ、さらに／または、使用者の歯と歯肉との間における位置決めに対して適合できる。
【００１２】
上記口腔アプリケータは随意的に少なくとも１つの波長領域内の光治療用の放射線に対して実質的に透過性である複数の剛毛を随意的に含むことができる。一例の実施形態において、これらの剛毛は放射線の発光装置に対して光学機器を介して連結していてその発光装置からの放射線を受容して伝播するための導波管として作用できる。また、これらの剛毛は放射線を拡散するためにこれらの剛毛の中に配置されている改善された形状および／または散乱剤に基づいて光を拡散するために作用できる。加えて、上記の剛毛はその剛毛と口腔の表面との間に接触の無い口腔に対する光の伝達を阻止するように選択されている光屈折特性を有することができる。
【００１３】
本発明の別の態様において、上記口腔アプリケータは歯以外の組織に対して主に放射線を配給するための光学要素を含むことができる。例えば、この口腔アプリケータが剛毛を含む場合に、放射線がこれらの剛毛に対して平行でない方向に発光できる。
【００１４】
また、別の態様において、本発明は生体刺激性の作用を誘発するために少なくとも１つの選択された波長成分を有する放射線により被験者の口腔の少なくとも一部分を照射することによる生体刺激の方法を提供している。例えば、この生体刺激性の作用は照射された部分における増大した血液およびリンパの微小循環、歯髄内の血液の微小循環の活性化、増大した局所的なマクロファージの活性、増大した線維芽細胞、骨芽細胞およびぞうげ芽細胞、口腔内のバクテリア、真菌、およびウイルスの少なくとも１種類の殺菌、口腔のｐＨ値の正常化、被験者の血液微小循環系内のウイルスの殺菌、選択された代謝血液成分の光誘発型の破壊、歯肉の出血の減少、歯の知覚過敏症の低下、歯および喉の痛みの減少、歯根膜および骨の再生、インプラントの接続、エナメル質の再鉱物質化、カリエスの予防、根管の滅菌、炎症の予防および歯周病の予防および治癒のいずれかを生じることができる。さらに別の実施形態において、選択された合計の放射線の容量に到達することにより生体刺激を行なうために多数の治療期間の放射線が投与される。
【００１５】
関連の態様において、上記の生体刺激作用は照射した組織内に約１ジュール／ｃｍ2 乃至約１０００ジュール／ｃｍ2 の範囲内、さらに好ましくは約１０ジュール／ｃｍ2 乃至約１００ジュール／ｃｍ2 の範囲内の線量を蓄積するために約１ｍＷ／ｃｍ2 乃至約１０Ｗ／ｃｍ2 の範囲内の放射線の出力により多数の治療期間中に口腔を照射することにより達成されている。これらの治療期間はそれぞれ約１０秒乃至約１０００秒、必要であれば、さらに長時間にわたり継続でき、合計の治療の線量、例えば、約Ｘジュール／ｃｍ2 乃至約Ｘジュール／ｃｍ2 の範囲内の合計の線量、さらに好ましくは約Ｘジュール／ｃｍ2 乃至約Ｘジュール／ｃｍ2 の範囲内の合計の線量が口腔組織の中に蓄積されるまで繰り返すことができる。
【００１６】
また、別の態様において、上記生体刺激用の放射線は口腔の中の軟質組織、例えば、顔面の組織に対して主に供給される。さらに、一部の実施形態において、顔面の皮膚の下方のアクネ症等のような皮膚科学的または美顔的な状況に一定の線量を蓄積するために口腔が照射される。
【００１７】
別の態様において、本発明は口腔に無毒性の発色団を供給して一回の処理期間中にこれらの発色団に対して低い用量の放射線を配給する処理を含む歯の治療の方法を提供している。この放射線は上記無毒性の発色団の吸収帯域内の一定の波長を有することができ、その用量は上記発色団が通常において応答する出力密度よりも低くすることができる。さらに、連続的な期間において、上記発色団が活性化するまで上記放射線を供給する工程が繰り返される。この発色団は好ましくは歯の白色化剤および増白剤であり、さらに／または、抗菌剤であり、この抗菌剤は一例の実施形態において、発色団が内部に配置されている皮膜として供給される。さらに付加的な工程として、熱および／または付加的な発色団が口腔に供給できる。
【００１８】
本発明の別の態様において、口腔が内因性の光感作剤により吸収されるスペクトル内の光放射線により直接的に光漂白されている。好ましくは、この内因性の発色団はぞうげ質の中に存在する歯の変色部分である。
【００１９】
以下の添付図面と共に詳細な説明を参照することにより本発明がさらに理解できる。
【００２０】
〔発明の詳細な説明〕
本発明は一般に口腔の中、その全体におけるおよび／またはこれに関連する種々の状況を治療するために使用者の口腔を照射するために使用する発光式の口腔器具に関連している。本発明の口腔器具は、例えば、発光式の歯ブラシ、発光式のマウス・ピース、または口腔の中に挿入するために適合している種々の別の種類の発光式のプローブを含むことができる。
【００２１】
図１，２Ａおよび２Ｂによれば、本発明の教示に従う発光式の歯ブラシ（ＬＥＴＢ）１０の一例の実施形態は剛毛１４、または光エネルギーの別の配給システム、を伴うヘッド部分（ブラシ・ヘッド）１２、およびハンドル部分１６を含む。このヘッド部分は好ましくは少なくとも１個の光放射線の供給源１８を含み、高度に反射性の表面２０およびセンサー２２等のような別の要素も随意的に含むことができる。また、この光放射線の供給源は上記ハンドル部分に取り付けることも可能である。
【００２２】
一部の実施形態において、上記のヘッド部分１２およびハンドル部分１６は単一の装置として随意的に形成することができ、別の実施形態において、上記ハンドル部分と本体部分は洗浄および／または交換を可能にするために取り外し可能にさらに交換可能に互いに係合している。ハンドル部分１６は電池等のような電力供給源３２、およびコントロール・スイッチ３４および随意的に制御用の種々の電子機器を含むことができる。図２Ｂはフレーム３８を含むヘッド部分１２のさらに詳細な図を示しており、このフレーム３８は内部の種々の部品を保護することができ、光源１８から外部環境への熱伝達を行なうために、金属、セラミック、炭素繊維を伴うプラスチック等のような高度に熱伝導性の複合材料等を含む熱伝導性の材料により随意的に形成できる。このヘッド部分１２はまた剛毛１４および電力を電力供給源３２から光放射線の供給源１８に供給するためのリード線３９も含むことができる。
【００２３】
以下において詳細に説明されているように、放射線供給源１８は単一の帯域幅または多数の異なる帯域幅で放射線を発生する単一の供給源とすることができる。あるいは、この放射線供給源１８は、例えば、同一または異なる帯域幅で放射線を発生する発光ダイオード（ＬＥＤ）の行列構造またはアレイ等のような複数の光源を含むこともできる。さらに、この放射線供給源は多色型ＬＥＤ等のような多数帯域型の光源とすることができる。一部の実施形態において、この放射線供給源はランプ等のような広帯域の供給源とすることができ、１個以上の所望の帯域幅の中の放射線を選択するための１個以上のフィルターに随意的に結合できる。
【００２４】
図３は光放射線供給源１８と共に本体部分２６を含む発光式マウスピース（ＬＥＭＰ）２４を示している。図示のように、本体部分２６は使用者の口腔の中に少なくとも部分的に適合するように寸法付けられて形付けされている。加えて、この本体部分は使用者の口腔の少なくとも一部分に対して一致するように形付けされている表面部分を含む。一例の実施形態において、この発光式マウスピースは切歯、双頭歯、および／または大臼歯を含む歯２８に対して位置決めするために形付けられている表面部分を含むことができる。この表面部分はまた歯と口腔の各壁部との間の口腔の各部分に適合するように形成することもできる。また、上記表面部分が適合できる別の体の部分は使用者の舌、使用者の口蓋（硬質および／または軟質の口蓋）、および／または口腔の床（例えば、使用者の舌の下部）を含む。
【００２５】
上記マウスピース２４は使用者がこのマウスピースを把持することを可能にするハンドル３０を含むことができ、電池等のような電力供給源およびコントロール・スイッチを含むことができる。一例の実施形態において、上記ハンドルは口腔に対して種々の物質を配給または除去するための経路３１も含む。例えば、この経路３１は空気の入口および／または出口を提供し、種々の治療剤および／または薬物の配給を行ない、水の排出を行なうことができる。
【００２６】
図４は概ね「Ｕ」字形状の本体部分を定めている２個の実質的に平行なプロング２７を含む発光式のマウスピース２４の別の実施形態を示している。それぞれのプロングは好ましくは少なくとも１個の光放射線供給源１８、および好ましくは多数個の光放射線供給源を有しており、これらはその本体部分が使用者の口腔の中に位置決めされている時に頬および顔面組織を照射するために位置決めされている。また、例えば、運動用のマウスガードに類似している様式で使用者の歯の両側を囲っているマウスピースを含む種々の別の形状も有用である。さらに、光放射線の供給源は歯および歯肉に対して光治療用の放射線を供給するために上記マウスピースの内側に配置することができ、あるいは、光治療用の放射線を頬または顔面組織に配給するために外側に向けて配置することもできる。
【００２７】
本発明の発光式の口腔器具の中に配置されている光放射線供給源は好ましくは約１乃至５０，０００ｍＷ／ｃｍ2 の範囲内の出力密度および１ｍＷ乃至１０Ｗの全体の出力を伴う約２８０ｎｍ乃至１０００００ｎｍの範囲内の電磁放射線を配給できる種々の放射線供給源を含むことができる。一例の好ましい放射線供給源は１乃至２０個の異なる波長において発光するＬＥＤまたはＬＥＤ型マトリクス照射装置である。上記口腔器具のための放射線供給源は好ましくは簡潔で、有効で、低コストであり、必要な波長および出力を供給する。好ましい実施形態において、上記放射線供給源の出力スペクトルは約２８０乃至１２０００ｎｍの範囲内であり、約１０ｍＷ乃至１Ｗの範囲内の出力を有する必要がある。なお、上記用語の「光（light）」および「放射線（radiation）」は、例えば、約２８０ｎｍ乃至約１００，０００ｎｍの範囲の光治療において有用な光放射線の全体のスペクトル範囲を含むように本特許出願を通して交換可能に用いられており、可視スペクトルに限定されていない。また、この放射線供給源の大きさは口腔器具の中に詰め込むために十分に小さく、少なくとも１乃至１５分間にわたり電池により電力供給するために十分に効率的であることが当然に好ましい。
【００２８】
一例の実施形態において、上記の光放射線供給源は発光ダイオード（ＬＥＤ）および、例えば、エッジ発光式ＬＥＤ（ＥＥＬＥＤ）、表面発光式ＬＥＤ（ＳＥＬＥＤ）または高輝度ＬＥＤ（ＨＢＬＥＤ）等のような種々のＬＥＤの変形物を含む固体照明（ＳＳＬ）である。このＬＥＤはＡｌＩｎＧａＮ／ＡｌＮ（２８５ｎｍから発光）、ＳｉＣ、ＡｌＩｎＧａＮ、ＧａＡｓ、ＡｌＧａＡｓ、ＧａＮ、ＩｎＧａＮ、ＡｌＧａＮ、ＡｌＩｎＧａＮ、ＢａＮ、ＩｎＢａＮ、ＡｌＧａＩｎＰ（ＮＩＲ（近赤外）およびＩＲ（赤外）において発光）等のような異なる材料に基づくことができる。上記ＬＥＤはまたその活性材料として一定のポリマーにより構成されていて発光の広範囲なスペクトルを有する種々の有機ＬＥＤも含む。このような放射線供給源は種々のＬＥＤ素子、透明な境界領域を伴うＬＥＤ、光通信用の結晶構造、または共振キャビティ型発光ダイオード（ＲＣＬＥＤ）の形成手段としてのＬＥＤとすることができる。
【００２９】
また、別の可能性は超発光ダイオード（ＳＬＤ）または好ましくは広範囲な発光スペクトルの供給源を提供できるＬＥＤを含む。加えて、レーザー・ダイオード（ＬＤ）、導波管レーザー・ダイオード（ＷＧＬＤ）、および垂直キャビティ面型発光レーザー（ＶＣＳＥＬ）もまた利用可能である。さらに、種々のＬＥＤのために用いられている同じ材料がこれらのダイオード・レーザーのためにも使用できる。さらに、別の可能性はレーザー・ダイオードのポンプ作用を伴うファイバー・レーザー（ＦＬ）を含む。また、ＬＤ、ＬＥＤまたは電流／電圧供給源からの電気または光のポンプ作用を伴う蛍光固体素子の光源（ＦＬＳ）もまた上記の放射線供給源となり得る。さらに、このＦＬＳは電気的なポンプ作用を伴う有機ファイバーとすることができる。
【００３０】
さらに、白熱ランプ、蛍光ランプ、マイクロ・ハライド・ランプまたは別の適当なランプ等の種々のランプも本発明と共に使用できる。ランプは白色光、赤色光、ＮＩＲおよびＩＲの照射のための放射線供給源を提供できる。また、５乃至１００ミクロンの範囲において、量子カスケード・レーザー（ＱＣＬ）または遠赤外発光ダイオードが使用できる。なお、当業界における熟練者であれば、種々の放射線供給源が寸法、出力の要求条件、所望の治療プログラム、およびこれらの種々の組み合わせに応じて上記光学器具において必要な光放射線を提供できることが認識できる。
【００３１】
ＬＥＤ、レーザー・ダイオード、またはマイクロランプはその発生した光エネルギーよりも２０倍までの高い熱エネルギーを発生できる。このような不要の無駄な熱に適応するために、上記発光式の口腔器具は熱伝達および／または冷却用の機構を含むことができる。例えば、上記の例示的な発光式歯ブラシのヘッド部分１２はその放射線供給源により発生される熱を消散するための熱伝導性の材料により少なくとも部分的に形成できる。例えば、図２Ｂを参照して、ヘッド部分１２は高い熱伝導率および／または良好な熱容量を有する材料により構成されていて放射線供給源１８に対して熱的に結合して当該供給源１８から熱を取り出すヘッド・フレーム３８を含むことができる。このフレームは歯ブラシの使用中に唾液または組織に対して接触できる上記ヘッド部分の外表面部まで延在できる。なお、当業界における熟練者であれば、アルミニウム、銅またはこれらの合金を含む金属、セラミックおよび炭素繊維等のような高度に熱伝導性の要素を有するプラスチック等のような複合材料等を含む種々の材料が上記の必要な熱の伝達を行なうことができることを認識できる。一例の実施形態において、この熱は上記フレームからその発光式の歯ブラシまたは発光式のマウスピースに接触している近くの組織および／または唾液に到る熱の伝達により除去される。さらに、この熱は口腔の組織および／またはその口腔組織の一部分に供給される練り歯磨きを穏やかに加熱して付加的なまたは改善された治療効果を得るために使用できる。
【００３２】
本発明の別の態様において、上記の熱は上記発光式歯ブラシのヘッド部分に沿ってハンドル部分まで伝達して、例えば、そのオペレータの手等のような、周囲の環境の中に消散させることができる。図５はヘッド部分１２、ハンドル部分１６、およびヘッド部分の中に組み込まれている少なくとも１個の放射線供給源１８を有する本発明の一例の実施形態による発光式の歯ブラシを概略的に示している。例えば、高い熱伝導率を有する材料により構成されているヒート・パイプ等のような細長い要素の形態の熱伝達要素１９がその一端部において上記放射線供給源に熱的に結合しており、その他端部において上記ハンドルの一部分に結合していて、その供給源により発生した熱をそのハンドルに伝達するようになっている。さらに、この熱伝達要素が結合している上記ハンドルの部分は、例えば、使用者の手等の周囲の環境に対する熱の伝達を容易にするために一定のしわを寄せた形状の表面を随意的に有することができる。
【００３３】
図６に基づく、別の実施形態において、本発明の教示による光治療式の口腔器具は相転移材料を貯蔵できる貯蔵器７２に放射線供給源により発生した熱を伝達する熱伝達要素７０を含むことができる。この相転移材料は、例えば、氷、ワックス、またはその他の適当な材料であり、熱を吸収して、例えば、液体から気体にまたは固体から液体に、その相を変化することにより、その熱を消散する。好ましくは、この相転移材料は約３０乃至５０℃の範囲内の溶融温度または蒸発温度を有している。
【００３４】
上記熱伝達要素の例は発光式の歯ブラシに関連して作成されているが、当業界における熟練者であれば、これらの熱伝達要素が本発明の種々の口腔器具のいずれにおいても使用可能であることが認識できる。特に、これらの熱伝達要素は発光式のマウスピースの中の放射線供給源からその近くの組織、ハンドルおよび／または周囲の環境に対する熱の貯蔵または伝達を行なうことができる。
【００３５】
一部の実施形態において、上記発光式の口腔器具は、例えば、治療用の放射線がその標的部分に供給されている間に、その口腔の標的部分を加熱するためのヒーターを含むことができる。このような熱治療は一部の治療プログラムにおいて有用であり、光治療と組み合わされる場合に付加的な共生作用を生じる。図７は本発明の一例の実施形態による発光式歯ブラシのヘッド部分１２の中に配置されている電気ヒーター４０を示している。このヒーターから近くの組織への熱伝達を容易にするために、ヘッド・フレーム３８は図８において示されているようなしわを寄せた形状を有することができる。
【００３６】
一部の実施形態において、加熱が放射線供給源により行なわれている。本発明の一例の態様において、ヒーター４０は、例えば、放射線供給源１８等の治療用の放射線を発生する放射線供給源とは異なる放射線供給源である。また、別の態様において、加熱は治療用の放射線を供給するために利用されている同一の放射線供給源により行なうことができる。例えば、このような実施形態において、少なくとも１個の帯域幅が口腔組織を加熱するために適合するように、その放射線供給源は広帯域の放射線、あるいは、２個以上の帯域幅における放射線を発生できる。あるいは、多数個の放射線供給源を使用することができ、これらの内の少なくとも１個が組織の深層加熱のための適当な波長の範囲で放射線を供給する。例示的な深層加熱用の放射線は約０．３８乃至約０．６ミクロンの範囲または約０．８乃至１００ミクロンの範囲内の波長を有する放射線を含む。なお、当業界における熟練者であれば、種々の電気的および非電気的なヒーターが本発明の口腔器具と共に使用可能であることが認識できる。
【００３７】
所望の治療プログラムに応じて、本発明の口腔器具から配給される光放射線は口腔の異なる領域に選択的に送り出すことができる。図９乃至図１６は異なる組織の領域を選択的に治療するための本発明の教示による発光式歯ブラシの種々の実施形態をそれぞれ示している。図９は放射線供給源により発生した光放射線が、例えば、複数の剛毛自体を通して、組織に触れているこれらの剛毛と実質的に同一の面積で送り出されている、一方向だけに作用する実施形態を示している。使用において、この放射線は、例えば、使用者の歯等のような硬質の組織に主に向けて送り出される。あるいは、図１０は、例えば、頬の中の組織等の、顔面の組織のような、軟質組織を主に照明するために剛毛の方向から離れて光放射線が送り出されている実施形態を示している。また、図１１は使用者の口腔の選択された各部分の中に、例えば、剛毛に対して実質的に垂直な方向に、装置の前方から光エネルギー放射線を送り出すための光源を有している本発明による発光式の歯ブラシの別の実施形態を示している。なお、この実施形態は使用者の喉の領域の軟質組織を選択的に照射するために特に適している。
【００３８】
本発明の一例の態様において、上記放射線の少なくとも一部分は歯の硬質組織に向かう以外の一定の方向で発光している。このことは剛毛またはその突出部分を囲む周囲により定められる断面積により表現される方向以外の方向に放射線を発光することにより、本発明の発光式の歯ブラシにより達成できる。図１１Ａは剛毛１４を伴う発光式の歯ブラシのヘッド部分１２を示している。図示のように、これらの剛毛の周囲はこれらの剛毛から外側に延出して円柱８４を形成できる領域８２を定めている。好ましくは、主に軟質組織を治療するために発光式の歯ブラシにより発生する光放射線はこの円柱８４に交差しない。
【００３９】
また、別の実施形態において、光放射線は同一の口腔器具から多数の方向に送り出すことができる（種々の図において方向の矢印５により示されている）。例えば、本発明の発光式の歯ブラシは、図１２において示されているように、２個の群のＬＥＤを含むことができ、一つの群は剛毛に対して実質的に平行な方向に放射することができ、別の群は反対側の方向に放射できる。図１３は図１２の装置から出ている放射線の方向を示している。
【００４０】
図１４は上記装置の両側から出ている放射線を伴う別の多方向発光式の歯ブラシを示している（剛毛はその頁から出ている）。また、図１５は前方に送り出されている放射線および剛毛の方向に送り出されている放射線を示している。さらに、図１６および図１７は３個以上の方向に送り出されている放射線を有する多方向発光式の歯ブラシの別の態様を示している。図１６は３個の方向の実施形態を示しているが、図１７は５個の方向の発光式の歯ブラシを示している（前方、両側、上方および下方）。
【００４１】
上記多方向発光式の口腔器具の図示の例は本発明の発光式のマウスピースに同様に適用できる。図３および図４において示されているように、光放射線は発光式マウスピース２４の本体部分２６から口腔の中またはその周囲の種々の構造または組織に向かって送り出すことができる。図１８は舌の周囲に放射線を送り出すように設計されている発光式のマウスピースを示している。この実施形態は過剰のバクテリアの増殖等のような舌の種々の病気を治療するために有用である。また、別の実施形態において、発光式マウスピース２４は歯、歯肉、および／または頬の組織を治療するように設計できる。例えば、図１９は歯および頬の組織の間に位置決めされている本体部分２６を示している。この実施形態において、光エネルギーは頬（口腔の壁部）、歯肉および歯の組織に向かって選択的に送り出されている。さらに別の実施形態において、上記発光式のマウスピースからの光放射線は、例えば、口腔の薬物またはビタミンの配給を支援するために、図２０において示されているように舌の下方の軟質組織、あるいは、口腔の別の部分に向かって送り出すことができる。一方、薬物またはビタミン２３は光源１８が放射線を薬物および粘膜に送り出す間に、例えば、液体の形態で開口部３１を通して粘膜に配給できる。この場合に、放射線は口腔の組織の中への薬物の取り込みおよび浸透を高めるために粘膜の透過性を高めるように選択できる。あるいは、または、さらに、この放射線は治療効果をさらに高めるために薬物を活性化できる。このような薬物配給の方法は病院または家庭において採用できる。
【００４２】
上記の光放射線が発光する方向は種々の様式で制御できる。一例の実施形態において、光放射線供給源１８は当該供給源が生成する放射線が標的組織に向かって移動するように配置できる。このことはその光放射線供給源を口腔器具の表面またはその近くに位置決めしてその表面を標的組織の近くに配置することにより達成できる。また、別の実施形態において、例えば、反射用または屈折用の要素等のような、光学要素を放射線の供給源により発せられる放射線を選択的に送り出すためにその供給源に結合できる。この光学要素は、例えば、回転可能な鏡、プリズム、および／またはディフューザーを含むことができ、これらは光放射線を標的組織に向けて送り出す。例えば、図２０Ａにおいて、本発明の一例の実施形態による発光式歯ブラシ１０は回転可能な鏡１１に光学的に結合している放射線供給源１８を含むことができ、この鏡１１は供給源１８により発せられる放射線を、矢印５ａにより示されているように、複数の剛毛に沿って送り出すか、あるいは、矢印５ｂにより示されているように、剛毛に対して実質的に反対側の方向に送り出すことができる。
【００４３】
単一方向または多方向の光放射線に加えて、本発明の口腔器具は単一または多数の帯域の光放射線を供給できる。例えば、一部の治療プログラムは単一の青色（４００乃至４３０ｎｍの中央波長）、単一の緑色（５４０乃至５６０ｎｍの中央波長）、単一の赤色（６２０乃至６３５，６６０ｎｍの中央波長）、またはＮＩＲの単一色（８００乃至８１０ｎｍの中央波長）等のような単一の波長帯域を必要とする場合がある。あるいは、２個、３個またはそれ以上の異なる光放射線の帯域を含む、上記およびその他の波長帯域の組み合わせも適用可能である。例えば、同一の状況をさらに効果的に治療するために、あるいは、２種類の異なる状況を治療するために、２個の分離している波長帯域を採用できる。
【００４４】
多数の異なる波長帯域が種々の様式で達成できる。本発明の一例の態様において、広帯域の放射線供給源が不要な波長をフィルターにより除去するための光学要素と共に用いられている。例えば、１個以上のフィルターがスペクトルの青色および赤色の部分における波長を除いて広いスペクトル範囲から全ての波長を除去することができる。また、本発明の別の態様において、多数の異なる帯域が多数の放射線供給源と共に達成可能であり、それぞれの供給源は所望の帯域における光放射線を供給する。さらに別の態様において、多数の異なる帯域を生成する単一の放射線供給源が使用できる。一例として、単一のＬＥＤが２個以上の異なる波長の帯域を生成するために使用できる。さらに、放射線エネルギーの蛍光変換が付加的な波長を発生するために採用できる。また、別の例として、ダイオード・ポンプ作用型のファイバー・レーザーが２個の波長を発生するために使用でき、一方はファイバーをポンピングするダイオード・レーザーに対応し、他方はファイバー・レーザーの波長に対応する。
【００４５】
上記口腔器具の一部の実施形態において、波長帯域を変化することが望ましい場合がある。このことは取り外し可能なヘッド部分を用いることにより本発明の発光式の歯ブラシにより達成できる。それぞれのヘッド部分は異なる波長の光を生成する放射線供給源を含むことができる。その後、使用者は取り外し可能なヘッド部分の中から選択することにより所望の波長帯域を選択できる。あるいは、そのハンドル部分が広帯域の光源を含み、取り外し可能なヘッド部分が所望の波長帯域を分離するフィルターを含むことができる。
【００４６】
上述したように、本発明の発光式の歯ブラシの種々の実施形態は硬質および軟質の組織の機械的な浄化、マッサージ、血液循環の活性化、改善された光の浸透のための軟質組織の圧縮、および改善された光の配給を含むがこれらに限定されない種々の機能を実行するための剛毛を含む。例えば、本発明の発光式歯ブラシのヘッド部分１２の切除した側面図である図２１はそのヘッド部分１２に結合している複数の剛毛１４を示しており、これらの剛毛１４は好ましくは放射線供給源１８により生成される帯域幅の内の少なくとも１つの範囲内の放射線に対して実質的に透過性の材料により構成されている。加えて、これらの剛毛１４は好ましくは光エネルギーを送り出すことに役立ち、さらに／または、組織に対する光放射線の伝達を、好ましくは最少の損失を伴って、容易にすることができる。口腔組織の中に放射線供給源により発生されるエネルギーを結合する場合の損失を最少にすることは放射線供給源の利用効率を好都合に高めて、本発明の発光式の歯ブラシおよびマウスピースの使用に伴う費用を最少にする。
【００４７】
図２２は透明な材料により形成されている細長い本体部分４８を有する、「活性な剛毛（active bristle）」としても呼ばれている、剛毛を示しており、この本体部分４８は基端部４９において、ＬＥＤまたはダイオード・レーザー等のような、放射線供給源１８、支持体５０、および光学的な反射要素５２に係合している。例えば、光学的な接着剤またはその他の適当な機構を介する、剛毛の放射線供給源１８に対する直接的で光学的な結合は放射線の剛毛の中への結合を好都合に高めており、この構造はさらに使用者の口腔に対する配給のためにその先端部６２に対して放射線を伝達するための導波管として機能する。例えば、鏡である、反射性の光学要素５２は剛毛の方向とは異なる種々の方向に発せられる光を剛毛の中に送り込み、このことにより、その剛毛の光源に対する光学的な結合性を高めている。例えば、この反射性の要素５２はＬＥＤから剛毛の中に放射線を発光するエッジ部分を結合するために使用できる。一例の実施形態において、支持体５０および光学要素５２はそれぞれの高度に反射性の表面により光エネルギーを方向付ける。このような設計はＬＥＤからの光の抽出および口腔組織に対するその配給を好都合に最大にする。
【００４８】
一例の実施形態において、それぞれの剛毛は放射線供給源１８に光学的に結合することができ、別の実施形態においては、それぞれの剛毛が個々のＬＥＤに結合できる。例えば、それぞれの剛毛は単一の放射線供給源１８に対して実質的に整合できる（図２２）。このような係合を容易にするために、剛毛１４は放射線供給源１８の発光面を受容するためにその基端部４９において形付けることができる。
【００４９】
一部の実施形態において、剛毛１４は放射線供給源から使用者の口腔の一部分に放射線を送り出すための一定の導波管として作用する。例えば、図２３は高い屈折性のコア５４および低い屈折性のクラッド５６を有する剛毛を概略的に示している。光放射線はコア５４の中に送り込まれて、クラッド５６により収容されている。この光エネルギーが開口した剛毛の先端部分５８に到達すると、放射線は放出される。この実施形態は放射線が剛毛の先端部分５８に接触している組織に送り込まれることを可能にしている。この光放射線の組織に対する伝達をさらに補助するために、剛毛の先端部分の屈折率および標的組織を一致させることができる。例えば、空気の屈折率と剛毛との間の差により、剛毛１４はその内部反射により光放射線をほとんど収容できる。さらに、その剛毛が組織に触れている時にのみ、放出される光放射線の量における増加が存在する。
【００５０】
本発明の一部の実施形態において、上記剛毛は選択された各点における放射線の制御された漏れを可能にするように形付けられている。例えば、図２４は光学ループの形態の剛毛１４の別の実施形態を示している。このループの両端部は光放射線供給源１８に接続している。この場合に、光は妨げられて完全なまたはほとんど完全な内部反射作用が光の漏れを可能にしている屈曲部分を除いてそのループの中に概ね収容されている。さらに、この屈曲部分は光放射線を配給するために一定の標的組織の領域の中に位置決めできる。このような剛毛はこれらが、例えば、口腔組織に接触している各部分等のような、それぞれの選択部分のみにおいて光が発せられることを確実にできるのでその装置における目の安全性も高めている。このような活性な剛毛はこれに接触している組織の中に完全な内部反射による光の抽出を可能にしており、目の安全性が特に重要である場合の高出力型の発光式歯ブラシおいて特に有用になることができる。本発明の発光式歯ブラシはそれゆえ上記のような活性な剛毛により形成されている一束の剛毛を含むことができる。
【００５１】
上記の剛毛は光放射線の制御された漏れを容易にする別の形状も有することができる。図２５は最大の曲率を有する各点において光の漏れ６０を可能にする螺旋形の剛毛を示している。また、図２６は基部から制御された先端部分の角度を有する比較的に小さな先端部分６２まで延在している円錐形の剛毛を示している。この場合に、放射線がその剛毛をその基部からその先端部分まで移動する時に、その剛毛およびその周囲環境の界面における放射線の入射角度は、各点６０ａ，６０ｂ，６０ｃおよび６０ｄ等のような、特定の点において放射線がその剛毛から漏れ出るように増大している。
【００５２】
別の実施形態において、剛毛をドーピングするか、放射線供給源の発光スペクトルを改善することにより、光エネルギーを一定の分散しているパターンで放出して熱点の形成を減少することが望ましい場合がある。例えば、剛毛がその中に分散されている蛍光材料を含むことができ、この材料が光放射線に曝される場合に蛍光を発する。あるいは、色素等のような、レージング材料を剛毛のドーピングのために使用することができる。
【００５３】
本発明の発光式マウスピースの本体部分も上記の剛毛について述べられている概念に基づいて放射線の制御された漏れまたは分散を可能にするために設計できる。例えば、光が各選択位置を除いてマウスピースの本体部分２６の中に収容可能であり、さらに／または、その本体部分が光分散性の材料を含むことができる。
【００５４】
本発明の口腔器具は口腔の中の治療をモニターし、さらに／または、その種々の状況を診断するためのセンサーを付加的に含むことができる。図２７Ａおよび図２７Ｂは、それぞれ、１個以上の蛍光検出モジュール４２を収容している診断用の発光式歯ブラシのヘッド部分の切除されている側面および下面を示している。それぞれのモジュールは好ましくは電子検出システムに接続できる光学フィルターおよび感光性のマイクロチップを収容している。この場合に、上記検出モジュールにより検出された蛍光信号が歯周ポケット、硬質組織（カリエス病巣）、唾液または真菌症の中のバクテリアの濃度に関する情報、ならびに、歯の白色化および増白に関する情報を与えることができる。さらに、付加的な蛍光信号が癌を含む異なる粘膜の種々の病気の初期的な診断のために採用できる。一例の実施形態において、上記の口腔器具は上記の蛍光信号に基づいて治療の完了時または状況の検出時を使用者に指示するための信号機構を含むことができる。また、別の実施形態において、一定の反射率計を本発明のＬＥＴＢまたはＬＥＭＰの中に組み込むことができる。例えば、ＬＥＤによる光誘発型の電流が反射光の検出のために利用できる。また、別の実施形態において、分離しているＬＥＤおよび光検出器が異なる波長における反射を測定するために採用できる。さらに、反射はカリエス、白色化、硬質組織の増白および／または粘膜の病気の診断のために採用できる。別の実施形態において、上記のＬＥＴＢまたはＬＥＭＰからの光が前歯のカリエスの透明さの診断のために採用できる。この場合に、約４５０乃至約８００ｎｍの範囲内の波長がこの目的のために使用できる。
【００５５】
種々のセンサーが、治療期間の完了時、口腔器具が適正に位置決めされた時、口腔器具が組織に接触している時、および／または治療領域内の温度が所定のレベルを超えたか否かを感知して使用者に知らせること等のような、種々の別の情報も使用者に提供できる。また、種々のセンサーが各治療期間の自動フィードバック制御を行なうためにコントローラと共に使用できる。一例の実施形態において、コントローラが診断用のセンサーからの信号に基づいて上記放射線供給源を制御するためにその診断用のセンサーに結合している。また、別の随意的な実施形態において、コントローラをセンサーと組み合わせてその口腔器具が組織に接触している時にのみ放射線を発光することができる。
【００５６】
図２７Ａおよび図２７Ｂは本発明の発光式歯ブラシの中に配置されているコントローラ４３を示している。なお、当業界における熟練者であれば、例えば、種々のマイクロスイッチ、マイクロプロセッサ、およびその他のアナログ式またはデジタル式に装置等のような種々のコントローラが上記発光式の口腔器具の種々の要素および治療パラメータを調整するために使用可能であることが認識できる。
【００５７】
別の実施形態において、本発明の口腔器具は治療を補助するための種々の要素を含むことができる。例えば、上記の発光式歯ブラシまたは発光式マウスピースは機械的な浄化を補助するために、機械的なまたは超音波式の振動装置等のような、振動機構を含むことができる。図２８は機械的な振動装置４４を伴う発光式歯ブラシを示している。この振動装置により発生した振動はさらに良好な歯の浄化のみでなく光治療を向上するために使用できる。例えば、この振動は軟質組織の中への光の進入を増加し、さらに／または、細胞および／またはバクテリアに対する光治療の効果を高めることができる。このような改善の一例の機構は光治療した標的に対する酸素の比較的に良好な配給である。図２９は電場、磁場、化学反応、および／または低いレベルの不安定な同位体放射線を形成するための付加的な部品４６を伴う発光式歯ブラシを示している。さらに、この部品４６は電気的に帯電した要素、磁石、薬品容器、同位体の容器等とすることができる。
【００５８】
さらに別の実施形態において、本発明は組織に対して放射線を比較的に効率的に配給するための反射性の表面を含むことができる。すなわち、放射線を一定の標的領域に配給する場合に、その放射線の一部がその組織表面により反射して放射線の損失を生じる可能性がある。この反射したエネルギーを節約するために、本発明の口腔器具は反射した放射線の少なくとも一部分を組織に戻す高い反射性の表面部分を含むことができる。例えば、図１において示されている発光式歯ブラシは放射線の配給効率を高めるための反射面２０を含む。また、上記発光式マウスピースの組織に対向している面部も同様に反射性にすることができる。
【００５９】
本発明の口腔器具は廃棄可能な電池、再充電可能な電池、および／またはコンデンサーとの組み合わせにおける太陽電池を含むことのできる光源および／またはその他の部品を駆動するための電力供給源３２（図２８）を含むことができる。あるいは、この電力は口腔器具の動作から部分的にまたは完全に誘導できる。例えば、図３０はコイル３５の内側に移動可能に配置されている磁石の棒３３を有する発光式の歯ブラシを示している。この場合に、ブラッシング中のこの発光式歯ブラシの前後の移動により光源、その他の部品、および／または再充電可能な電池の電気的な要求を充たすための電気的なエネルギーが発生できる。
【００６０】
本発明の教示による口腔器具は単一回様式および／または多数回様式、例えば、数週間または一ヶ月にわたり１日に２回等の治療処置の適用のために使用できる。本発明の口腔器具はその効果を改善するために、種々の発色団および光学的なカップラー等のような、種々の治療剤と共に使用できる。これらの物質は口腔に適用するための治療剤および発光式歯ブラシまたは発光式マウスピース等のような口腔器具を含む口腔器具システムの一部とすることができる。また、一例の実施形態において、上記治療剤はペースト、フィルム、液体リンス、スプレー、またはこれらの組み合わせ物の形態で口腔に供給される。
【００６１】
種々の発色剤（または光感作剤）が微生物の光力学的および光熱的な殺菌、ならびに、歯の白色化および増白を向上するための治療剤として有用である。これらの発色団は窒素酸化物、一重項酸素、および組織内のその他の種々のラジカルの発生につながる連鎖様式の光化学反応を誘発および／または高める固有の光受容体を含む。好ましい発色団は無毒性である発色団（すなわち、特定の光を伴わなければバクテリアや組織に対して全く作用が存在しない濃度よりも低い濃度において供給できる発色団）を含む。本発明において使用するための例示的な外因性の発色団は種々の色素、すなわち、メチレン・ブルー、インドシアニン・グリーン、ＡＬＡ−増殖中の細胞内のポルフィリンの誘導体、鉱物質光触媒、および種々の光感作剤、すなわち、ＴｉＯ2 、ナノ粒子、フラーレン（fullerenes）、ツブレン（tubulene）、カーボン・ブラック、およびその他の類似の治療剤を含む。
【００６２】
一方、内因性の発色団はまた口腔およびその周囲の組織の中においても存在できる。これらの発色団はそれぞれの吸収帯域内の光放射線に対する曝露時に上記外因性の物質に対して類似のラジカル生成を行なう種々の自然発生する物質である。例示的な固有の発色団はプロトポルフィリン、コプロポルフィリン、およびＺｎ−プロトポルフィリンのような種々のポルフィリンを含む。これらのポルフィリンに対応する吸収帯域は青色光、および比較的に少ない程度で、緑色光および赤色光を含む。さらに別の固有の発色団はシトゲン（cytogem）およびシトポルフィリン（cytoporphyrin）、ビリルビン、および分子酸素等のような種々のシトクロムを含む。
【００６３】
本発明と共に使用できる別の治療剤は光結合剤である。これらの化合物は組織の表面における光の散乱の量を減少することにより下層組織の中への高められた光学的なアクセスを行なう。例示的な光結合剤はグリセロール、グルコース、プロピレン・グリコール、ポリエチレン・グリコール、ポリエチレン・グリコール、Ｘ線造影剤（トラゾグラフ−６０（Trazograph-60）、トラゾグラフ−７６（Trazograph-76）、ベログラフィン−６０（Verografin-60）、ベログラフィン−７６（Verografin-76）、およびハイパーク−６０（Hypaque-60））、タンパク質（ヘモグロビン、アルブミン）、およびこれらの組み合わせ物を含む。また、これらの光学的な結合剤はエタノールおよび水（例えば、エタノール、グリセロールおよび水）等のような添加物と共に使用することも可能である。図３１は滴下によるグルコース溶液の投与におけるラビットの目についての生体内で測定した強膜組織の後方散乱（光の透過率の増加）の相当な減少を示している。さらに、歯肉組織の類似構造により、同一の光結合が光結合剤を含有している練り歯磨きによる歯の浄化の過程において数分（２乃至３分）以内に達成できる。一部の結合剤について、それぞれの屈折率およびｐＨ値が図３２において示されている。この図３２から、一部の光結合剤の適用が、散乱の効果的な減少に加えて、口腔内のｐＨ値（６．５乃至６．９）を正常化にすることができ、それゆえ、歯肉および歯ぐきの腫れを最少にすることができる。
【００６４】
さらに、付加的な治療剤は種々の除感作剤（例えば、クエン酸ナトリウムおよび硝酸カリウム）、ゲル化剤（例えば、塩化ナトリウムおよびグリセロール）、粘着質基質材料（例えば、カルボポル９７４ＮＦ(CARBOPPOL 974 NF)）、および従来の練り歯磨きを含むことができる。また、口腔内のｐＨ値を安定化または調節する種々の物質も治療剤として添加できる。
【００６５】
本発明の口腔器具は口腔の中およびその周辺における種々の光力学的なおよび光治療用の処置のために使用できる。これらの治療は約１乃至１００００ｍＷ／ｃｍ2 の範囲内の出力密度を伴う約２８０乃至３０００ｎｍの範囲内の光エネルギーの配給により生じる幾つかの生物物理的な現象に基づいており、集合的に生体刺激と呼ばれている。好ましい実施形態において、この生体刺激は約１Ｊ／ｃｍ2 乃至１０００Ｊ／ｃｍ2 の範囲内のエネルギーの流量を伴って行なわれ、さらに好ましい実施形態においては、約１０Ｊ／ｃｍ2 乃至１００Ｊ／ｃｍ2 の範囲内において行なわれる。
【００６６】
上記の生体刺激は、例えば、内因性の種々のポルフィリン、シトクロム、および組織の分子酸素による光吸収による歯肉、舌、唾液の腺および管、扁桃、声帯、唇、頬、口周囲の顔面の皮膚、およびその他の組織の血液およびリンパの微小循環における増加を含むことができる。この光吸収は血管および／またはリンパ管の拡張を生じる光刺激した酸化窒素（ＮＯ）を誘発することができ、さらにミトコンドリア内のＣａ2+の貯蔵および光減衰した交感神経性の血管運動神経の活性を生じる脈管平滑筋細胞の中のＣａ2+依存性ＡＴＰアーゼの活性化も誘発できる。さらに、これらの過程は組織のドレナージ（drainage）機能、内皮細胞および内皮白血球の増殖能力、および口腔の上皮、歯肉組織、神経組織、皮膚コラーゲン、およびその他の組織の再生を補助する新しい毛細管の網状構造の形成を活性化する。加えて、加熱を伴う光治療の組み合わせの作用もまた上記の種々の組織および腺の血液およびリンパの微小循環の活性化を生じることができる。
【００６７】
別の作用はエナメル質およびぞうげ質を通る導波管の光の伝播により生じる歯髄内の光の濃度による歯髄内の血液の微小循環の活性化、およびこれに対応するそのタンパク質基質を通る歯髄からエナメル質に到るカルシウム・イオンの流量の増加を含み、このカルシウム・イオンの増加はカルシウム・イオンがヒドロキシアパタイト構造内の空所を充たすことに役立つ。
【００６８】
上記の生体刺激はまた局所的な（口腔および周囲の組織）マクロファージの活性および線維芽細胞、骨芽細胞、およびぞうげ芽細胞の増殖における増加を誘発することもできる。さらに、このことは上皮、コラーゲン、神経組織、および硬質の歯の組織の再生を生じることができる。また、付加的な重要な利点はバクテリア、真菌、およびウイルスの殺菌も含むことができる。この作用は種々の内因性のポルフィリン、分子酸素、組み込まれた外因性の色素、鉱物質の光感作剤、および／または鉱物質の光触媒における光の作用により誘発される。
【００６９】
また、別の望ましい作用はバクテリアの活性の低下により生じる口腔のｐＨ値の正常化および口腔組織の腫れおよび浸透圧における減少を引き起こす口腔の病巣（口内炎）の治癒である。
【００７０】
全身性の有益な（生体刺激）作用もまた血液およびリンパの照射による改善された免疫能を賦与できる。特に、生体刺激は血液およびリンパのマクロファージの光により改善された免疫能を生じることができ、このことによりスーパーオキシドおよび酸化窒素、赤血球の膜の弾性、リンパ球の増殖活性が生じる。別の全体の作用は人間の概日リズムの光誘発型の制御を含むことができる。
【００７１】
本発明の口腔器具は光放射線により口腔の種々の領域を直接的に照射する処理を含む種々の他の治療処置のために使用できる。上記の発光式歯ブラシおよび発光式マウスピースの両方が加熱、振動、および種々の発色団および光結合剤等のような治療剤の供給等のような付加的な治療工程を伴うか伴わずに口腔内の硬質および／または軟質の組織を照射するために使用できる。
【００７２】
一例の実施形態において、上記の発光式歯ブラシおよび／または発光式マウスピースは歯肉の出血、歯の知覚過敏症、歯の痛み、骨の問題、エナメル質の変性、カリエス、根管の炎症、および歯肉の種々の問題等のような歯の問題を、硬質および／または軟質の口腔組織を照射することにより、治療するために使用できる。この療法は問題の領域を直接的に照射する処理を含み、一部の場合において治療を補助するために熱または発色団を用いている。
【００７３】
本発明の別の特徴として、上記口腔器具は、多数の帯域が、一部の状況において、比較的に大きな全体の効果を生じることができるので、上記療法の一部として多数の異なる波長帯域を使用できる。例えば、青色光はポルフィリンの励起において極めて有効であるが、この青色光の浸透の深さは血液の吸収および生物学的な組織による光の散乱により高くない。そこで、この青色光を、組織にさらに容易に浸透できるが比較的に低いポルフィリンの励起作用を有する緑色および赤色等のような、別の波長帯域と共に組み合わせることにより、その全体的な治療がさらに効果的に行なえるようになる。多数の波長帯域はまた異なる種々の物質を励起して幾つかの供給源による生体刺激を生じるために使用することも可能である。一例の実施形態において、青色および緑色の光がポルフィリン（４００乃至４３０ｎｍ）を刺激するために使用できるが、赤色光（例えば、６３０ｎｍ）および／またはＮＩＲ（例えば、１０６０ｎｍまたは１２６８ｎｍ）は分子酸素を光活性するために使用できる。一部の場合に、上記のことは共同作用的な効果を生じる幾つかの治療処置に依存することによる比較的に有効な全体的な治療を生じる。
【００７４】
本発明の口腔器具はまたこれらが低い線量で繰り返し使用可能であるので利点を有している。最少の回数で行なわれる高出力型の治療とは異なり、本発明は通常の個人用の医療プログラムの一部として使用できる。この結果、治療を行なうために有効であるが、医者または歯科医を訪問するための時間および費用を必要としない全体的な線量または用量が得られる。
【００７５】
それゆえ、本発明の口腔器具により提供される光治療は多数の異常および病気からの回復および／またはその予防を行なうことができる。さらに具体的に言えば、上記用語の「光治療（phototheraphy）」は本明細書において用いられているように種々の異常の治療および使用者の生理学的状況の改善の両方を含むことを目的としている。さらに、これらの有益な改善は以下において論じれられているように健康および美顔の両方の改善も含むことができる。
【００７６】
〔歯について〕
歯肉の出血の減少。歯ぐきの出血は多くの場合に上皮細胞およびその他の結合組織の不十分な増殖により生じる。本発明の口腔器具は増加した線維芽細胞の増殖を活性化して、上皮、コラーゲン、および歯ぐきの出血を停止するために役立つその他の結合組織の再生を生じるために光の照射および穏やかな加熱を行なうことができる。光受容体は種々の内因性のポルフィリン、シトクロム、および分子酸素を含み、それゆえ、これらのポルフィリン、シトクロムおよび分子酸素に対応する波長における１乃至１０００ｍＷ／ｃｍ2 の出力密度および０．０６乃至３０Ｊ／ｃｍ2 の日々の線量での口腔の粘液および下層の組織の照射が好ましい。この場合に、青色光（４００乃至４３０ｎｍ）はポルフィリンの励起のために極めて有効であり、緑色光（５４０乃至５８０ｎｍ）および赤色光（６００乃至６５０ｎｍ）もポルフィリンを活性化できる。特に、コプロポルフィリンは幾つかの波長、すなわち、４０２±２０（最大値≒４８０の吸光（extinction））、４９５０±２０、５４０±３０（最大値≒１７の吸光）、５８０±３０（最大値≒６の吸光）、６２３±２０ｎｍにおいて励起でき、シトクロムすなわちシトゲム（シトクロムオキシダーゼ（cytochromoxidase）の補欠分子族）は４１４±２０（最大値≒７０の吸光）、４３９±２０（最大値≒１１７の吸光）、４４６±２０（最大値≒１０の吸光）、５３４±２０（最大値≒１１の吸光）、５９８±２０（最大値≒１６の吸光）、６３５±２０ｎｍ（最大値≒９の吸光）において励起でき、さらにシトポルフィリンは４１５±２０（最大値≒１６０の吸光）、５２０±２０（最大値≒９の吸光）、５６０±２０（約２１の吸光）、５８０±２０（最大値≒１１の吸光）、６１７±２０、６４６±２０ｎｍ（最大値１の吸光）において励起できる。この場合に、バクテリア中において見られるシトポルフィリンは極めて感光性である。また、バクテリアおよび真菌の中において含まれているプロトポルフィリンＩＸは幾つかの波長、すなわち、４１０±２０（最大値≒２７０の吸光）、５０４±２０（最大値≒１５の吸光）、５５６±２０（最大値≒１５の吸光）、６００±２０（最大値≒６の吸光）、６３１±２０ｎｍ（最大値≒５の吸光）において励起できる。
【００７７】
さらに、分子酸素は５８０±２０、６３０±２０、７６０±２０、１０６０±２０、および１２６８±２０ｎｍの波長において光活性化できる。この場合に、０．５乃至３分の持続時間における歯の浄化処置中の４３℃までのヒーターにより与えられる適度な高体温もまた血液およびリンパの微小循環に共同作用的な効果を与える。
【００７８】
歯の知覚過敏症の低下。歯の感受性は多くの場合に飲料および／または唾液の種々の成分により誘発される浸透圧によりぞうげ管（dentinal tubes）を通り歯の中の神経終末に向かう流体の増加した移動により生じる。歯の知覚過敏症は低い値の口腔の液体のｐＨ値により誘発される一時的または永久的なエナメル質の鉱物質除去により生じるエナメル質の孔により決まる。この口腔の液体のｐＨ値がさらに酸性（４．０乃至５．０）になると、そのエナメル質の透過性は３乃至４倍に高まる。それゆえ、このエナメル質の光誘発型の再鉱物質化の過程は歯の知覚過敏症の低下を補助する。また、殺菌もｐＨ値の正常化および歯肉の腫れの減少および知覚過敏症の歯の要素に対して加えられる浸透圧の低下により歯の知覚過敏症の低下につながる。それゆえ、種々のポルフィリン、シトクロム、および分子酸素に対応する波長における１乃至１０００ｍＷ／ｃｍ2 の出力密度および０．０６乃至３０Ｊ／ｃｍ2 の日々の線量での歯の表面の照射が好ましい。この場合に、青色光（４００乃至４３０ｎｍ）はバクテリアのポルフィリンの励起のために極めて有効であり、緑色光（５３０乃至５８０ｎｍ）および赤色光（６００乃至７００ｎｍ）もバクテリア中のポルフィリンを活性化してラジカルの発生を介してこれらを殺菌できる。また、緑色（５４０乃至５８０ｎｍ）および赤色（６００乃至６５０ｎｍ）の光は歯髄のポルフィリンを活性化してその歯髄中の血液およびリンパの微小循環を増加し、これに対応してそのタンパク質基質を通して歯髄からエナメル質に到るカルシウム・イオンの流量を増加することができ、このことはカルシウム・イオンがそのヒドロキシアパタイト構造の中の空所を充たすことを補助する。組織および歯髄の中に溶解している分子酸素は５８０±２０、６３０±２０、７６０±２０、１０６０±２０、および１２６８±２０ｎｍの波長において光活性化する。この場合に、ヒーターにより与えられる適度な高体温もまた血液およびリンパの微小循環に共同作用的な効果を与えることができる。さらに効果的な殺菌が外因性の発色団の供給およびその発色団に対応する波長における照射、特に、０．０１乃至１．０％の濃度におけるメチレン・ブルー（ＭＢ）色素、６６０±１０ｎｍおよび５乃至１０００ｍＷ／ｃｍ2 の出力密度おける照射、または０．０１乃至１．０％の濃度におけるインドシアニン・グリーン（ＩＣＧ）色素、８０５±５ｎｍおよび５乃至１０００ｍＷ／ｃｍ2 の出力密度における照射において、達成できる。
【００７９】
歯の痛みの減少は多くの場合に血管壁部の内皮細胞における光刺激したＮＯの作用および光減衰した交感神経性の血管運動神経の活性により誘発する血液および／またはリンパの脈管の膨張による改善された歯髄の血液およびリンパの微小循環により生じる。また、神経の活性の直接的な光誘発型の抑制も可能である。それゆえ、種々のポルフィリン、シトクロムおよび分子酸素に対応する波長における１乃至１０００ｍＷ／ｃｍ2 の出力密度および０．０６乃至３０Ｊ／ｃｍ2 の日々の線量での歯の表面の照射が必要とされる。この場合に、緑色光（５３０乃至５８０ｎｍ）および赤色光（６００乃至６５０ｎｍ）は歯髄のポルフィリンを活性化してその歯髄中の血液およびリンパの微小循環を増加できる。また、種々の組織および歯髄中に溶解している分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの電気的なヒーター（またはＬＥＤ放射線の加熱）により与えられる適度な高体温が血液およびリンパの微小循環における一定の共同作用的な効果を得るために望ましい。
【００８０】
歯周および骨の再生および移植片の接合は多くの場合に、光および／または組み合わされた光と熱の作用により誘発される、マクロファージの活性、線維芽細胞、骨芽細胞、およびぞうげ芽細胞の増殖の増加により生じる。増加した血液およびリンパの微小循環もまた組織の成長および再生を改善する。この場合に、種々のポルフィリン、シトクロムおよび分子酸素に対応する波長における１乃至１０００ｍＷ／ｃｍ2 の出力密度および０．０６乃至３０Ｊ／ｃｍ2 の日々の線量での歯および歯周組織の照射は増加したマクロファージの活性、増加した線維芽細胞、骨芽細胞、およびぞうげ芽細胞の増殖、および増加した血液およびリンパの微小循環の原因となる種々のラジカルを生じる。この場合に、青色光（４００乃至４３０ｎｍ）はポルフィリンの励起のために極めて有効であり、緑色光（５３０乃至５８０ｎｍ）および赤色光（６００乃至６５０ｎｍ）もポルフィリンを活性化できる。さらに、緑色光（５３０乃至５８０ｎｍ）および赤色光（６００乃至６５０ｎｍ）は歯髄のポルフィリンを活性化できる。また、分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの特殊なヒーター（またはＬＥＤ電流の加熱）により与えられる適度な高体温がマクロファージの活性、線維芽細胞、骨芽細胞、およびぞうげ芽細胞の増殖、および増加した血液およびリンパの微小循環における共同作用的な効果を得るために望ましい。
【００８１】
エナメル質の再鉱物質化。エナメル質の脱鉱質は多くの場合に一定の低い値の口腔の液体のｐＨ値により誘発される。軽く穏やかな加熱は歯肉の血液およびリンパの微小循環を活性化し、それゆえ、タンパク質基質を通る唾液からエナメル質に到るカルシウム・イオンの流量を増加し、これらのカルシウムのイオンがヒドロキシアパタイト構造の空所を充たす。また、殺菌はｐＨ値の正常化につながり、それゆえ、エナメル質の鉱物質除去を妨げる。従って、種々のポルフィリン、シトクロムおよび分子酸素に対応する波長における１乃至１０００ｍＷ／ｃｍ2 の出力密度および０．０６乃至３０Ｊ／ｃｍ2 の日々の線量での歯の表面の照射が必要とされる。この場合に、青色光（４００乃至４３０ｎｍ）はバクテリアのポルフィリンの励起のために極めて有効であり、緑色光（５３０乃至５８０ｎｍ）および赤色光（６００乃至６５０ｎｍ）もバクテリア中のポルフィリンを活性化してラジカルの発生を介してこれらを殺菌できる。さらに、緑色光（５３０乃至５８０ｎｍ）および赤色光（６００乃至６５０ｎｍ）は歯髄のポルフィリンを活性化してその歯髄中の血液およびリンパの微小循環を増加することができ、これに対応して、タンパク質基質を通る歯髄からエナメル質に到るカルシウム・イオンの流量を増加し、このことはカルシウム・イオンがヒドロキシアパタイト構造における空所を充たすことを補助する。また、種々の組織および歯髄中に溶解している分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの特殊なヒーター（またはＬＥＤ電流の加熱）により与えられる適度な高体温が血液およびリンパの微小循環における共同作用的な効果を得るために望ましい。また、音響泳動（ソノフォレーシス）および／または電気泳動（エレクトロフォレーシス）は血液およびリンパの流動の増加を補助し、硬質の歯の組織の中におけるＣａおよびＰの元素の比較的に安定した分布を助長する。さらに効果的な殺菌が（必要とされる場合に）外因性の発色団の供給およびその発色団に対応する波長における照射、特に、０．０１乃至１．０％の濃度におけるメチレン・ブルー（ＭＢ）色素、６６０±１０ｎｍおよび５乃至１００ｍＷ／ｃｍ2 の出力密度おける照射、または０．０１乃至１．０％の濃度におけるインドシアニン・グリーン（ＩＣＧ）色素、８０５±５ｎｍおよび５乃至１００ｍＷ／ｃｍ2 の出力密度における照射において、達成できる。
【００８２】
カリエスの予防。カリエスは通常において連鎖球菌属変異体のバクテリアにより生じる場合が多い。従って、光および内因性のポルフィリン、および／またはシトクロム、および／または分子酸素、および／または外因性の色素、および／または鉱物質の光感作剤、および／または口腔の中に取り込まれている鉱物質の光触媒により誘発される光力学的な作用による殺菌がカリエスの予防および治癒のための一定の技法である。また、歯髄および歯肉中の光および熱により増加した血液およびリンパの微小循環および唾液からエナメル質に到る増加したカルシウムの流量もカリエスを予防する。それゆえ、種々のポルフィリン、シトクロムおよび分子酸素に対応する波長における１乃至１０００ｍＷ／ｃｍ2 の出力密度および０．０６乃至３０Ｊ／ｃｍ2 の日々の線量での歯の表面の照射が必要とされる。この場合に、青色光（４００乃至４３０ｎｍ）はバクテリアのポルフィリンの励起のために極めて有効であり、緑色光（５３０乃至５８０ｎｍ）および赤色光（６００乃至６５０ｎｍ）もバクテリア中のポルフィリンを活性化してラジカルの発生を介してこれらを殺菌できる。さらに、緑色光（５４０乃至５８０ｎｍ）および赤色光（６００乃至６５０ｎｍ）は歯髄のポルフィリンを活性化してその歯髄中の血液およびリンパの微小循環を増加することができ、これに対応して、タンパク質基質を通る歯髄からエナメル質に到るカルシウム・イオンの流量を増加し、このことはカルシウム・イオンがヒドロキシアパタイト構造における空所を充たすことを補助する。また、種々の組織および歯髄中に溶解している分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの特殊なヒーター（またはＬＥＤ電流の加熱）により与えられる適度な高体温が血液およびリンパの微小循環における一定の共同作用的な効果を得るために望ましい。また、音響泳動および／または電気泳動は血液およびリンパの流動の増加を補助し、硬質の歯の組織の中におけるＣａおよびＰの元素の比較的に安定した分布を助長する。さらに効果的な殺菌が（必要とされる場合に）外因性の発色団の供給およびその発色団に対応する波長における照射、特に、０．０１乃至１．０％の濃度におけるメチレン・ブルー（ＭＢ）色素、６６０±１０ｎｍおよび５乃至１００ｍＷ／ｃｍ2 の出力密度おける照射、または０．０１乃至１．０％の濃度におけるインドシアニン・グリーン（ＩＣＧ）色素、８０５±５ｎｍおよび５乃至１００ｍＷ／ｃｍ2 の出力密度における照射において、達成できる。さらに、上記のＭＢおよび／またはＩＣＧの色素を伴う混合物において、極めて効果的で非特異性の一重項酸素およびその他のラジカル生成物がカーボン・ブラック、フルレレン、またはツブレンのような炭素ナノ粒子またはナノチューブの広帯域（３００乃至９００ｎｍ）の励起、および／または、ＴｉＯ2 のナノ粒子のような光触媒の適用において供給できる。
【００８３】
根管の滅菌および炎症の予防もまた光および内因性のポルフィリン、特にプロトポルフィリンＩＸ、および／または分子酸素、および／または局所的な血液およびリンパの微小循環により歯髄の中に取り込まれている外因性の色素により誘発する光力学的な作用により実現できる。この場合に、導波管の伝播により、光が歯髄の中に集中し、それゆえ、光力学的な作用を高めて歯髄の血液およびリンパの微小循環を活性化する。光はまたマクロファージの免疫能を改善し、このマクロファージは種々の微生物に対する宿主の防衛に役立つＳＯおよびＮＯを生成する。それゆえ、種々のポルフィリン、シトクロムおよび分子酸素に対応する波長における１乃至１０００ｍＷ／ｃｍ2 の出力密度および０．０６乃至３０Ｊ／ｃｍ2 の日々の線量での歯の表面の照射が必要とされる。この場合に、緑色光（５４０乃至５８０ｎｍ）および赤色光（６００乃至６５０ｎｍ）は歯髄のポルフィリンを活性化して殺菌、マクロファージの免疫能の改善、および増加した歯髄中の血液およびリンパの微小循環のためのラジカルを生成する。また、種々の組織および歯髄中に溶解している分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの特殊なヒーター（またはＬＥＤ電流の加熱）により与えられる適度な高体温が血液およびリンパの微小循環における一定の共同作用的な効果を得るために望ましい。また、音響泳動および／または電気泳動は血液およびリンパの流動の増加を補助する。さらに、根管および根尖の領域に進入する光はバクテリアの増殖に伴う炎症を予防または減少できる。
【００８４】
歯周の問題の予防および治癒もまた内因性のポルフィリン、および／または分子酸素、および／または外因性の色素、および／または鉱物質の光感作剤、および／または活性（一重項）酸素およびその他のラジカルの生成により歯周の病巣内に取り込まれた鉱物質の光触媒の励起によるバクテリアにおける致命的な作用による。光はまたマクロファージの免疫能を改善し、このマクロファージは種々の微生物に対する宿主の防衛に役立つＳＯおよびＮＯを生成する。さらに、光および穏やかな加熱は血液およびリンパの微小循環を活性化し、それゆえ、内皮細胞の増殖能力および歯肉を歯に接着した状態に維持するために役立つ新しい毛細管の網状構造の形成を活性化する。それゆえ、光の出力密度、日々の線量、および波長はカリエスの予防のために用いられるものと同一である（上記カリエスの予防の段を参照されたい）。
【００８５】
軟質組織の治療。本発明の口腔器具の別の利点はこれらが指向性の放射を可能にすることである。以下において論じられている一部の場合に、舌の組織、神経組織、喉の組織、脈管組織、毛包、皮脂小胞、皮脂腺、顔面の皮下脂肪、顔面の筋肉組織、リンパ系、コラーゲン、色素沈着した斑点、およびまたは別の顔面組織および他の口腔組織を含む別の組織を含む軟質組織を主に光照射することが望ましい。上記の口腔器具は光放射線が発生する方向を選択することによりこれらの組織の領域に向けて放射線を送り出すことを可能にする。例えば、顔面組織を照射するために、光放射線供給源は発光式の歯ブラシまたは発光式のマウスピースの外周部分に配置できる。剛毛の方向にのみ（歯の硬質組織に向けて）放射する従来の歯ブラシとは異なり、上記の器具により供給される放射線は使用者の顔面組織の中の一定の領域に光治療を配給するためにその口腔の粘膜の内層に進入するように送り出すことができる。
【００８６】
加えて、本発明の口腔器具は、これまでに口腔の外側から治療されていた、特定の種々の状況を口腔の中から一定の光放射線供給源を使用することにより治療することを可能にする。例えば、影響を受けている皮膚を照射することによりアクネ症を治療する代わりに、上記の口腔器具はその標的組織に向けて口腔の中から外に直接的に照射できる。このことは口腔の中の組織がその口腔の組織の壁部の中に含まれている制限された量のコラーゲンのために浸透しやすいので有利である。この結果、光エネルギーが比較的に容易に組織に進入して一定の低レベルのエネルギーにおいて治療を行ない、組織の損傷の危険性を減少する。この種の治療のための波長の好ましい範囲は約２８０ｎｍ乃至１４００ｎｍの範囲内であり、さらに好ましくは約５９０ｎｍ乃至１３００ｎｍの範囲内である。
【００８７】
口腔の粘膜の炎症の病気（口内炎−口内のかどにおける表在性の侵食および裂け目、単純疱疹ウイルスによる小疱を伴う口腔粘膜の急性感染、頬、舌および唇における表在性潰瘍を伴う口内炎）の改善は内因性のポルフィリン、および／または分子酸素、および／または外因性の色素、および／または鉱物質の光感作剤、および／または活性（一重項）酸素および他のラジカルの生成により口腔の粘液の病巣の中に取り込まれた鉱物質の光触媒の励起によるウイルスおよびバクテリアにおける光の致命的な作用による。光はまたマクロファージの免疫能を改善し、このマクロファージは種々の微生物に対する宿主の防衛に役立つＳＯおよびＮＯを生成する。また、光および穏やかな加熱は血液およびリンパの微小循環を活性化し、それゆえ、上皮細胞の増殖能力を活性化する。この場合の光の出力密度、日々の線量、および波長はカリエスの予防のために用いられるものと同一である（上記カリエスの予防の段を参照されたい）。
【００８８】
舌の病気（黒舌−微生物およびある種の色素を伴う栄養過度の糸状乳頭により構成されている舌の上面における茶色の毛皮様の斑の存在、苔舌−剥離した上皮、破片、バクテリア、真菌等から成る白みがかったまたは黄色みがかった層により覆われている舌）の改善は内因性のポルフィリン、および／または分子酸素、および／または外因性の色素、および／または鉱物質の光感作剤、および／または活性（一重項）酸素および他のラジカルの生成により舌の病巣の中に取り込まれた鉱物質の光触媒の励起による微生物における光の致命的な作用による。光はまたマクロファージの免疫能を改善し、このマクロファージは種々の微生物に対する宿主の防衛に役立つＳＯおよびＮＯを生成する。また、光および穏やかな加熱は血液およびリンパの微小循環を活性化し、それゆえ、上皮細胞の増殖能力を活性化する。この場合の光の出力密度、日々の線量、および波長はカリエスの予防のために用いられるものと同一である（上記カリエスの予防の段を参照されたい）。
【００８９】
唾液腺および舌下ひだにおいて口内に開口している小舌下管（リヴィヌス管）の炎症からの回復。口内炎および舌の種々の病巣の場合と同様の回復のメカニズムが予想される。この場合の光の出力密度、日々の線量、および波長はカリエスの予防のために用いられるものと同一である（上記カリエスの予防の段を参照されたい）。
【００９０】
口腔組織内の痛みの減少は多くの場合に脈管壁部の内皮細胞における光刺激したＮＯの作用および光減衰した交感神経性の血管運動神経の活性により誘発する血液および／またはリンパの脈管の膨張による改善された血液およびリンパの微小循環により生じる。また、神経の活性の直接的な光誘発型の抑制も可能である。この場合の光の出力密度、日々の線量、および波長は歯の痛みの減少のために用いられるものと同一である（上記歯の痛みの減少の段を参照されたい）。
【００９１】
多くの場合に黄色ブドウ球菌の増殖により生じる喉のいたみ、アンギナ、急性または慢性の扁桃炎等（扁桃、特に口頭扁桃の炎症、小胞性扁桃炎、特に陰窩に影響する扁桃炎、実質扁桃炎、扁桃の全体に影響する急性扁桃炎、膿疱性扁桃炎、膿疱の形成により特徴付けられる種々の状況）の改善。このような改善は内因性のポルフィリン、および／または分子酸素、および／または外因性の色素、および／または鉱物質の光感作剤、および／または活性（一重項）酸素および他のラジカルの生成により扁桃の病巣の中に取り込まれた鉱物質の光触媒の励起によるバクテリアにおける光の致命的な作用による。光はまたマクロファージの免疫能を改善し、このマクロファージは種々の微生物に対する宿主の防衛に役立つＳＯおよびＮＯを生成する。また、光および穏やかな加熱は血液およびリンパの微小循環を活性化し、それゆえ、上皮細胞の増殖能力を活性化する。この場合の光の出力密度、日々の線量、および波長はカリエスの予防のために用いられるものと同一である（上記歯の第６段を参照されたい）。また、６２０乃至６４０ｎｍの励起において、細胞の増殖におけるポルフィリンの一定の誘発因子である、低濃度のＡＬＡによるＡＬＡ関連の治療が異常な増殖または口腔の粘膜の上皮細胞、腺の増殖、口腔組織（歯肉、腺、舌、喉等）の中の微生物コロニーの抑制のために使用できる。特に、咽頭糸状菌症の治療を行なうことができる。
【００９２】
多くの場合に肺炎連鎖球菌により生じる静脈洞炎。アンギナおよび扁桃炎と同様の回復の機構。光の出力密度、日々の線量、および波長はカリエスの予防のために用いられるものと同一である（上記カリエスの予防の段を参照されたい）。
【００９３】
咽頭炎およびその他の声帯の炎症からの回復。アンギナ、扁桃炎および静脈洞炎と同様の回復の機構。光の出力密度、日々の線量、および波長はカリエスの予防のために用いられるものと同一である（上記カリエスの予防の段を参照されたい）。
【００９４】
高められたマクロファージおよび線維芽細胞の増殖活性および光および／または組み合わせた光および熱の作用により誘発する新しいコラーゲン生成による唇および頬の周辺の皮膚組織、弾性の改善、ならびにしわの減少（すなわち、皮膚の若返り）。増加した血液およびリンパの微小循環も組織の増殖および再生を改善する。この場合に、光の出力密度、日々の線量、および波長は歯周および骨の再生および移植片の接合のために用いられるものと同一である（上記歯周および骨の再生および移植片の接合の段を参照されたい）。
【００９５】
アクネ症の改善。赤色光の大きな進入の深さにより、皮脂腺の中に集中したバクテリアを生じるアクネ症における致命的な光の作用のための頬の組織を通して皮脂腺に対して必要とされる照射の線量を供給することが可能である。バクテリアのポルフィリンの光による励起はこれらのバクテリアを選択的に殺菌する活性（一重項）酸素およびその他のラジカルを発生する。それゆえ、このバクテリアのポルフィリン対応する波長における１乃至１０００ｍＷ／ｃｍ2 の出力密度および０．０６乃至３０Ｊ／ｃｍ2 の日々の線量での口腔の内側の頬の照射が好ましい。この場合に、緑色（５３０乃至５８０ｎｍ）および赤色（６００乃至６５０ｎｍ）の光は頬の組織の中に進入してアクネ症のバクテリアのポルフィリンを活性化することによりそのバクテリアを殺菌するラジカルを生成する。また、このアクネ症の治療効率は適当な光感作剤（例えば、メチレン・ブルー、インドシアニン・グリーン、ＡＬＡ等）を赤色および／またはＮＩＲの放射線の利用との組み合わせにおいてアクネ症の病巣に適用することにより高めることができる。
【００９６】
毛髪の成長の制御は光および／または組み合わされた光と熱の作用による毛包の中の血液およびリンパの微小循環の正常化により行なうことができる。この場合に、種々のポルフィリン、シトクロムおよび分子酸素に対応する波長における１乃至１０００ｍＷ／ｃｍ2 の出力密度および０．０６乃至３０Ｊ／ｃｍ2 の日々の線量での口腔組織の照射が脈管の膨張およびこれに対応する血液およびリンパの微小循環の増加の原因になるラジカルを生成する。また、緑色光（５３０乃至５８０ｎｍ）および赤色光（６００乃至６５０ｎｍ）は頬の組織の中に進入してポルフィリンおよびシトクロムを活性化する。また、分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの特殊なヒーター（またはＬＥＤ電流の加熱）により与えられる適度な高体温が血液およびリンパの微小循環の増加における一定の共同作用的な効果を得るために望ましい。毛髪の成長の制御は、例えば、単一回または時間依存型の連続した放射線による多数個の毛包の選択的な破壊による毛髪の除去または減少を含むことができる。
【００９７】
脈管の改善は光および／または組み合わされた光と熱の作用により誘発する高められたマクロファージおよび線維芽細胞の増殖活性および新しいコラーゲンおよび上皮の生成に付随できる。この場合に、種々のポルフィリン、シトクロムおよび分子酸素に対応する波長における１乃至１０００ｍＷ／ｃｍ2 の出力密度および０．０６乃至３０Ｊ／ｃｍ2 の日々の線量での口腔組織の照射がマクロファージの活性の増加、線維芽細胞の増殖、およびコラーゲンの増殖の原因になるラジカルを生成する。また、緑色光（５３０乃至５８０ｎｍ）および赤色光（６００乃至６５０ｎｍ）は頬の組織の中に進入してポルフィリンおよびシトクロムを活性化する。また、分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの特殊なヒーター（またはＬＥＤ電流の加熱）により与えられる適度な高体温がマクロファージの活性の増加、線維芽細胞の増殖、およびコラーゲンの増殖における一定の共同作用的な効果を得るために望ましい。
【００９８】
口周囲の治療はマクロファージの光により改善された免疫能、および光により改善された血液およびリンパの微小循環により生じる上皮細胞の増殖能力による。この場合に、種々のポルフィリン、シトクロムおよび分子酸素に対応する波長における１乃至１０００ｍＷ／ｃｍ2 の出力密度および０．０６乃至３０Ｊ／ｃｍ2 の日々の線量での口腔組織の照射が高められたマクロファージの活性および増加した血液およびリンパの微小循環の原因になるラジカルを生成する。また、緑色光（５３０乃至５８０ｎｍ）および赤色光（６００乃至６５０ｎｍ）は頬の組織の中に進入してポルフィリンおよびシトクロムを活性化する。また、分子酸素は５８０±２０、６３０±２０、７６０±２０、１０６０±２０、および１２６８±２０ｎｍの波長において光活性化できる。さらに、０．５乃至３分の持続時間における歯の浄化処置中の４３℃までの特殊なヒーター（またはＬＥＤ電流の加熱）により与えられる適度な高体温がマクロファージの活性および血液およびリンパの微小循環の増加における一定の共同作用的な効果を得るために望ましい。
【００９９】
歯肉、歯、唇、および舌、および口腔組織の機能を制御する他の神経を含む口腔組織内の損傷した三叉神経の顔面神経末梢受容体の修復は神経細胞ミトコンドリア内のＣａ2+の貯蔵およびその後のそれらの細胞内におけるＣａ+2依存性ＡＴＰアーゼの活性により生じることができる。また、光および／または組み合わされた光と熱の作用により誘発する血液およびリンパの微小循環の増加も神経組織の再生において当然に重要である。この場合に、光の出力密度、日々の線量、および波長は口周囲の皮膚炎の治療のために用いられるものと同一である（上記口周囲の顔面の皮膚の段を参照されたい）。
【０１００】
口腔組織内の痛みの減少は多くの場合に血管壁部の内皮細胞における光刺激したＮＯの作用および光減衰した交感神経性の血管運動神経の活性により誘発する血液および／またはリンパの脈管の膨張による改善された血液およびリンパの微小循環により生じる。また、神経の活性の直接的な光誘発型の抑制も可能である。以下の神経は上記の過程に関連する可能性がある。すなわち、口腔および口の隅における頬の皮膚を神経支配している頬神経、歯、骨膜および歯肉を神経支配している下歯槽および上歯槽神経、咽喉、舌およびおとがい−舌の筋肉、および口腔下部粘膜を神経支配している舌咽、舌下、および舌の神経、咽喉筋および粘膜を神経支配している下、反復、および上咽頭神経、両側咬筋を神経支配している咬筋神経である。この場合に、光の出力密度、日々の線量、および波長は歯の痛みの減少のために用いられるものと同一である（上記歯の痛みの減少の段を参照されたい）。
【０１０１】
特に、スーパーオキシドおよび酸化窒素、赤血球の膜の弾性およびリンパ球の増殖活性を生じる血液およびリンパのマクロファージの光により改善された免疫能による、人間の生体の免疫能における有益な影響。この場合に、光受容体は種々のポルフィリン、シトクロムおよび分子酸素である。それゆえ、血管により十分に供給される口腔の粘膜および下層組織の照射は種々のポルフィリン、シトクロムおよび分子酸素に対応する波長における１乃至１０００ｍＷ／ｃｍ2 の出力密度および０．０６乃至３０Ｊ／ｃｍ2 の日々の線量で行なう必要がある。この場合に、青色光（４００乃至４３０ｎｍ）はポルフィリンの励起のために極めて有効であり、緑色光（５３０乃至５８０ｎｍ）および赤色光（６００乃至６５０ｎｍ）もポルフィリンを活性化できる。特に、コプロポルフィリンは幾つかの波長、すなわち、４０２±２０（最大値≒４８０における励起）、４９５±２０、５４０±３０（最大値≒１７における励起）、５８０±３０（最大値≒６における励起）、６２３±２０ｎｍにおいて励起でき、シトクロムすなわちシトゲムは４１４±２０（最大値≒７０における励起）、４３０±２０（最大値≒１１７における励起）、４４６±２０（最大値≒１０における励起）、５３４±２０（最大値≒１１における励起）、５９８±２０（最大値≒１６における励起）、６３５±２０ｎｍ（最大値≒９における励起）において励起でき、さらにシトポルフィリン（ポルフィリンａ）は４１５±２０（最大値≒１６０における励起）、５２０±２０（最大値≒９における励起）、５６０±２０（約２１における励起）、５８０±２０（最大値≒１１における励起）、６１７±２０、６４６±２０ｎｍ（最大値１における励起）において励起できる。この場合に、プロトポルフィリンＩＸは４１０±２０（最大値≒２７０における励起）、５０４±２０（最大値≒１５における励起）、５５６±２０（最大値≒１５における励起）、６００±２０（最大値≒６における励起）、６３１±２０ｎｍ（最大値≒５における励起）の波長において励起できる。また、分子酸素は５８０±２０、６３０±２０、７６０±２０、１０６０±２０、および１２６８±２０ｎｍの波長において光活性化できる。
【０１０２】
概日リズムの調整。４７０ｎｍにおける青色光は人間の概日リズムに影響を及ぼし生物学的なリズムの異常を有するに対して適用可能であると考えられる。この場合に、可能な光受容体は血液ビリルビンおよび／またはコプロポルフィリンである。この場合に、血管により十分に供給される口腔の粘膜および下層組織の光照射は１乃至１０００ｍＷ／ｃｍ2 の出力密度および０．０６乃至３０Ｊ／ｃｍ2 の１日の線量およびビリルビンの吸収（４５５±２０ｎｍ）および／またはコプロポルフィリンＩおよびＩＩＩの吸収（４０２±２０、４７０±２０、５４０±３０、５８０±３０、６２３±２０ｎｍ）に対応する波長において行なうことが望ましい。本発明の一部の実施形態において、例えば、青色光（またはその他の生体刺激性の光）等のような選択された波長を有する放射線により午前中に使用者の口腔を照射して、例えば、赤色光（または一定の沈静作用を有する光）等のような別の波長を有する放射線により午後に口腔を照射することにより使用者の概日リズムを調整することに役立つために利用できる発光式の歯ブラシが提供されている。
【０１０３】
血液の代謝成分、特に、赤血球の通常のまたは病理学的な崩壊により血流の中に現れるビリルビンの制御可能な破壊はビリルビン血症等のような病気の予防を可能にする。この場合に、１乃至１０００ｍＷ／ｃｍ2 の出力密度および０．０６乃至３０Ｊ／ｃｍ2 の１日の線量を伴う４５０乃至４６０ｎｍにおける血管により十分に供給される口腔の粘膜および下層組織の光照射が好ましい。
【０１０４】
ＡＬＡ、ヘマトポルフィリン等のような適当な光力学的な物質の局所的供給（例えば、口腔の粘膜に対する供給）または静脈注射による光力学的な作用を介する血液の微小循環系内のウイルスの殺菌。この場合に、血管により十分に供給される口腔の粘膜および下層組織の光照射は１乃至１０００ｍＷ／ｃｍ2 の出力密度および０．０６乃至３０Ｊ／ｃｍ2 の１日の線量および使用する光力学的な物質の吸収スペクトルに対応する波長において行なうことが当然に好ましい。例えば、ＡＬＡの適用において、上記の波長はプロトポルフィリンＩＸの吸収帯域（４０９±２０、５０３±２０、５３８±２０、５５５±２０、５７６±２０、６００±２０、６３２±２０ｎｍ）に対応し、ヘマトポルフィリンの誘導体（ＨＰＤ）においては、上記波長は６２０±２０ｎｍである。
【０１０５】
唇の病気も光および／または組み合わされた光と熱の作用により治療できる。この場合に、ポルフィリン、シトクロムおよび分子酸素に対応する波長における１乃至１０００ｍＷ／ｃｍ2 の出力密度および０．０６乃至３０Ｊ／ｃｍ2 の日々の線量での口腔組織の照射はマクロファージの活性の増加、線維芽細胞の増殖、およびコラーゲンの増殖のために役立つラジカルを生成する。また、緑色光（５３０乃至５８０ｎｍ）および赤色光（６００乃至６５０ｎｍ）は頬の組織の中に進入してポルフィリンおよびシトクロムを活性化する。また、分子酸素は５８０±２０、６３０±２０、７６０±２０、１０６０±２０、および１２６８±２０ｎｍの波長において光活性化できる。さらに、０．５乃至３分の持続時間における処置中の４３℃までの特殊なヒーター（またはＬＥＤ電流の加熱）により与えられる適度な高体温がマクロファージの活性および線維芽細胞の増殖、およびコラーゲンの増殖における一定の共同作用的な効果を得るために望ましい。
【０１０６】
薬物配給。口腔の中、特に舌の下部の領域の軟質組織の照射は、血流の中の薬物配給の効率を改善できる。この光放射線はＮＯの物質を形成し、この物質はさらに血管を膨張させてその組織表面に配置される薬剤の吸収率および効率を高めることができる。一例の実施形態において、一定の薬物が舌の下部に配置されて光放射線が近くの軟質組織に向かって送り出される。別のさらに複雑な薬物配給は、放射線による、不活性な状態において口腔組織の中に容易に拡散できる、種々の化学治療成分の原位置における活性化を含む。例えば、一定の不活性な形態におけるこれらの物質は患者の口腔組織に対して投与した後に、一定の選択された波長における放射線による活性化を行なうことができる。
【０１０７】
本発明の口腔の用途における別の使用方法は歯の白色化および増白である。全ての現在の歯の白色化技法は過酸化物の化学的な白色技法に基づいている。歯の色は後天的な薄膜、エナメル質、ぞうげ質の構造および光学的な特性により定められる。これらの要素は全て一般に染色した外観を示す原因である。図３３は一定の歯の中の例示的な光の分布を示している。この場合に、光の３０％以上がぞうげ質に到達していて光の３０％以上が歯髄に到達していることに注目されたい。一方、歯の美容的な外観はエナメル質およびぞうげ質からの反射により決まる。さらに、外在性および／または内在性の染色が歯の色を決める。通常において、歯の表面におけるタンパク様の層の中に捕捉されて強く結合するタンニン、他の食物色素、および煙のポリフェーノールの成分等のような種々の化合物が後天的な膜における外在性の染色を生じて、一般的に一定の歯ブラシにより機械的に除去できる。また、歯の自然な色はぞうげ質およびエナメル質−ぞうげ質の接合部分の光の散乱および吸収の特性により決定される。年齢と共に、ぞうげ質に含まれるコラーゲンを含む多くのタンパク質が分子構造の変化により比較的に黄色くなる。このような年齢依存性の着色が内在性の着色の一例である。また、ヘビー・スモーカー、コーヒーの愛好者および赤ワインの愛好者においては、食物の着色剤が歯の深い部分、すなわち、エナメル質およびぞうげ質にまでに浸透し、それゆえ、機械的な浄化により除去できなくなるので、必然的に内在性として見なされる。さらに、飲料水の中の過剰なフッ素によるかテトラサイクリンの長期間の使用により生じる一部の全身系的な病巣は内在性の着色物質の別の例である。このような内在性の歯の染色を漂白するために、酸化または酵素の適用に基づく種々の化学的な方法が通常において用いられている。
【０１０８】
本発明の口腔器具からの光放射線の使用は効果的な歯の白色化および増殖を行なうことができる。また、発光式歯ブラシを使用することによる別の利点は多くの場合に有効な殺菌および病巣の治癒に基づいている歯周病、カリエスおよびその他の口腔の病気の使用者の家庭における同時の予防および／または治療であると言える。
【０１０９】
上記の口腔器具はエナメル質およびぞうげ質の中の色の中心の漂白の以下のような例示的なメカニズムに基づく光学的な歯の白色化および増白を行なうことができる。すなわち、（１）短波長（３００乃至５００ｎｍ）の直接的な光漂白、（２）９６０±２０ｎｍ、および／または１２００乃至１２０００ｎｍ、さらに好ましくは１４５０±１５０ｎｍ、および／または１８９０±２５０ｎｍおよび／または２４００乃至３２００ｎｍ、９０００乃至１２０００ｎｍの範囲内の波長が光熱的な漂白において用いられる、および（３）５８０±２０、６３０±２０、７６０±２０、１０６０±２０、および１２６８±２０ｎｍにおける組織内の酸素による光の吸収、および／または内因性および／または外部から供給される光感作剤および／または光触媒（ＦＤＡ認可された色素、および／またはカーボン・ブラック（移植片コポリマー）、フルレレン（炭素のナノ粒子）、および／またはツブレン（炭素のナノチューブ）、および／またはＴｉＯ2 のナノ粒子）における光力学的な作用による一定の光感作剤の吸収帯域に対応する３００乃至９００ｎｍの範囲内の選択的な波長における光の吸収によるエナメル質およびぞうげ質の中の一重項酸素の直接的な光および光化学的な生成。
【０１１０】
図３４はエナメル小柱およびぞうげ細管の導波管作用によるエナメル質およびぞうげ質の中の歯の構造および光の経路を示している。一例の態様において、本発明はぞうげ質の構造および歯髄の中の内在性の染色を治療するために歯の中に深く放射線を送り込むために上記の作用を利用している。一部の実施形態において、本発明の口腔器具はぞうげ質の中の染色を光学的に照射する。本発明の主な利点の一例は歯の表面だけでなく、硬質組織（エナメル質およびぞうげ質）の中の深い部分にも一重項酸素のような活性なラジカルを生成し、それゆえ、内在性の着色物を効果的に漂白する可能性である。上記ぞうげ質の導波管（光子結晶）構造は水により充たされている狭いぞうげ細管（１乃至５μｍの直径）および種々の有機性の物質（コラーゲン）により囲まれているぞうげ芽細胞の中に光を集中させる可能性を与えている。このような全体の光の吸収体を漂白するための本発明の特異的な特徴は歯の白色化のみでなく、光の全体の吸収における減少および後方散乱における増加による歯の増白も行なう。光生体刺激はまた歯周および歯髄を標的とする放射線により新しいぞうげ質を生じることにより深い歯の構造の美顔的な概観を向上するために用いることができる。さらに、低い線量の放射線を毎日利用することは歯の若返りを生じることができる。
【０１１１】
別の実施形態において、本発明の光学器具はぞうげ質およびエナメル質の中の染色を減少するために歯を照射するために用いられており、これによりその歯は白色化して増白される。一例の実施形態において、歯は約３００乃至１３５０ｎｍの波長帯域内の放射線により光学的に照射される。この口腔器具はまた比較的に良好な浄化のための機械的な振動装置および／または光感作剤の電気泳動のための電極も含むことができる。加えて、エナメル質からの反射光および／または蛍光の検出のための光検出器およびマイクロチップが歯の色をモニターするために使用できる。
【０１１２】
電気的なヒーターによるか約８００ｎｍ乃至やく１０００００ｎｍ（１００ミクロン）の波長範囲内の放射線による加熱が白色化および増白を容易にするために使用できる。この光放射線の使用は深い選択的な加熱を可能にするので特に有利である。適当な波長を選択することにより、歯は所定の深さまで加熱でき、その色の中心を漂白および拡散の熱による誘発によりエナメル質から破壊および除去できる。これにより、その染色は歯から拡散して出て唾液または（存在する場合に）塩水溶液の中に溶解できる。好ましい波長範囲は９６０±２０ｎｍ、および／または１２００乃至１０００００ｎｍ、さらに好ましくは１４５０±１５０ｎｍ、および／または１８９０±２５０ｎｍおよび／または２４００乃至３２００ｎｍを含む。
【０１１３】
本発明の口腔器具はまた内在性の光吸収体のみを用いて歯を直接的に光漂白することも可能である。あるいは、上記の外因性の発色団が歯の白色化および増白の効果を高めるために使用できる。さらに、上記発色団（およびその他の治療剤）を歯に供給した後にその歯を灌注できる。
【０１１４】
直接的で実験的なモデル化がお茶、コーヒー、または赤ワインの作用により生じる外来の色素の漂白のためのＭＢおよび赤色光照射の効果について行なわれている。適当なモデルとして、義歯プロテーゼのために用いるアクリル樹脂材料が選択されている。この場合に、３ｍｍの厚さのスラブが用いられている。さらに、これらの染色がお茶、コーヒーまたは赤ワインの滴下により行なわれて、１乃至２時間にわたりそのサンプルの自然な乾燥が行なわれている。この場合に、上記サンプルが完全に乾燥せず、ある程度の湿り気を残すことが光漂白において受容である。
【０１１５】
速やかな調製期間を与える単純なモデルは高品質の白色紙の使用に基づいている。このようなモデルの場合に、数的のお茶、コーヒー、または赤ワインの数分間にわたる供給で十分である。さらに、上記のような染色した歯の実験的なモデルの調製後に、光漂白実験が行なわれている。最初に、上記の染色したサンプルが数分間にわたり１％のＭＢ色素の水溶液により含浸されている。次に、これらのサンプルの後方反射スペクトルが光ファイバー型ＣＣＤ格子分光計ＬＥＳＡ−７を用いて４００乃至８００ｎｍの範囲内において測定されている。この場合に、これらのスペクトルは光漂白したサンプルに対する一定の基準線として作用する。さらに、これらの光漂白したサンプルは２０ｍＷ／ｃｍ2 の出力密度を与えるＨｅ−Ｎｅレーザー（６３３ｎｍ）により１０分間にわたり照射を受けている。
【０１１６】
コーヒーの染色の場合の結果が図３５および図３６において示されている。照射前に受け取られたスペクトルは４５０ｎｍにおいて最大値を有するコーヒーの吸収帯域および６５０ｎｍの近辺の２個の最大値を有するＭＢを示している。しかしながら、レーザー照射の１０分後に、上記のスペクトルは大きく変化している。すなわち、両方の発色団の光漂白、すなわち、コーヒー抽出物およびＭＢによる吸収の大幅な低下により、上記スペクトルは可視光域内において約２倍に高い反射（散乱）を伴って平坦になっている。それゆえ、上記サンプルの白色化および増白が生じている。
【０１１７】
図３６において示されている示差の見かけの光学密度のスペクトルは光漂白の効率を評価することを可能にしており、この効率はコーヒー抽出物およびＭＢの吸収帯域においてはるかに大きい。なお、これらの負の値は上記モデルの反射率が照射により増加していることを意味する。
【０１１８】
全ての試験した色素（コーヒー、お茶、および赤ワイン）の場合に同様の結果が得られていることに注目する必要がある。従って、上記白色紙のモデルは十分に役立ち、異なる発色源の標的の色素を漂白するための光感作の活性の速やかな試験において推奨できる。
【０１１９】
また、別の実施形態において、ぞうげ質の染色がその染色の吸収領域内の直接的な光放射線により選択的に光漂白できる。従来の歯の白色化とは異なり、本発明は使用者が染色の吸収スペクトルの近辺に集中している波長領域の選択を使用することを可能にしており、この範囲は約２８０乃至約８００ｎｍの範囲内にできる。この結果は極めて特定の波長帯域による白色化および増白である。
【０１２０】
図３７に基づく、別の実施形態において、本発明は適当な波長の放射線により活性化できる少なくとも１種類の発色団８０を含む柔軟な薄膜７８として形成されている歯の白色化片７６を提供している。この薄膜７８は被験者の歯の上にこれを配置することを可能にするために十分に柔軟であり、好ましくは一定の治療期間中においてその歯に対する接触を容易にするために当業界において知られている種々の接着剤を含むことができる。この薄膜７８は、当業界において知られている材料を用いて形成することができ、約２０乃至約１５００ミクロンの範囲内、さらに好ましくは、約５０乃至約１０００ミクロンの範囲内の一定の厚さを有することができる。一部の実施形態において、上記薄膜は一定の高分子基材、例えば、エチレン・オキシドの基材であり、この材料は一定の可塑剤、例えば、プロピレン・グリコールまたはポリエチレン・グリコール等を随意的に含むことができる。また、上記発色団８０は、好ましくは一定の非過酸化物の発色団であり、例えば、歯の白色化のための上記の発色団の任意の物とすることができる。また、この発色団８０は種々の異なる方法で上記薄膜７８の中に組み込むことができる。例えば、この発色団８０は上記膜の高分子基材の中に分散させることができ、あるいは、一定の膜の表面の上の一定の薄い層として配置できる。
【０１２１】
本発明の別の態様において、生体刺激性のおよび／または歯の光治療方法が一定の既知の出力密度の光治療用の放射線に通常において反応する種々の状況に対して開示されている（１乃至３０日間だけ離れている１乃至１０回の治療）。しかしながら、本発明において、一連の一時的に離れている治療の期間が一定の患者に与えられており、この場合に、それぞれの期間は従来のプロトコルに従って一定の状況を治療するために必要とされる一般的な出力密度よりも低い一定の出力密度の治療用の放射線を供給している。この方法は光治療用の放射線の既知の出力密度の口腔における供給に通常において反応する一定の状況を選択する工程、および一定の患者に一連の一時的に離れている治療期間を与える工程を含むことができる。それぞれの期間はその患者の状況を治療するために必要とされる一般的な出力密度よりも低い一定の出力密度の治療用の放射線を供給する。さらに、上記一連の一時的に離れている治療期間はこれら一連の治療期間の累積的な効果により患者の状況が改善されるまで継続できる。上記の患者の皮膚表面に供給される出力密度は約１ｍＷ／ｃｍ2 乃至約１００Ｗ／ｃｍ2 であり、少なくとも治療している状況および放射線の波長により決まる。好ましくは、上記の歯または粘膜の表面におけるエネルギーは１０ｍＷ／ｃｍ2 乃至１０Ｗ／ｃｍ2 である。また、上記放射線は１秒乃至１時間の一定の持続時間にわたり供給できる。さらに、エネルギーの流量は約１Ｊ／ｃｍ2 乃至１０００Ｊ／ｃｍ2 、このましくは約１０Ｊ／ｃｍ2 乃至１００Ｊ／ｃｍ2 の範囲内にできる。多くの実施形態において、ＬＥＴＭまたはＬＥＭＰの発光面積は約０．１乃至約１００ｃｍ2 の範囲内にすることができ、配給される出力は約１ｍＷ乃至約１０Ｗの範囲内、好ましくは約１０ｍＷ乃至約１Ｗの範囲内である。また、このような出力は一定の電池と同程度に小さくできる出力供給源または差込式の供給源により、上述したような、高度に効率的な光源を用いることにより配給できる。
【０１２２】
本発明の教示に従う発光式の器具を形成するために種々の製造技法が採用できる。例えば、図３８において、複数の発光源１８が当業界において既知の一定の様式で、例えば、ＧａＡＳの支持体等のような、支持体７４の上にエピタキシャルに形成できる。例えば、各光源は１個以上の所望の波長帯域内の放射線を発生するために当業界において知られている一定の様式で組成物が選択されている繰り返し単位を有する一定の半導体のヘテロ構造として形成できる。さらに、同様の様式で上記ウエハの反対側の面に剛毛に対して実質的に平行な方向に放射線を発生する付加的な光源を形成できる。各剛毛は支持体の表面に直接的にまたは種々の介在要素を介して結合できる。その後、支持体はブラシ・ヘッド１２の一部分の中に少なくとも部分的に収容でき、このブラシ１２は好ましくは上記光源により発生される放射線に対して実質的に透過性である一定の材料により形成されている。上記ブラシ・ヘッドを形成している材料はまた上記放射線供給源の冷却を容易にするために高い熱伝導性を示すことが好ましい。その後、ＬＥＤ構造が個々のＬＥＤの二次元マトリクスとしてまたは一定のダイオード・レーザー・バーに類似するＬＥＤの一次元のバーとして上記ウエハから切り出すことができる。また、別の実施形態において、上記剛毛の束は個々の活性な剛毛により形成できる。
【０１２３】
当業界における熟練者であれば、上記の各実施形態に基づいて本発明のさらに別の特徴および利点を認識することができる。従って、本発明は添付の特許請求の各項により示されている内容を除いて、以上において特定的に図示および記載されている内容により限定されない。また、本明細書において引用されている全ての刊行物および参考文献はそれぞれの内容の実態において本明細書に参考文献として特別に含まれている。
【０１２４】
〔実施の態様〕
（１）  使用者の口の中に少なくとも部分的に適合するように寸法付けられて形付けされている本体部分と、
少なくとも１個の所望のスペクトル帯域内の光治療用の放射線により口腔の一部分を照射するために前記本体部分に結合している少なくとも１個の放射線発生装置と、を備えている口腔光治療用アプリケータ。
（２）  前記本体部分が前記口腔の少なくとも一部分の形状に一致することに適合している実施態様１に記載の装置。
（３）  前記装置がさらに光治療中に少なくとも使用者の歯と歯肉との間に位置決めするために適合しているか、光治療中に使用者の舌の少なくとも一部分を被覆することに適合している本体部分を備えている実施態様１および２のいずれかに記載の装置。
（４）  前記発生装置が少なくとも２個の分離しているスペクトル帯域において放射線を発生する実施態様１〜３のいずれかに記載の装置。
（５）  前記装置が異なる方向に放射線を送り出すために構成されていて、随意的に、歯、頬、舌、口蓋、喉および顔面組織、リンパ組織、血液、腺、小胞、コラーゲンおよび色素沈着の群から選択される口腔の少なくとも一部分に放射線を送り出すように構成されている実施態様１〜４のいずれかに記載の装置。
（６）  前記発生装置がさらに口腔の粘膜の内層に進入して顔面組織の領域に光治療用のエネルギーを配給することのできる放射線を配給できる少なくとも１個の放射線の供給源を含む実施態様１〜５のいずれかに記載の装置。
（７）  前記装置がさらに波長、出力、パルス幅および治療時間の群から選択される前記口腔の照射のための少なくとも１個のパラメータを調整するためのコントローラを備えている実施態様１〜６のいずれかに記載の装置。
（８）  前記装置がさらに、被験者の歯の１個以上に接触するため等のような、光治療中に前記口腔の一部分に接触するために適している複数の剛毛を備えている実施態様１〜７のいずれかに記載の装置。
（９）  前記剛毛が少なくとも１個の波長範囲内において光治療用の放射線に対して実質的に透明であり、随意的に、その放射線を拡散するための散乱剤をさらに含む実施態様８に記載の装置。
（１０）  前記剛毛が光治療用の放射線に対して実質的に透明であり、随意的に、反射性の材料により少なくとも部分的に被覆されている実施態様８に記載の装置。
（１１）  前記剛毛が光の分布を調整するように形付けられており、随意的に、円錐、テーパー状、湾曲状および螺旋の形状の群から選択される少なくとも１個の形状を有している実施態様８に記載の装置。
（１２）  前記剛毛がさらに１個以上の蛍光、発光またはレージングの要素を含む実施態様８に記載の装置。
（１３）  前記剛毛がブラシ・ヘッドの中に組み込まれており、このブラシ・ヘッドが随意的に取り外し可能であり置換可能である実施態様８に記載の装置。
（１４）  前記発生装置がさらに発光ダイオード、超発光ダイオード、レーザー・ダイオード、垂直キャビティ面型発光レーザー、ファイバー・レーザー、蛍光固体素子供給源、およびランプの群から選択される放射線供給源を含む実施態様１〜１３のいずれかに記載の装置。
（１５）  前記装置がさらに異なる方向に放射線を選択的に送り出すための光学要素を含み、随意的に、その光学要素が少なくとも１個の屈折性または反射性の要素を含む実施態様１〜１４のいずれかに記載の装置。
（１６）  前記装置がさらに光治療において使用するための放射線のスペクトル帯域を選択するための光学フィルターを含む実施態様１〜１５のいずれかに記載の装置。
（１７）  前記装置がさらに移動または接触または診断のセンサーおよび当該センサーからの信号に基づいて前記放射線供給源を制御するコントローラを含む実施態様１〜１６のいずれかに記載の装置。
（１８）  前記装置がさらに少なくとも１個の熱伝導性の要素および、随意的に、放射線供給源から熱を引き出すことのできる熱伝導性の要素を含む実施態様１〜１７のいずれかに記載の装置。
（１９）  前記熱伝導性の要素が位相変化性の材料である実施態様１８に記載の装置。
（２０）  前記装置がさらに前記口腔の一部分を加熱するためのヒーター要素を含む実施態様１８に記載の装置。
（２１）  前記装置がさらに前記口腔に対して拡散した放射線を配給するために前記放射線発生要素に随意的に結合している光拡散装置を含む実施態様１〜２０のいずれかに記載の装置。
（２２）  前記装置がさらに標的組織部位に音響エネルギーを配給するための超音波発生装置を含む実施態様１〜２１のいずれかに記載の装置。
（２３）  前記装置がさらに標的組織部位に断続的な圧力を供給するための振動要素を含む実施態様１〜２２のいずれかに記載の装置。
（２４）  前記装置がさらに薬物配給用のポートを含む実施態様１〜２３のいずれかに記載の装置。
（２５）  前記装置がさらに標的組織部位に対して光治療用の放射線を向け直すためのエネルギー反射装置を含む実施態様１〜２４のいずれかに記載の装置。
（２６）  使用者の口の中に少なくとも部分的に適合するように寸法付けられて形付けされていてその口腔の少なくとも一部分の形状に一致することに適合している本体部分と、
光治療用の放射線により前記口腔の一部分を照射するために前記本体部分に結合している少なくとも１個の放射線発生装置と、を備えている口腔光治療用アプリケータ。
（２７）  前記発生装置がさらに少なくとも２個の分離しているスペクトル帯域内の波長成分を有する放射線の少なくとも１個の供給源を含む実施態様２６に記載の装置。
（２８）  前記発生装置がさらに異なるスペクトル帯域の放射線を発生する少なくとも２個の放射線の供給源を含む実施態様２６に記載の装置。
（２９）  前記発生装置がさらに発光ダイオード、超発光ダイオード、レーザー・ダイオード、垂直キャビティ面型発光レーザー、ファイバー・レーザー、蛍光固体素子供給源、およびランプの群から選択される少なくとも１個の放射線供給源を含む実施態様２６に記載の装置。
（３０）  前記装置がさらに波長、出力、パルス幅および治療時間の群から選択される前記口腔の照射のための少なくとも１個のパラメータを調整するためのコントローラを備えている実施態様２６に記載の装置。
（３１）前記装置がさらに異なる方向に放射線を送り出すための光学要素を含む実施態様２６に記載の装置。
（３２）前記装置が歯、頬、舌、口蓋、喉および顔面組織、リンパ組織、血液、腺、小胞、コラーゲンおよび色素沈着の群から選択される口腔の少なくとも一部分に放射線を送り出すように構成されている実施態様３１に記載の装置。
（３３）前記装置がさらに光治療において使用するための放射線のスペクトル帯域を選択するための光学フィルターを含む実施態様２６に記載の装置。
（３４）前記装置がさらに接触センサーおよび当該接触センサーからの信号に基づいて前記放射線発生装置を制御するコントローラを含む実施態様２６に記載の装置。
（３５）前記装置がさらに診断センサーおよび当該診断センサーからの信号に基づいて前記放射線発生装置を制御するコントローラを含む実施態様２６に記載の装置。
（３６）前記装置がさらに前記発生装置から熱を引き出すための少なくとも１個の熱伝導性の要素を含む実施態様２６に記載の装置。
（３７）前記熱伝導性の要素が流体の熱転移媒体を含む実施態様３６に記載の装置。
（３８）前記装置がさらにヒート・シンクとして作用するハンドルを含む実施態様３６に記載の装置。
（３９）前記熱伝導性の要素が位相変化性の材料である実施態様３６に記載の装置。
（４０）前記装置がさらに当該装置からの廃熱により前記口腔の一部分を加熱するための熱転移要素を含む実施態様３６に記載の装置。
（４１）前記装置がさらに前記口腔に対して拡散した放射線を配給するために前記放射線発生要素に光学的に結合している光拡散装置を含む実施態様２６に記載の装置。
（４２）前記装置がさらに処置中に使用者による呼吸を容易にするために前記アプリケータの本体部分の中を通過している気道の内孔部分を含む実施態様２６に記載の装置。
（４３）前記本体部分が前記口腔の一部分に対する一致を容易にために順応性である実施態様２６に記載の装置。
（４４）前記装置がさらに光治療中に少なくとも使用者の歯と歯肉との間に位置決めするために適合しているマウスピースの形態の本体部分を含む実施態様２６に記載の装置。
（４５）前記装置がさらに光治療中に使用者の舌の少なくとも一部分において被覆している位置における配置のために適合している本体部分を含む実施態様２６に記載の装置。
（４６）前記装置がさらに光治療中に前記口腔に対する固定した位置における配置のために適合している本体部分を含む実施態様２６に記載の装置。
（４７）前記装置が、当該アプリケータの口の中への配置時に、前記発生装置からの放射線がその口腔の粘膜の内層に進入して顔面組織の領域に光治療用のエネルギーを配給できるように、構成されている実施態様２６に記載の装置。
（４８）前記装置がさらに標的組織部位に音響エネルギーを配給するための超音波発生装置を含む実施態様２６に記載の装置。
（４９）前記装置がさらに標的組織部位に断続的な圧力を供給するための振動要素を含む実施態様２６に記載の装置。
（５０）前記装置がさらに薬物配給用のポートを含む実施態様２６に記載の装置。
（５１）前記装置がさらに標的組織部位に対して光治療用の放射線を向け直すためのエネルギー反射装置を含む実施態様２６に記載の装置。
（５２）使用者の口の中に少なくとも部分的に適合するように寸法付けられて形付けされている本体部分と、
少なくとも２個の分離しているスペクトル帯域における光治療用の放射線により前記口腔の一部分を照射するために前記本体部分に結合している少なくとも１個の放射線発生装置と、を備えている口腔光治療用アプリケータ。
（５３）前記発生装置がさらに少なくとも２個の分離しているスペクトル帯域内の波長成分を有する放射線の少なくとも１個の供給源を含む実施態様５２に記載の装置。
（５４）前記発生装置がさらに異なるスペクトル帯域の放射線を発生する少なくとも２個の放射線の供給源を含む実施態様５２に記載の装置。
（５５）前記発生装置がさらに発光ダイオード、超発光ダイオード、レーザー・ダイオード、垂直キャビティ面型発光レーザー、ファイバー・レーザー、蛍光固体素子供給源、およびランプの群から選択される少なくとも１個の放射線供給源を含む実施態様５２に記載の装置。
（５６）前記装置がさらに光治療において使用するための放射線のスペクトル帯域を選択するための光学フィルターを含む実施態様５２に記載の装置。
（５７）前記装置がさらに光治療において使用するための放射線の複数のスペクトル帯域を選択するための複数の光学フィルターを含む実施態様５２に記載の装置。
（５８）前記スペクトル帯域が重なっている実施態様５２に記載の装置。
（５９）前記スペクトル帯域が重なっていない実施態様５２に記載の装置。
（６０）前記装置がさらに異なる方向に放射線を送り出すための光学要素を含む実施態様５２に記載の装置。
（６１）前記装置が歯、頬、舌、口蓋、喉および顔面組織、リンパ組織、血液、腺、小胞、コラーゲンおよび色素沈着の群から選択される口腔の少なくとも一部分に放射線を送り出すように構成されている実施態様６０に記載の装置。
（６２）前記装置がさらに複数の剛毛を含む実施態様５２に記載の装置。
（６３）前記剛毛が少なくとも１つの波長範囲内において光治療用の放射線に対して実質的に透明である実施態様６２に記載の装置。
（６４）前記剛毛が前記発生装置に結合していて当該発生装置からの放射線を受容して伝播する実施態様６２に記載の装置。
（６５）前記装置がさらに放射線を拡散するための散乱剤を含む実施態様６２に記載の装置。
（６６）前記剛毛が反射性の材料により少なくとも部分的に被覆されている実施態様６２に記載の装置。
（６７）前記剛毛が光の分散を調整するように形付けられている実施態様６２に記載の装置。
（６８）前記剛毛が円錐、テーパー状、湾曲状および螺旋の形状の群から選択される少なくとも１つの形状を有している実施態様６７に記載の装置。
（６９）前記剛毛が放射線を伝達するように形付けられている実施態様６２に記載の装置。
（７０）前記剛毛が円錐、テーパー状、湾曲状および螺旋の形状の群から選択される少なくとも１つの形状を有している実施態様６９に記載の装置。
（７１）前記剛毛がさらに蛍光、発光またはレージングの要素の群から選択される少なくとも１つの要素を含む実施態様６２に記載の装置。
（７２）前記剛毛がブラシ・ヘッドの中に組み込まれており、このブラシ・ヘッドが取り外し可能であり置換可能である実施態様６２に記載の装置。
（７３）前記剛毛が光学的に透過性であり、放射線を受容して伝達するために放射線発生装置に結合している実施態様６２に記載の装置。
（７４）前記光学的に透過性の剛毛の光屈折特性が当該剛毛と歯または口腔の表面との間の接触が無い場合にその口腔に対する光の伝達を妨げるように選択されている実施態様７２に記載の装置。
（７５）前記装置がさらに移動センサーおよび当該移動センサーからの信号に基づいて前記放射線発生装置を制御するコントローラを含む実施態様５２に記載の装置。
（７６）前記装置がさらに接触センサーおよび当該接触センサーからの信号に基づいて前記放射線発生装置を制御するコントローラを含む実施態様５２に記載の装置。
（７７）前記装置がさらに診断センサーおよび当該診断センサーからの信号に基づいて前記放射線発生装置を制御するコントローラを含む実施態様５２に記載の装置。
（７８）前記装置がさらに前記発生装置から熱を引き出すための少なくとも１つの熱伝導性の要素を含む実施態様５２に記載の装置。
（７９）前記熱伝導性の要素が流体の熱転移媒体を含む実施態様７８に記載の装置。
（８０）前記装置がさらにヒート・シンクとして作用するハンドルを含む実施態様７８に記載の装置。
（８１）前記熱伝導性の要素が位相変化性の材料である実施態様７８に記載の装置。
（８２）前記装置がさらに当該装置からの廃熱により前記口腔の一部分を加熱するための熱転移要素を含む実施態様７８に記載の装置。
（８３）前記装置がさらに前記口腔に対して拡散した放射線を配給するために前記放射線発生要素に光学的に結合している光拡散装置を含む実施態様５２に記載の装置。
（８４）前記拡散装置が部分的にエッチングされているクラッドを伴う光学的に透過性の要素を含む実施態様８３に記載の装置。
（８５）前記本体部分が使用者の口の中に少なくとも部分的に適合するように寸法付けられて形付けされていて、その口腔の少なくとも一部分の形状に一致することに適合している実施態様５２に記載の装置。
（８６）前記本体部分が前記口腔の一部分に対する一致を容易にするために順応性である実施態様８５に記載の装置。
（８７）前記装置がさらに光治療中に使用者の歯と歯肉との間に位置決めするために適合しているマウスピースの形態の本体部分を含む実施態様８５に記載の装置。
（８８）前記装置がさらに光治療中に使用者の舌の少なくとも一部分を被覆する位置における配置のために適合している本体部分を含む実施態様８５に記載の装置。
（８９）前記本体部分が前記口腔の一部分に対する一致を容易にするために順応性である実施態様８８に記載の装置。
（９０）前記装置がさらに光治療中に使用者の歯と歯肉との間に位置決めするために適合しているマウスピースの形態の本体部分を含む実施態様８８に記載の装置。
（９１）前記装置がさらに光治療中に使用者の舌の少なくとも一部分を被覆する位置における配置のために適合している本体部分を含む実施態様８８に記載の装置。
（９２）前記装置がさらに光治療中に前記口腔に対する固定した位置における配置のために適合している本体部分を含む実施態様８８に記載の装置。
（９３）前記装置が、当該アプリケータの口の中への配置時に、前記発生装置からの放射線がその口腔の粘膜の内層に進入して顔面組織の領域に光治療用のエネルギーを配給できるように、構成されている実施態様８８に記載の装置。
（９４）前記装置がさらに標的組織部位に音響エネルギーを配給するための超音波発生装置を含む実施態様８８に記載の装置。
（９５）前記装置がさらに標的組織部位に断続的な圧力を供給するための振動要素を含む実施態様８８に記載の装置。
（９６）前記装置がさらに薬物配給用のポートを含む実施態様８８に記載の装置。
（９７）前記装置がさらに標的組織部位に対して光治療用の放射線を向け直すためのエネルギー反射装置を含む実施態様８８に記載の装置。
（９８）使用者の口の中に少なくとも部分的に適合するように寸法付けられて形付けされている本体部分と、
光治療用の放射線により前記口腔の一部分を照射するために前記本体部分に結合している少なくとも１個の放射線発生装置と、を備えており、この発生装置が顔面組織の領域に放射線を配給することができる口腔光治療用アプリケータ。
（９９）前記発生装置がさらに少なくとも２個の分離しているスペクトル帯域内の波長成分を有する放射線の供給源を含む実施態様９８に記載の装置。
（１００）前記発生装置がさらに異なるスペクトル帯域の放射線を発生する少なくとも２個の放射線の供給源を含む実施態様９８に記載の装置。
（１０１）前記発生装置がさらに発光ダイオード、超発光ダイオード、レーザー・ダイオード、垂直キャビティ面型発光レーザー、ファイバー・レーザー、蛍光固体素子供給源、およびランプの群から選択される放射線供給源を含む実施態様９８に記載の装置。
（１０２）前記装置がさらに光治療において使用するための放射線のスペクトル帯域を選択するための光学フィルターを含む実施態様９８に記載の装置。
（１０３）前記装置がさらに光治療において使用するための放射線の複数のスペクトル帯域を選択するための複数の光学フィルターを含む実施態様９８に記載の装置。
（１０４）前記装置がさらに異なる方向に放射線を送り出すための光学要素を含む実施態様９８に記載の装置。
（１０５）前記装置が歯、頬、舌、口蓋、喉および顔面組織、リンパ組織、血液、腺、小胞、コラーゲンおよび色素沈着の群から選択される口腔の少なくとも一部分に放射線を送り出すように構成されている実施態様１０４に記載の装置。
（１０６）前記装置が、当該アプリケータの口の中への配置時に、前記発生装置からの放射線がその口腔の粘膜の内層に進入して顔面組織の領域に光治療用のエネルギーを配給できるように、構成されている実施態様９８に記載の装置。
（１０７）前記装置がさらに複数の剛毛を含む実施態様９８に記載の装置。
（１０８）前記剛毛が少なくとも１個の波長範囲内において光治療用の放射線に対して実質的に透明である実施態様１０７に記載の装置。
（１０９）前記剛毛が前記発生装置に結合していて当該発生装置からの放射線を受容して伝播する実施態様１０７に記載の装置。
（１１０）前記装置がさらに放射線を拡散するための散乱剤を含む実施態様１０７に記載の装置。
（１１１）前記剛毛が反射性の材料により少なくとも部分的に被覆されている実施態様１０７に記載の装置。
（１１２）前記剛毛が円錐、テーパー状、湾曲状および螺旋の形状の群から選択される少なくとも１個の形状を有している実施態様１０７に記載の装置。
（１１３）前記剛毛が当該剛毛と前記口腔の一部分との間における接触時に放射線を伝達するように形付けられている実施態様１０７に記載の装置。
（１１４）前記剛毛がさらに蛍光、発光またはレージングの要素の群から選択される少なくとも１個の要素を含む実施態様１０７に記載の装置。
（１１５）前記剛毛がブラシ・ヘッドの中に組み込まれており、このブラシ・ヘッドが取り外し可能であり置換可能である実施態様１０７に記載の装置。
（１１６）前記剛毛が光学的に透過性であり、放射線を受容して伝達するために放射線発生装置に結合している実施態様１０７に記載の装置。
（１１７）前記光学的に透過性の剛毛の光屈折特性が当該剛毛と歯または口腔の表面との間の接触が無い場合にその口腔に対する光の伝達を妨げるように選択されている実施態様１１６に記載の装置。
（１１８）前記装置がさらに移動センサーおよび当該移動センサーからの信号に基づいて前記放射線発生装置を制御するコントローラを含む実施態様９８に記載の装置。
（１１９）前記装置がさらに接触センサーおよび当該接触センサーからの信号に基づいて前記放射線発生装置を制御するコントローラを含む実施態様９８に記載の装置。
（１２０）前記装置がさらに診断センサーおよび当該診断センサーからの信号に基づいて前記放射線発生装置を制御するコントローラを含む実施態様９８に記載の装置。
（１２１）前記装置がさらに前記発生装置から熱を引き出すための少なくとも１個の熱伝導性の要素を含む実施態様９８に記載の装置。
（１２２）前記熱伝導性の要素が流体の熱転移媒体を含む実施態様１２１に記載の装置。
（１２３）前記装置がさらにヒート・シンクとして作用するハンドルを含む実施態様１２１に記載の装置。
（１２４）前記熱伝導性の要素が位相変化性の材料である実施態様１２１に記載の装置。
（１２５）前記装置がさらに当該装置からの廃熱により前記口腔の一部分を加熱するための熱転移要素を含む実施態様１２１に記載の装置。
（１２６）前記装置がさらに前記口腔に対して拡散した放射線を配給するために前記放射線発生要素に光学的に結合している光拡散装置を含む実施態様９８に記載の装置。
（１２７）前記拡散装置が部分的にエッチングされているクラッドを伴う光学的に透過性の要素を含む実施態様１２６に記載の装置。
（１２８）前記本体部分が使用者の口の中に少なくとも部分的に適合するように寸法付けられて形付けされていて、その口腔の少なくとも一部分の形状に一致することに適合している実施態様９８に記載の装置。
（１２９）前記本体部分が前記口腔の一部分に対する一致を容易にするために順応性である実施態様１２８に記載の装置。
（１３０）前記装置がさらに光治療中に使用者の歯と歯肉との間に位置決めするために適合しているマウスピースの形態の本体部分を含む実施態様１２８に記載の装置。
（１３１）前記装置がさらに光治療中に使用者の舌の少なくとも一部分を被覆する位置における配置のために適合している本体部分を含む実施態様１２８に記載の装置。
（１３２）前記装置がさらに光治療中に前記口腔に対する固定した位置における配置のために適合している本体部分を含む実施態様９８に記載の装置。
（１３３）前記装置がさらに標的組織部位に音響エネルギーを配給するための超音波発生装置を含む実施態様９８に記載の装置。
（１３４）前記装置がさらに標的組織部位に断続的な圧力を供給するための振動要素を含む実施態様９８に記載の装置。
（１３５）前記装置がさらに薬物配給用のポートを含む実施態様９８に記載の装置。
（１３６）前記装置がさらに標的組織部位に対して光治療用の放射線を向け直すためのエネルギー反射装置を含む実施態様９８に記載の装置。
（１３７）使用者の口の中に少なくとも部分的に適合するように寸法付けられて形付けされている本体部分と、
複数の方向に沿って光治療用の放射線により前記口腔の一部分を照射するために前記本体部分に結合している少なくとも１個の放射線発生要素と、を備えている口腔光治療用アプリケータ。
（１３８）前記装置がさらに異なる方向に光を発生する複数の放射線発生要素を含む実施態様１３７に記載の装置。
（１３９）前記装置がさらに異なる方向に放射線を送り出すための光学要素を含む実施態様１３７に記載の装置。
（１４０）前記装置が歯、頬、舌、口蓋、喉および顔面組織、リンパ組織、血液、腺、小胞、コラーゲンおよび色素沈着の群から選択される口腔の少なくとも一部分に放射線を送り出すように構成されている実施態様１３７に記載の装置。
（１４１）前記発生装置が異なる方向に伝達される放射線の少なくとも２個の供給源を含む実施態様１３７に記載の装置。
（１４２）前記発生装置がさらに少なくとも２個の分離しているスペクトル帯域内の波長成分を有する放射線の供給源を含む実施態様１３７に記載の装置。
（１４３）前記発生装置がさらに異なるスペクトル帯域の放射線を発生する少なくとも２個の放射線の供給源を含む実施態様１３７に記載の装置。
（１４４）前記装置がさらに波長、出力、パルス幅および治療時間の群から選択される前記口腔の照射のための少なくとも１個のパラメータを調整するためのコントローラを備えている実施態様１３７に記載の装置。
（１４５）前記発生装置がさらに発光ダイオード、超発光ダイオード、レーザー・ダイオード、垂直キャビティ面型発光レーザー、ファイバー・レーザー、蛍光固体素子供給源、およびランプの群から選択される少なくとも１個の放射線供給源を含む実施態様１３７に記載の装置。
（１４６）前記装置がさらに複数の剛毛を含む実施態様１３７に記載の装置。
（１４７）前記剛毛が少なくとも１個の波長範囲内において光治療用の放射線に対して実質的に透明である実施態様１４６に記載の装置。
（１４８）前記剛毛が前記発生装置に結合していて当該発生装置からの放射線を受容して伝播する実施態様１４６に記載の装置。
（１４９）前記剛毛が反射性の材料により少なくとも部分的に被覆されている実施態様１４６に記載の装置。
（１５０）前記剛毛が円錐、テーパー状、湾曲状および螺旋の形状の群から選択される少なくとも１個の形状を有している実施態様１４６に記載の装置。
（１５１）前記剛毛が当該剛毛と前記口腔の一部分との間における接触時に放射線を伝達するように形付けられている実施態様１４６に記載の装置。
（１５２）前記剛毛がさらに蛍光、発光またはレージングの要素の内の１個以上を含む実施態様１４６に記載の装置。
（１５３）前記剛毛がブラシ・ヘッドの中に組み込まれており、このブラシ・ヘッドが取り外し可能であり置換可能である実施態様１４６に記載の装置。
（１５４）前記剛毛が光学的に透過性であり、放射線を受容して伝達するために放射線発生装置に結合している実施態様１４６に記載の装置。
（１５５）前記装置がさらに複数の剛毛を含み、前記発生要素からの放射線の少なくとも一部分がこれらの剛毛に対して平行でない方向に発生される実施態様１３７に記載の装置。
（１５６）前記光学的に透過性の剛毛の光屈折特性が当該剛毛と歯または口腔の表面との間の接触が無い場合にその口腔に対する光の伝達を妨げるように選択されている実施態様１３７に記載の装置。
（１５７）前記装置がさらに移動センサーおよび当該移動センサーからの信号に基づいて前記放射線発生装置を制御するコントローラを含む実施態様１３７に記載の装置。
（１５８）前記装置がさらに接触センサーおよび当該接触センサーからの信号に基づいて前記放射線発生装置を制御するコントローラを含む実施態様１３７に記載の装置。
（１５９）前記装置がさらに診断センサーおよび当該診断センサーからの信号に基づいて前記放射線発生装置を制御するコントローラを含む実施態様１３７に記載の装置。
（１６０）前記装置がさらに前記発生装置から熱を引き出すための少なくとも１個の熱伝導性の要素を含む実施態様１３７に記載の装置。
（１６１）前記熱伝導性の要素が流体の熱転移媒体を含む実施態様１６０に記載の装置。
（１６２）前記装置がさらにヒート・シンクとして作用するハンドルを含む実施態様１６０に記載の装置。
（１６３）前記熱伝導性の要素が位相変化性の材料である実施態様１６０に記載の装置。
（１６４）前記装置がさらに当該装置からの廃熱により前記口腔の一部分を加熱するための熱転移要素を含む実施態様１６０に記載の装置。
（１６５）前記装置がさらに前記口腔に対して拡散した放射線を配給するために前記放射線発生要素に光学的に結合している光拡散装置を含む実施態様１３７に記載の装置。
（１６６）前記拡散装置が部分的にエッチングされているクラッドを伴う光学的に透過性の要素を含む実施態様１６５に記載の装置。
（１６７）前記本体部分が使用者の口の中に少なくとも部分的に適合するように寸法付けられて形付けされていて、その口腔の少なくとも一部分の形状に一致することに適合している実施態様１３７に記載の装置。
（１６８）前記本体部分が前記口腔の一部分に対する一致を容易にするために順応性である実施態様１６７に記載の装置。
（１６９）前記装置がさらに光治療中に少なくとも使用者の歯と歯肉との間に位置決めするために適合しているマウスピースの形態の本体部分を含む実施態様１６７に記載の装置。
（１７０）前記装置がさらに光治療中に使用者の唇の少なくとも一部分を被覆する位置における配置のために適合している本体部分を含む実施態様１６７に記載の装置。
（１７１）前記装置がさらに光治療中に前記口腔に対する固定した位置における配置のために適合している本体部分を含む実施態様１３７に記載の装置。
（１７２）前記装置が、当該アプリケータの口の中への配置時に、前記発生装置からの放射線がその口腔の粘膜の内層に進入して顔面組織の領域に光治療用のエネルギーを配給できるように、構成されている実施態様１３７に記載の装置。
（１７３）前記装置がさらに標的組織部位に音響エネルギーを配給するための超音波発生装置を含む実施態様１３７に記載の装置。
（１７４）前記装置がさらに標的組織部位に断続的な圧力を供給するための振動要素を含む実施態様１３７に記載の装置。
（１７５）前記装置がさらに薬物配給用のポートを含む実施態様１３７に記載の装置。
（１７６）前記装置がさらに標的組織部位に対して光治療用の放射線を向け直すためのエネルギー反射装置を含む実施態様１３７に記載の装置。
（１７７）使用者の口の中に少なくとも部分的に適合するように寸法付けられて形付けされている本体部分と、
長手軸を有する細長い形状の複数の剛毛と、を備えており、これら剛毛が前記本体部分に結合していて使用者の歯をブラッシングすることに適合しており、さらに
前記剛毛に接触している組織以外の口腔の一部分を光治療用の放射線により照射するために前記本体部分に結合している少なくとも１個の放射線発生装置、を備えている口腔光治療用アプリケータ。
（１７８）前記装置がさらに異なる方向に光を発生する複数の放射線発生要素を含む実施態様１７７に記載の装置。
（１７９）前記装置がさらに前記剛毛に接触している組織の領域および当該装置に接触していない口腔の一部分の両方を照射する発生装置を含む実施態様１７７に記載の装置。
（１８０）前記装置がさらに前記剛毛に接触している歯の組織およびその歯の組織の周囲の歯肉組織に照射する少なくとも１個の発生装置を含む実施態様１７７に記載の装置。
（１８１）前記発生装置がさらに少なくとも２個の分離しているスペクトル帯域内の波長成分を有する放射線の供給源を含む実施態様１７７に記載の装置。
（１８２）前記発生装置がさらに異なるスペクトル帯域の放射線を発生する少なくとも２個の放射線の供給源を含む実施態様１７７に記載の装置。
（１８３）前記装置がさらに発光ダイオード、超発光ダイオード、レーザー・ダイオード、垂直キャビティ面型発光レーザー、ファイバー・レーザー、蛍光固体素子供給源、およびランプの群から選択される少なくとも１個の放射線供給源を含む実施態様１７７に記載の装置。
（１８４）前記装置がさらに前記口腔に対して拡散した放射線を配給するために前記放射線発生要素に光学的に結合している光拡散装置を含む実施態様１７７に記載の装置。
（１８５）前記拡散装置が部分的にエッチングされているクラッドを伴う光学的に透過性の要素を含む実施態様１８４に記載の装置。
（１８６）前記装置がさらに複数の光学的に透過性の剛毛を含む実施態様１７７に記載の装置。
（１８７）前記剛毛が放射線発生要素に光学的に結合している実施態様１８６に記載の装置。
（１８８）前記剛毛が前記発生装置に結合していて当該発生装置からの放射線を受容して伝播する実施態様１８６に記載の装置。
（１８９）前記剛毛が反射性の材料により少なくとも部分的に被覆されている実施態様１８６に記載の装置。
（１９０）前記剛毛が円錐、テーパー状、湾曲状および螺旋の形状の群から選択される少なくとも１個の形状を有している実施態様１８６に記載の装置。
（１９１）前記剛毛が当該剛毛と前記口腔の一部分との間における接触時に放射線を伝達するように形付けられている実施態様１８６に記載の装置。
（１９２）前記剛毛がさらに１個以上の蛍光、発光またはレージングの要素を含む実施態様１８６に記載の装置。
（１９３）前記剛毛がブラシ・ヘッドの中に組み込まれており、このブラシ・ヘッドが取り外し可能であり置換可能である実施態様１８６に記載の装置。
（１９４）前記剛毛が光学的に透過性であり、放射線を受容して伝達するために放射線発生装置に結合している実施態様１８６に記載の装置。
（１９５）前記装置がさらに複数の剛毛を含み、前記発生要素からの放射線の少なくとも一部分がこれらの剛毛に対して平行でない方向に発生される実施態様１７７に記載の装置。
（１９６）前記光学的に透過性の剛毛の光屈折特性が当該剛毛と歯または口腔の表面との間の接触が無い場合にその口腔に対する光の伝達を妨げるように選択されている実施態様１９５に記載の装置。
（１９７）前記装置がさらに移動センサーおよび当該移動センサーからの信号に基づいて前記放射線発生装置を制御するコントローラを含む実施態様１７７に記載の装置。
（１９８）前記装置がさらに接触センサーおよび当該接触センサーからの信号に基づいて前記放射線発生装置を制御するコントローラを含む実施態様１７７に記載の装置。
（１９９）前記装置がさらに診断センサーおよび当該診断センサーからの信号に基づいて前記放射線発生装置を制御するコントローラを含む実施態様１７７に記載の装置。
（２００）前記装置がさらに前記発生装置から熱を引き出すための少なくとも１個の熱伝導性の要素を含む実施態様１７７に記載の装置。
（２０１）前記熱伝導性の要素が流体の熱転移媒体を含む実施態様２００に記載の装置。
（２０２）前記装置がさらにヒート・シンクとして作用するハンドルを含む実施態様２００に記載の装置。
（２０３）前記熱伝導性の要素が位相変化性の材料を含む実施態様２００に記載の装置。
（２０４）前記装置がさらに当該装置からの廃熱により前記口腔の一部分を加熱するための熱転移要素を含む実施態様２００に記載の装置。
（２０５）前記装置が、当該アプリケータの口の中への配置時に、前記発生装置からの放射線がその口腔の粘膜の内層に進入して顔面組織の領域に光治療用のエネルギーを配給できるように、構成されている実施態様１７７に記載の装置。
（２０６）前記装置が歯、頬、舌、口蓋、喉および顔面組織、リンパ組織、血液、腺、小胞、コラーゲンおよび色素沈着の群から選択される口腔の少なくとも一部分に放射線を送り出すように構成されている実施態様１７７に記載の装置。
（２０７）前記装置がさらに標的組織部位に音響エネルギーを配給するための超音波発生装置を含む実施態様１７７に記載の装置。
（２０８）前記装置がさらに標的組織部位に断続的な圧力を供給するための振動要素を含む実施態様１７７に記載の装置。
（２０９）前記装置がさらに薬物配給用のポートを含む実施態様１７７に記載の装置。
（２１０）前記装置がさらに標的組織部位に対して光治療用の放射線を向け直すためのエネルギー反射装置を含む実施態様１７７に記載の装置。
（２１１）所望の生体刺激作用を生じるために少なくとも１個の選択した波長成分を有する放射線により被験者の口腔の少なくとも一部分を照射する処理を含む生体刺激の方法。
（２１２）前記照射工程が前記放射線に対して前記被験者の口腔の中の軟質組織を曝露する処理を含む実施態様２１１に記載の方法。
（２１３）前記照射工程が前記放射線に対して顔面組織を曝露する処理を含む実施態様２１１に記載の方法。
（２１４）さらに、前記部分に対して選択された合計の放射線の線量を投与するために前記放射線を多数の治療期間中に前記口腔の部分に供給する処理を含む実施態様２１１に記載の方法。
（２１５）さらに、前記治療期間のそれぞれにおいて投与される放射線の出力が約１０Ｗよりも低くなるように選択する処理を含む実施態様２１１に記載の方法。
（２１６）さらに、前記治療期間のそれぞれの持続時間が約１０秒〜約１０００秒の範囲内になるように選択する処理を含む実施態様２１４に記載の方法。
（２１７）前記生体刺激作用が前記照射した部分の中の増加した血液およびリンパの微小循環、歯髄および歯肉の中の血液の微小循環の活性化、高められた局所的なマクロファージの活性、増加した線維芽細胞、骨芽細胞およびぞうげ芽細胞の増殖、口腔内のバクテリア、真菌、およびウイルスの少なくとも１種類の殺菌、口腔のｐＨ値の正常化、被験者の血液の微小循環系の中のウイルスの殺菌、選択した代謝血液成分の光誘発型の破壊、歯肉の出血の減少、歯の知覚過敏症の低下、歯および喉の中の痛みの減少、歯周および骨の再生、移植、歯冠および充填用の接合部分の改善、エナメル質の再鉱物質化、カリエスの予防、根管の滅菌、口内炎の予防および歯周病の予防および治癒のいずれかを生じる実施態様２１１に記載の方法。
（２１８）前記生体刺激作用が口腔の粘膜の炎症の病気、舌の病気、唾液腺および小舌下管の炎症からの回復、および口腔組織内の痛みの減少、咽喉炎、アンギナ、急性または慢性の扁桃炎、静脈洞炎の回復、声帯の炎症の回復および口腔から接近可能な組織の癌の予防の内の少なくとも一つの予防および改善を含む実施態様２１１に記載の方法。
（２１９）さらに、口腔の中に配置するために寸法付けられて形付けされていてその口腔を照射するための放射線供給源を含む口腔アプリケータを利用している実施態様２１１に記載の方法。
（２２０）前記照射工程が皮膚科学的な治療を行なうために顔面の皮膚の下に一定の線量の放射線を蓄積するために被験者の口腔の領域に対して選択された波長帯域を有する放射線を送り出す処理を含む実施態様２１１に記載の方法。
（２２１）前記皮膚科学的な処理が顔面の小胞の治療、表皮、脈管、こぶ、筋肉、皮下脂肪、コラーゲン、アクネ症の改善、毛髪の管理、しわの減少、皮膚組織の改善、皮膚の弾力の改善、脂性の改善、皮膚のはり、唇の組織および弾性の改善、唇の病気の治療、口周囲の頬および唇の脈管の改善および口周囲の皮膚炎の治療のいずれかを含む実施態様２２０に記載の方法。
（２２２）前記照射工程が前記皮膚科学的な治療を行なうために十分に顔面の皮膚の下に一定の線量の放射線を蓄積するための多数回の治療期間にわたり前記口腔の領域に対して放射線を送り出す処理を含む実施態様２２１に記載の方法。
（２２３）さらに、前記治療期間のそれぞれにおいて投与される放射線の出力が約１０Ｗよりも低くなるように選択する処理を含む実施態様２２２に記載の方法。
（２２４）さらに、前記口腔の中の照射した歯が前記放射線をその歯の歯髄、歯根および根尖のいずれかに実質的に案内するように前記波長成分を選択する処理を含む実施態様２１１に記載の方法。
（２２５）さらに、粘膜の内層の下方の深さにおける制御された口腔組織の加熱を生じるために約０．３８〜約０．６ミクロンの範囲内になるように前記波長成分を選択する処理を含む実施態様２１１に記載の方法。
（２２６）さらに、粘膜の内層の下方の深さにおける制御された口腔組織の加熱を生じるために約０．８ミクロン〜約１００ミクロンの範囲内になるように前記波長成分を選択する処理を含む実施態様２１１に記載の方法。
（２２７）さらに、顔面組織を治療するために約０．６ミクロン〜約１．３ミクロンの範囲内になるように前記波長成分を選択する処理を含む実施態様２１１に記載の方法。
（２２８）前記照射工程が、被験者の概日周期中の第１の選択された時間において第１の帯域幅の中の波長成分を有する放射線によりその被験者の口腔の少なくとも一部分を照射する工程と、
前記被験者の概日周期中の第２の選択された時間において第２の帯域幅の中の波長成分を有する放射線によりその被験者の口腔の少なくとも一部分を照射する工程と、を含む実施態様２１１に記載の方法。
（２２９）さらに、治療の結果をモニターするために前記照射した部分からの診断用の信号を検出する処理を含む実施態様２１１に記載の方法。
（２３０）口腔の血管の中に流れる血液を照射するために選択された波長成分を有する放射線に対して被験者の口腔の少なくとも一部分を曝露する処理を含む被験者の血液を治療する方法。
（２３１）さらに、前記口腔を照射するために１個以上の放射線供給源を含む口腔アプリケータを利用する処理を含む実施態様２３０に記載の方法。
（２３２）前記波長成分が約２８０ｎｍ〜約１．８ミクロンの範囲内になるように選択する処理を含む実施態様２３０に記載の方法。
（２３３）前記放射線が約２８０ｎｍ〜約４００ｎｍの範囲内になるように選択する処理を含む実施態様２３０に記載の方法。
（２３４）前記放射線が約３００ｎｍ〜約３２０ｎｍの範囲内になるように選択する処理を含む実施態様２３０に記載の方法。
（２３５）さらに、約１ｍＷ〜約１０Ｗの範囲内の放射線の出力がそれぞれの治療期間中に前記口腔に投与されるように分離している治療期間中に前記放射線により口腔を照射する処理を含む実施態様２３０に記載の方法。
（２３６）前記放射線の出力が約１ｍＷ〜約１Ｗの範囲内である実施態様２３５に記載の方法。
（２３７）さらに、１回以上の治療周期にわたり前記放射線に対して実質的に全体の量の被験者の血液を曝露するために十分に長い時間にわたりその被験者の口腔を照射する処理を含む実施態様２３０に記載の方法。
（２３８）前記放射線が血液中の病原体の殺菌を生じる実施態様２３０に記載の方法。
（２３９）前記病原体がバクテリアおよびウイルスのいずれかである実施態様２３８に記載の方法。
（２４０）さらに、被験者の循環系の中に光力学的な物質を導入する処理およびその物質を活性化するための前記波長成分の１つ以上を選択する処理を含む実施態様２３０に記載の方法。
（２４１）被験者の口腔の少なくとも一部分に生体適合性の化合物を供給する処理と、
少なくとも１つの選択した波長成分を有する放射線により前記口腔の部分を照射する処理と、を含み
前記化合物が前記口腔の部分に対する前記放射線の光学的な結合を高めるために適している屈折率を前記波長成分において有する生体刺激の方法。
（２４２）前記化合物が前記光学的な結合をさらに高めるために適している透明性を前記波長成分において有する実施態様２４１に記載の生体刺激の方法。
（２４３）前記化合物が前記光学的な結合をさらに高めるために適している浸透性を前記口腔組織の部分の中において有する実施態様２４１に記載の方法。
（２４４）前記波長成分が約２８０ｎｍ〜約２．７ミクロンの範囲内である実施態様２４１に記載の方法。
（２４５）前記屈折率が約１．３〜約１．８の範囲内である実施態様２４１に記載の方法。
（２４６）さらに、約１０ｋＤａ〜約１０００ｋＤａの範囲内の分子量を有するように前記化合物を選択する処理を含む実施態様２４１に記載の方法。
（２４７）前記化合物が前記放射線に対する曝露に応じて蛍光を発する実施態様２４１に記載の方法。
（２４８）前記化合物が液体である実施態様２４１に記載の方法。
（２４９）前記化合物がゲルである実施態様２４１に記載の方法。
（２５０）患者の口腔の領域を照射する処理と、
前記照射した領域の少なくとも一部分に薬物を投与する処理と、を含む患者に薬物を投与する方法。
（２５１）前記照射工程が前記口腔の脈管の中への薬物の浸透を高める実施態様２５０に記載の方法。
（２５２）前記照射工程が前記投与した薬物を活性化する実施態様２５０に記載の方法。
（２５３）前記投与工程が前記口腔の組織の中に前記薬物を注入する処理を含む実施態様２５０に記載の方法。
（２５４）前記投与工程が前記口腔の粘膜に接触して前記薬物を配置する処理を含む実施態様２５０に記載の方法。
（２５５）口腔の中から顔面組織の少なくとも一部分を照射する処理、を含む顔面組織を治療する方法。
（２５６）口腔の中の組織を照射する処理、を含む皮膚の外観を改善する方法。
（２５７）アクネ症の治療、しわの減少、皮膚組織の改善、皮膚の弾力および皮膚のはりの改善の内の少なくとも一つを含む皮膚の外観を改善する実施態様２５６に記載の方法。
（２５８）口腔の一部分に無毒性の発色団を供給する処理と、
期間中に前記発色団に対して低い線量の放射線を配給する処理と、を含み、この放射線が前記無毒性の発色団の吸収帯域内の波長を有しており、前記線量が前記発色団が通常に反応する出力密度よりも低く、さらに
前記発色団が活性化するまで後続の期間において放射線を供給する工程を繰り返す処理を含む歯の治療方法。
（２５９）前記発色団が歯の白色化剤である実施態様２５８に記載の方法。
（２６０）前記発色団が抗菌剤である実施態様２５８に記載の方法。
（２６１）前記発色団を供給する工程がさらに少なくとも１本の歯に皮膜を供給する処理を含み、この皮膜が前記発色団のためのキャリヤとして作用する２５８に記載の方法。
（２６２）前記期間中に発色団に供給される放射線の出力密度が約１ｍＷ〜約１０Ｗの範囲である実施態様２５８に記載の方法。
（２６３）前記期間中に発色団に供給される放射線の出力密度が約１０ｍＷ〜約１Ｗの範囲である実施態様２５８に記載の方法。
（２６４）前記期間中に発色団に供給される放射線の波長が約２８０ナノメートル〜約１４０００００ナノメートルの範囲である実施態様２５８に記載の方法。
（２６５）前記期間中に発色団に供給される放射線の波長が約３００ナノメートル〜約１３００ナノメートルの範囲である実施態様２５８に記載の方法。
（２６６）前記期間中に発色団に供給される放射線の波長が約４００ナノメートル〜約９００ナノメートルの範囲である実施態様２５８に記載の方法。
（２６７）前記方法がさらに前記口腔の一部分に第２の発色団を供給した後にその第２の発色団の吸収帯域に対応する波長帯域においてその第２の発色団に第２の線量の光放射線を配給する処理を含む実施態様２５８に記載の方法。
（２６８）前記発色団に対応する線量の放射線が実質的に同時に配給される実施態様２６７に記載の方法。
（２６９）さらに、それぞれの発色団が前記放射線の一部分を吸収するように前記２種類の発色団の吸収帯域の中の波長成分を有する放射線により前記口腔を照射する処理を含む実施態様２６７に記載の方法。
（２７０）前記方法がさらに前記第２の発色団の吸収帯域に対応する波長帯域においてその第２の発色団に対して第２の線量の光放射線を配給する処理を含む実施態様２５８に記載の方法。
（２７１）前記第２の発色団が外因性の発色団である実施態様２７０に記載の方法。
（２７２）前記第２の発色団が内因性の発色団である実施態様２７０に記載の方法。
（２７３）前記線量の放射線を配給する処理がそれぞれの発色団がその放射線の一部分を吸収するようにそれぞれの発色団の吸収帯域内の波長成分を有する放射線により前記口腔を照射する処理を含む実施態様２７０に記載の方法。
（２７４）前記方法がさらに前記口腔の標的領域を加熱する処理を含む実施態様２５８に記載の方法。
（２７５）前記口腔の標的領域を加熱するために第２の帯域の光放射線が供給される実施態様２５８に記載の方法。
（２７６）歯の中に存在している少なくとも１種類の発色団により吸収可能な１個以上の波長成分を有する光放射線によりその歯の標的領域を直接的に光漂白する処理を、含む歯の少なくとも一部分を白色化する方法。
（２７７）前記発色団が染色している残留物である実施態様２７６に記載の方法。
（２７８）前記染色している残留物が歯の表面に存在している実施態様２７７に記載の方法。
（２７９）前記染色している残留物が歯のぞうげ質の中に存在している実施態様２７７に記載の方法。
（２８０）前記波長の帯域がワイン、コーヒー、タバコの煙の残留物およびこれらの組み合わせ物から成る群から選択される歯の染色物質のスペクトルに対応している実施態様２７７に記載の方法。
（２８１）前記方法がさらに前記標的領域を加熱する処理を含む実施態様２５８に記載の方法。
（２８２）前記加熱工程が加熱を行なうために前記標的領域に放射線を配給する処理をさらに含む実施態様２８１に記載の方法。
（２８３）歯のしみまたは歯の構造により吸収されるスペクトル内の光放射線によりその歯の標的領域を熱漂白する処理、を含む歯の少なくとも一部分を白色化および増白する方法。
（２８４）歯の標的領域の中に存在している外因性または内因性の光感作剤により吸収されるスペクトル内の光放射線によりその歯の標的領域を光漂白する処理、を含む歯の少なくとも一部分を白色化および増白する方法。
（２８５）前記内因性の光感作剤が酸素である実施態様２８４に記載の方法。
（２８６）前記スペクトルが約５８０±２０ｎｍ、６３０±２０ｎｍ、７６０±２０ｎｍ、１０６０±２０ｎｍ、または１２６８±２０ｎｍのいずれかの範囲内である実施態様２８３に記載の方法。
（２８７）前記発色団が有機性の分子を含む内因性の光感作剤である実施態様２７６に記載の方法。
（２８８）前記波長成分が約２８０〜７００ｎｍの範囲内である実施態様２８７に記載の方法。
（２８９）歯の内部構造を光活性化してその構造を若返らせる処理、を含む歯の少なくとも一部分を白色化および増白する方法。
（２９０）前記光活性化の工程が前記歯の中における新しいぞうげ質の成長を生じる実施態様２８９に記載の方法。
（２９１）前記光活性化の工程が前記歯のエナメル質／ぞうげ質の接合部分における改善を生じる実施態様２８９に記載の方法。
（２９２）被験者の歯に供給するために適合している柔軟な薄い皮膜を備えており、この柔軟な薄い皮膜が
高分子の基質と、
前記高分子の基質の中に配置されている少なくとも１種類の発色団と、を含み、この発色団が歯の白色化を生じる選択された帯域幅の中の放射線に応じて活性化される、歯の白色化片。
（２９３）前記発色団が非過酸化物の白色化剤を含む実施態様２９２に記載の歯の白色化片。
（２９４）前記皮膜が被験者の歯に接着できる実施態様２９２に記載の歯の白色化片。
（２９５）前記基質がエチレン・オキシドにより形成されている実施態様２９２に記載の歯の白色化片。
（２９６）前記白色化片が約２０ミクロン〜約１５００ミクロンの範囲内の厚さを有している実施態様２９２に記載の歯の白色化片。
（２９７）さらに、可塑剤を含む実施態様２９２に記載の歯の白色化片。
（２９８）被験者の歯に適用するために適合している柔軟な支持体と、
前記支持体の少なくとも表面に配置されている発色団と、を備えており、この発色団が前記支持体の表面に接触している被験者の歯の白色化を生じるために選択された波長成分を有する放射線に応じて活性化できる、歯の白色化用の皮膜。
（２９９）歯のしみ、歯の構造またはその歯の標的領域に供給される外因性の発色団のいずれかにより吸収可能なスペクトルを有する光放射線によりその歯の標的領域を照射する処理と、
前記スペクトルまたは異なるスペクトルにおいて前記歯から反射した放射線を利用することにより歯の色および反射率を診断する処理と、を含む歯の少なくとも一部分を白色化および増白する方法。
（３００）使用者の口の中に少なくとも部分的に適合するように寸法付けられて形付けされている本体部分と、
少なくとも１つの所望のスペクトル帯域内の光治療用の放射線により前記口腔の一部分を照射するために前記本体部分に結合している少なくとも１つの放射線発生装置と、を備えている、口腔光治療用アプリケータ。
（３０１）  前記アプリケータが、光治療中に前記口腔の一部分に接触するのに適しており、そして１個以上の歯に接触するために適していてもよい、複数の剛毛をさらに備えている、実施態様３００に記載のアプリケータ。
（３０２）  前記剛毛が少なくとも１つの波長範囲内の光治療用の放射線に対して実質的に透明であり、
前記放射線を拡散するための散乱剤をさらに含んでもよい、実施態様３００および３０１のいずれかに記載のアプリケータ。
（３０３）前記剛毛が反射性の材料により少なくとも部分的に被覆されている、実施態様３００〜３０２のいずれかに記載のアプリケータ。
（３０４）  前記剛毛が、
光の分布を調整するように形付けられており、
円錐、テーパー状、湾曲状および螺旋の形状の群から選択される少なくとも１つの形状を有してもよい、実施態様３００〜３０３のいずれかに記載のアプリケータ。
（３０５）前記剛毛が１つ以上の蛍光、発光またはレージングの要素をさらに含む、実施態様３００〜３０４のいずれかに記載のアプリケータ。
（３０６）前記光学的に透過性の剛毛の光屈折特性が、当該剛毛と歯または口腔のの表面との間の接触が無い場合に、その口腔に対する光の伝達を妨げるように選択されている、実施態様３００〜３０５のいずれかに記載のアプリケータ。
（３０７）前記アプリケータが、移動または接触または診断のセンサーおよび当該センサーからの信号に基づいて前記放射線発生装置を制御するコントローラをさらに備えている、実施態様３００〜３０６のいずれかに記載のアプリケータ。
（３０８）前記アプリケータが前記口腔の一部分を加熱するためのヒーター要素をさらに備えている、実施態様３００〜３０７のいずれかに記載のアプリケータ。
（３０９）前記アプリケータが標的組織部位に音響エネルギーを配給するための超音波発生装置をさらに含む、実施態様３００〜３０８のいずれかに記載のアプリケータ。
（３１０）前記アプリケータが薬物配給ポートをさらに備えている、実施態様３００〜３０９のいずれかに記載のアプリケータ。
（３１１）前記アプリケータが、所与の標的組織部位に対して光治療放射線の向きを変えるための反射性の外表面部をさらに備えている、実施態様３００〜３１０のいずれかに記載のアプリケータ。
（３１２）前記発生装置が少なくとも２つの分離しているスペクトル帯域内の放射線を発生する、実施態様３００〜３１１のいずれかに記載のアプリケータ。
（３１３）前記発生装置が、異なるスペクトル帯域の放射線を発生する少なくとも２つの放射線の供給源をさらに含む、実施態様３００〜３１２のいずれかに記載のアプリケータ。
（３１４）前記スペクトル帯域が重なっているか、あるいは、これらのスペクトル帯域が重なっていない、実施態様３１３に記載のアプリケータ。
（３１５）前記アプリケータが、ヒート・シンクとして作用するハンドルをさらに備えている、実施態様３００〜３１４のいずれかに記載のアプリケータ。
（３１６）前記アプリケータが、当該アプリケータからの廃熱により前記口腔の一部分を加熱するための熱転移要素をさらに備えている、実施態様３００〜３１５のいずれかに記載のアプリケータ。
（３１７）前記アプリケータが、所与の位相変化性の材料を含む熱転移要素をさらに備えている、実施態様３００〜３１６のいずれかに記載のアプリケータ。
（３１８）前記本体部分が、光治療中に少なくとも使用者の歯と歯肉との間に位置決めするために適合しているマウスピースの形態である、実施態様３００〜３１７のいずれか１つに記載のアプリケータ。
（３１９）前記本体部分が光治療中に使用者の唇の少なくとも一部分を被覆している位置内に配置するために適合している、実施態様３１８に記載のアプリケータ。
（３２０）前記アプリケータが、使用者による呼吸を容易にするためにその本体部分の中を通る気道の内孔部分をさらに備えている、実施態様３１９に記載のアプリケータ。
（３２１）前記発生装置が、歯以外の口腔の部分を照射することに適合している、実施態様３００〜３２０のいずれかに記載のアプリケータ。
（３２２）歯を照射することに適合している少なくとも第１の発生装置と、歯以外の口腔の部分を照射することに適合している少なくとも第２の発生装置とをさらに備えている、実施態様３００〜３２１のいずれかに記載のアプリケータ。
（３２３）前記本体部分が口腔の少なくとも一部分の形状に整合するようになっている、実施態様３００〜３２２のいずれかに記載のアプリケータ。
【図面の簡単な説明】
【０１２５】
本発明は以下の添付図面に基づく詳細な説明によりさらに完全に理解できる。
【図１】本発明の発光式の歯ブラシを示している。
【図２Ａ】本発明の発光式の歯ブラシの別の実施形態を示している。
【図２Ｂ】図２Ａにおいて示されている実施形態の別の図である。
【図３】本発明の発光式のマウスピースを示している。
【図４】本発明の発光式のマウスピースの別の実施形態を示している。
【図５】本発明の発光式の歯ブラシの別の実施形態を示している。
【図６】熱伝達要素を有する発光式の歯ブラシの別の実施形態を示している。
【図７】ヒーターを有する発光式の歯ブラシの別の実施形態を示している。
【図８】熱伝達のために造形されているヘッド・フレームを有する発光式の歯ブラシの別の実施形態を示している。
【図９】単一の方向に放射線を送り出している発光式の歯ブラシの別の実施形態を示している。
【図１０】異なる方向に放射線を送り出している図９の発光式の歯ブラシを示している。
【図１１】異なる方向に放射線を送り出している図９の発光式の歯ブラシを示している。
【図１１Ａ】本発明の発光式の歯ブラシの別の実施形態を示している。
【図１２】２個以上の方向に放射線を送り出すことのできる本発明の発光式の歯ブラシを示している。
【図１３】多数の方向に放射線を送り出す本発明の発光式の歯ブラシを示している。
【図１４】図１３の発光式の歯ブラシの別の実施形態を示している。
【図１５】図１３の発光式の歯ブラシの別の実施形態を示している。
【図１６】図１３の発光式の歯ブラシの別の実施形態を示している。
【図１７】図１３の発光式の歯ブラシの別の実施形態を示している。
【図１８】舌に向けて放射線を送り出すことのできる本発明の発光式のマウスピースの別の実施形態を示している。
【図１９】歯と頬との間に位置決めできる本発明の発光式のマウスピースの別の実施形態を示している。
【図２０】口腔の床に対して放射線を送り出すことのできる本発明の発光式のマウスピースの別の実施形態を示している。
【図２０Ａ】光学要素を伴う本発明の発光式の歯ブラシを示している。
【図２１】活性な光学的な剛毛を伴う本発明の発光式の歯ブラシを示している。
【図２２】本発明の活性な光学的な剛毛を示している。
【図２３】本発明の活性な光学的な剛毛の別の実施形態を示している。
【図２４】本発明の活性な光学的な剛毛のさらに別の実施形態を示している。
【図２５】本発明の活性な光学的な剛毛のさらに別の実施形態を示している。
【図２６】本発明の活性な光学的な剛毛のさらに別の実施形態を示している。
【図２７Ａ】センサーおよびコントローラを有する本発明の発光式の歯ブラシの別の実施形態を示している。
【図２７Ｂ】図２７Ａの発光式の歯ブラシの別の図である。
【図２８】振動機構を有する本発明の発光式の歯ブラシの別の実施形態を示している。
【図２９】本発明の発光式の歯ブラシの別の実施形態を示している。
【図３０】発電手段を有する本発明の発光式の歯ブラシの別の実施形態を示している。
【図３１】反射率対波長のグラフを示している。
【図３２】光結合剤のチャートである。
【図３３】歯の構造の中への光の進入の概略図である。
【図３４】歯のエナメル質、ぞうげ質、および歯髄の中への放射線の進入を示している。
【図３５】照射の前後の反射率対波長のグラフである。
【図３６】示差の見かけの光学密度対波長のグラフである。
【図３７】本発明の発光式の口腔器具をと共に使用するための歯の白色化片を示している。
【図３８】本発明の発光式の口腔器具の別の実施形態を示している。
【符号の説明】
【０１２６】
１０  歯ブラシ
１２  ヘッド部分
１４  剛毛
１６  ハンドル部分
１８  放射線供給源
１９  熱伝達要素
２０  反射面
２２  センサー
２３  薬物またはビタミン
２４  発光式マウスピース
２６  本体部分
２７  プロング
２８  歯
３１  開口部
３２  電力供給源
３４  コントロール・スイッチ
３５  コイル
３８  フレーム
３９  リード線
４０  ヒーター
４２  モジュール
４３  コントローラ
４４  振動装置
４６  付加的な部品
４８  本体部分
４９  基端部
５０  支持体
５２  反射要素
５４  屈折コア
５６  屈折クラッド
５８  剛毛の先端部
６０  光の漏れ
６２  先端部
７０  熱伝達要素
７２  貯蔵器
７４  支持体
７６  歯白色化片
７８  皮膜
８０  発色団
８２  一定の領域
８４  円柱
【国際調査報告】
2006521875.tif 000043
2006521875.tif 000044
2006521875.tif 000045
2006521875.tif 000046
2006521875.tif 000047
2006521875.tif 000048
2006521875.tif 000049
2006521875.tif 000050
2006521875.tif 000051
2006521875.tif 000052
2006521875.tif 000053
2006521875.tif 000054